(57)【要約】本願は、伝送レート制御方法及び装置を提供する。方法は、マスタ基地局によって、ユーザ装置集約最大ビットレートＵＥ−ＡＭＢＲを取得することと、マスタ基地局によってＵＥ−ＡＭＢＲに基づいて、マスタ基地局のために使用される第１ＵＥ−ＡＭＢＲと、二次基地局のために使用される第２ＵＥ−ＡＭＢＲとを決定することと、マスタ基地局によって第２ＵＥ−ＡＭＢＲを二次基地局へ送信することと、マスタ基地局によって二次基地局に対して、二次基地局にマスタ基地局のためのデータ分割を制御するように指示するために使用される指示情報を送信することとを含む。本願では、夫々の基地局とＵＥとの間の伝送レートは、ＵＥ−ＡＭＢＲを割り当てることによって制御される。
2020523956.tif 000002
【特許請求の範囲】
【請求項１】
伝送レート制御方法であって、
マスタ基地局によって、ユーザ装置集約最大ビットレートＵＥ−ＡＭＢＲを取得することと、
前記マスタ基地局によって前記ＵＥ−ＡＭＢＲに基づいて、前記マスタ基地局のために使用される第１ＵＥ−ＡＭＢＲと、二次基地局のために使用される第２ＵＥ−ＡＭＢＲとを決定することと、
前記マスタ基地局によって、前記第２ＵＥ−ＡＭＢＲを前記二次基地局へ送信することと、
前記マスタ基地局によって前記二次基地局に対して、該二次基地局に前記マスタ基地局のためのデータ分割を制御するように指示するために使用される指示情報を送信することと
を有する方法。
【請求項２】
前記二次基地局にアンカーされた分割ベアラのみが前記マスタ基地局に存在する場合に、前記指示情報は第３ＵＥ−ＡＭＢＲであり、該第３ＵＥ−ＡＭＢＲは前記第１ＵＥ−ＡＭＢＲに等しい、
請求項１に記載の方法。
【請求項３】
前記二次基地局にアンカーされた分割ベアラのみが前記マスタ基地局に存在する場合に、前記指示情報は分割制御情報である、
請求項１に記載の方法。
【請求項４】
前記二次基地局にアンカーされた分割ベアラと、マスタセルグループベアラとの両方が前記マスタ基地局に存在する場合に、前記指示情報は第４ＵＥ−ＡＭＢＲであり、該第４ＵＥ−ＡＭＢＲは前記第１ＵＥ−ＡＭＢＲよりも小さい、
請求項１に記載の方法。
【請求項５】
前記二次基地局にアンカーされた分割ベアラと、マスタセルグループベアラとの両方が前記マスタ基地局に存在する場合に、前記指示情報は分割制御情報である、
請求項１に記載の方法。
【請求項６】
当該方法は、
前記マスタ基地局によって、調整された第２ＵＥ−ＡＭＢＲを前記二次基地局から受信することと、
前記マスタ基地局によって、前記調整された第２ＵＥ−ＡＭＢＲに基づいて前記第１ＵＥ−ＡＭＢＲを調整することとと、
前記マスタ基地局によって、調整された第１ＵＥ−ＡＭＢＲに基づいて前記マスタ基地局とユーザ装置ＵＥとの間の伝送レートを制御することと
を更に有する、
請求項１乃至５のうちいずれか一項に記載の方法。
【請求項７】
当該方法は、
前記マスタ基地局がアップリンク分割データを送信するよう構成される場合に、前記マスタ基地局によって、前記第１ＵＥ−ＡＭＢＲに基づいて前記マスタ基地局と前記ＵＥとの間のアップリンク伝送レートを制御することを更に有し、このステップは、
前記マスタ基地局によって、該マスタ基地局と前記ＵＥとの間にある、前記二次基地局にアンカーされた前記分割ベアラのアップリンク伝送レートを制御することを有する、
請求項２、３又は６に記載の方法。
【請求項８】
当該方法は、
前記マスタ基地局がアップリンク分割データを送信するよう構成される場合に、前記マスタ基地局によって、前記第１ＵＥ−ＡＭＢＲに基づいて前記マスタ基地局と前記ＵＥとの間のアップリンク伝送レートを制御することを更に有し、このステップは、
前記マスタ基地局によって、該マスタ基地局と前記ＵＥとの間にある、前記マスタセルグループベアラ及び前記二次基地局にアンカーされた前記分割ベアラのアップリンク伝送レートを制御することを有する、
請求項４、５又は６に記載の方法。
【請求項９】
当該方法は、
前記マスタ基地局によって、前記第１ＵＥ−ＡＭＢＲに基づいて前記マスタ基地局と前記ＵＥとの間のダウンリンク伝送レートを制御することを更に有し、このステップは、
前記マスタ基地局によって、該マスタ基地局と前記ＵＥとの間にある、前記二次基地局にアンカーされた前記分割ベアラのダウンリンク伝送レートを制御することを有する、
請求項３又は６に記載の方法。
【請求項１０】
当該方法は、
前記マスタ基地局によって、前記第１ＵＥ−ＡＭＢＲに基づいて前記マスタ基地局と前記ＵＥとの間のダウンリンク伝送レートを制御することを更に有し、このステップは、
前記マスタ基地局と前記ＵＥとの間にある、前記マスタセルグループベアラ及び前記二次基地局にアンカーされた前記分割ベアラのダウンリンク伝送レートを制御することを有する、
請求項４、５又は６に記載の方法。
【請求項１１】
伝送レート制御方法であって、
二次基地局によってマスタ基地局から、前記二次基地局のために使用される第２ユーザ装置集約最大ビットレートＵＥ−ＡＭＢＲを受信し、該第２ＵＥ−ＡＭＢＲはＵＥ−ＡＭＢＲに基づいて取得される、ことと、
前記二次基地局によって、指示情報を前記マスタ基地局から受信し、該指示情報は、前記二次基地局に前記マスタ基地局のためのデータ分割を制御するように指示するために使用される、ことと
を有する方法。
【請求項１２】
前記二次基地局にアンカーされた分割ベアラのみが前記マスタ基地局に存在する場合に、前記指示情報は第３ＵＥ−ＡＭＢＲであり、該第３ＵＥ−ＡＭＢＲは、前記マスタ基地局のために使用される第１ＵＥ−ＡＭＢＲに等しく、該第１ＵＥ−ＡＭＢＲは、前記ＵＥ−ＡＭＢＲに基づいて取得され、当該方法は、
前記二次基地局によって、前記第３ＵＥ−ＡＭＢＲに基づいて前記マスタ基地局とユーザ装置との間のダウンリンク伝送レートを制御することを更に有し、このステップは、
前記二次基地局によって、前記マスタ基地局と前記ＵＥとの間にある、前記二次基地局にアンカーされた前記分割ベアラのダウンリンク伝送レートを制御することを有する、
請求項１１に記載の方法。
【請求項１３】
前記二次基地局にアンカーされた分割ベアラのみが前記マスタ基地局に存在する場合に、前記指示情報は分割制御情報であり、当該方法は、
前記二次基地局によって、前記分割制御情報に従って分割データを前記マスタ基地局へ送信することを更に有する、
請求項１１に記載の方法。
【請求項１４】
前記二次基地局にアンカーされた分割ベアラと、マスタセルグループベアラとの両方が前記マスタ基地局に存在する場合に、前記指示情報は第４ＵＥ−ＡＭＢＲであり、該第４ＵＥ−ＡＭＢＲは、前記マスタ基地局のために使用される第１ＵＥ−ＡＭＢＲよりも小さく、該第１ＵＥ−ＡＭＢＲは、前記ＵＥ−ＡＭＢＲに基づいて取得され、当該方法は、
前記二次基地局によって、前記第４ＵＥ−ＡＭＢＲに従って分割データを前記マスタ基地局へ送信することを更に有する、
請求項１１に記載の方法。
【請求項１５】
前記二次基地局にアンカーされた分割ベアラと、マスタセルグループベアラとの両方が前記マスタ基地局に存在する場合に、前記指示情報は分割制御情報であり、当該方法は、
前記二次基地局によって、前記分割制御情報に従って分割データを前記マスタ基地局へ送信することを更に有する、
請求項１１に記載の方法。
【請求項１６】
当該方法は、
前記二次基地局によって、前記第２ＵＥ−ＡＭＢＲを調整し、調整された第２ＵＥ−ＡＭＢＲを前記マスタ基地局へ送信することを更に有する、
請求項１１乃至１５のうちいずれか一項に記載の方法。
【請求項１７】
伝送レート制御方法であって、
マスタ基地局によって、ユーザ装置集約最大ビットレートＵＥ−ＡＭＢＲを取得することと、
前記マスタ基地局によって、二次基地局のベアラタイプを決定し、前記ＵＥ−ＡＭＢＲに基づいて、前記二次基地局のために使用される第２ＵＥ−ＡＭＢＲを決定し、該第２ＵＥ−ＡＭＢＲは、前記二次基地局によって、該二次基地局の前記ベアラタイプに基づいて端末伝送レートを制御するために使用される、ことと、
前記マスタ基地局によって、前記第２ＵＥ−ＡＭＢＲ及び前記二次基地局の前記ベアラタイプを前記二次基地局へ送信することと
を有する方法。
【請求項１８】
前記二次基地局の前記ベアラタイプが二次セルグループベアラのみを有する場合に、
前記第２ＵＥ−ＡＭＢＲが、前記二次基地局によって、該二次基地局の前記ベアラタイプに基づいて端末伝送レートを制御するために使用されることは、
前記二次基地局が、前記第２ＵＥ−ＡＭＢＲに基づいて前記二次基地局とＵＥとの間の伝送レートを制御することを有する、
請求項１７に記載の方法。
【請求項１９】
前記二次基地局の前記ベアラタイプが前記二次基地局にアンカーされた分割ベアラのみを有する場合に、
前記第２ＵＥ−ＡＭＢＲが、前記二次基地局によって、該二次基地局の前記ベアラタイプに基づいて端末伝送レートを制御するために使用されることは、
ダウンリンク上で、前記第２ＵＥ−ＡＭＢＲに基づいて、前記二次基地局が、該二次基地局とＵＥとの間にある、前記二次基地局にアンカーされた前記分割ベアラのダウンリンク伝送レートを制御し、且つ、前記マスタ基地局と前記ＵＥとの間にある、前記二次基地局にアンカーされた前記分割ベアラのダウンリンク伝送レートを制御すること、又は
アップリンク上で、前記二次基地局が、前記第２ＵＥ−ＡＭＢＲに基づいて、前記二次基地局と前記ＵＥとの間にある、前記二次基地局にアンカーされた前記分割ベアラのアップリンク伝送レートを制御すること
を有する、
請求項１７に記載の方法。
【請求項２０】
前記二次基地局の前記ベアラタイプが二次セルグループベアラ及び前記二次基地局にアンカーされた分割ベアラを有する場合に、
前記第２ＵＥ−ＡＭＢＲが、前記二次基地局によって、該二次基地局の前記ベアラタイプに基づいて端末伝送レートを制御するために使用されることは、
ダウンリンク上で、前記第２ＵＥ−ＡＭＢＲに基づいて、前記二次基地局が、該二次基地局とＵＥとの間にある、前記二次セルグループベアラ及び前記二次基地局にアンカーされた前記分割ベアラのダウンリンク伝送レートを制御し、且つ、前記マスタ基地局と前記ＵＥとの間にある、前記二次基地局にアンカーされた前記分割ベアラのダウンリンク伝送レートを制御することと、
アップリンク上で、前記二次基地局が、前記第２ＵＥ−ＡＭＢＲに基づいて、前記二次基地局と前記ＵＥとの間にある、前記二次セルグループベアラ及び前記二次基地局にアンカーされた前記分割ベアラのアップリンク伝送レートを制御することと
を有する、
請求項１７に記載の方法。
【請求項２１】
プロセッサ及びメモリを有する通信装置であって、
前記メモリは、命令を記憶するよう構成され、前記プロセッサは、前記メモリに記憶されている前記命令を実行するよう構成され、
前記プロセッサが前記メモリに記憶されている前記命令を実行する場合に、当該装置は、請求項１乃至１０のうちいずれか一項に記載の方法を実装するよう構成される、
通信装置。
【請求項２２】
プロセッサ及びメモリを有する通信装置であって、
前記メモリは、命令を記憶するよう構成され、前記プロセッサは、前記メモリに記憶されている前記命令を実行するよう構成され、
前記プロセッサが前記メモリに記憶されている前記命令を実行する場合に、当該装置は、請求項１１乃至１６のうちいずれか一項に記載の方法を実装するよう構成される、
通信装置。
【請求項２３】
プロセッサ及びメモリを有する通信装置であって、
前記メモリは、命令を記憶するよう構成され、前記プロセッサは、前記メモリに記憶されている前記命令を実行するよう構成され、
前記プロセッサが前記メモリに記憶されている前記命令を実行する場合に、当該装置は、請求項１７乃至２０のうちいずれか一項に記載の方法を実装するよう構成される、
通信装置。
【請求項２４】
請求項１乃至１０のうちいずれか一項に記載の方法を実行するよう構成される通信装置。
【請求項２５】
請求項１１乃至１６のうちいずれか一項に記載の方法を実行するよう構成される通信装置。
【請求項２６】
請求項１７乃至２０のうちいずれか一項に記載の方法を実行するよう構成される通信装置。
【発明の詳細な説明】
【技術分野】
【０００１】
本願は、“TRANSMISSION  RATE  CONTROL  METHOD  AND  APPARATUS”と題されて２０１７年６月１６日付けで中国国家知識産権局に出願された中国特許出願第２０１７１０４５９１０５．７号の優先権を主張するものであり、個の中国出願は、その全文を参照により本願に援用される。
【０００２】
本願は、通信技術の分野に、特に、伝送レート制御方法及び装置に関係がある。
【背景技術】
【０００３】
デュアル・コネクティビティ（dual  connectivity，ＤＣ）システムでは、帯域幅及びスループットを増大させるために、通常、１つのユーザ装置（user  equipment，ＵＥ）が２つの基地局へ接続される。
【０００４】
ＤＣシステムでは、ネットワーク側でＵＥにサービスを提供する２つの基地局が存在するので、ユーザ装置集約最大ビットレート（user  equipment  aggregate  maximum  bit  rate，ＵＥ−ＡＭＢＲ）は、夫々の基地局で送信されるＵＥの全ての無保証ビットレート（non-guaranteed  bit  rate，ｎｏｎ−ＧＢＲ）サービスのレートの和を制限するために別々に使用される２つの部分に分けられ、具体的に言えば、全てのｎｏｎ−ＧＢＲサービスのレートの和は、ＵＥ−ＡＭＢＲの値を超えることができない。
【０００５】
従って、ＤＣシステムでは、夫々の基地局とＵＥとの間の伝送レートを制御するためにＵＥ−ＡＭＢＲを如何にして割り当てるべきかが、至急解決されるべき技術的課題である。
【発明の概要】
【０００６】
本願は、ＤＣシステムにおいてＵＥ−ＡＭＢＲを割り当てることによって夫々の基地局とＵＥとの間の伝送レートを制御するように、伝送レート制御方法及び装置を提供する。
【０００７】
本願の第１の態様は、伝送レート制御方法であって、
マスタ基地局によって、ＵＥ−ＡＭＢＲを取得することと、
前記マスタ基地局によって前記ＵＥ−ＡＭＢＲに基づいて、前記マスタ基地局のために使用される第１ＵＥ−ＡＭＢＲと、二次基地局のために使用される第２ＵＥ−ＡＭＢＲとを決定することと、
前記マスタ基地局によって、前記第２ＵＥ−ＡＭＢＲを前記二次基地局へ送信することと、
前記マスタ基地局によって前記二次基地局に対して、該二次基地局に前記マスタ基地局のためのデータ分割を制御するように指示するために使用される指示情報を送信することと
を含む方法を提供する。
【０００８】
第１ＵＥ−ＡＭＢＲと第２ＵＥ−ＡＭＢＲとの和は、ＵＥ−ＡＭＢＲに等しくてよく、あるいは、ＵＥ−ＡＭＢＲよりも小さくてもよい。その上、第１ＵＥ−ＡＭＢＲは、アップリンク第１ＵＥ−ＡＭＢＲ及びダウンリンク第１ＵＥ−ＡＭＢＲを更に含んでよい。同様に、第２ＵＥ−ＡＭＢＲは、アップリンク第２ＵＥ−ＡＭＢＲ及びダウンリンク第２ＵＥ−ＡＭＢＲを更に含む。
【０００９】
本願の第１の態様で提供される伝送レート制御方法では、第２ＵＥ−ＡＭＢＲを決定した後に、マスタ基地局が第２ＵＥ−ＡＭＢＲを二次基地局へ送信し、そして、第２ＵＥ−ＡＭＢＲを取得した後に、二次基地局が第２ＵＥ−ＡＭＢＲに基づいて二次基地局とＵＥとの間の伝送レートを制御して、二次基地局でのＵＥの全てのｎｏｎ−ＧＢＲサービスの和が第２ＵＥ−ＡＭＢＲの限度を超えないことを確かにする。その上、二次基地局にアンカーされた分割ベアラ（SCG  split  bearer）がマスタ基地局に存在する場合に、マスタ基地局は指示情報を二次基地局へ更に送信し、二次基地局は、受信された指示情報に基づいて、マスタ基地局へ分割データを送信するレートを制御する。
【００１０】
任意に、前記二次基地局にアンカーされた分割ベアラ（SCG  split  bearer）のみが前記マスタ基地局に存在する場合に、前記指示情報は第３ＵＥ−ＡＭＢＲであり、該第３ＵＥ−ＡＭＢＲは前記第１ＵＥ−ＡＭＢＲに等しい。
【００１１】
この解決法では、第３ＵＥ−ＡＭＢＲは、アップリンク第３ＵＥ−ＡＭＢＲ（アップリンク第１ＵＥ−ＡＭＢＲに等しい。）及びダウンリンク第３ＵＥ−ＡＭＢＲ（ダウンリンク第１ＵＥ−ＡＭＢＲに等しい。）を含み、二次基地局は、受信されたダウンリンク第３ＵＥ−ＡＭＢＲに基づいて、マスタ基地局のためのデータ分割を実行するダウンリンク伝送レートを制御して、マスタ基地局とＵＥとの間のダウンリンク伝送レートを制御する。
【００１２】
任意に、前記二次基地局にアンカーされた分割ベアラ（SCG  split  bearer）のみが前記マスタ基地局に存在する場合に、前記指示情報は分割制御情報である。
【００１３】
この解決法では、分割制御情報は、マスタ基地局のデータバッファ関連情報及び／又はマスタ基地局のデータ送信関連情報、あるいは、マスタ基地局のデータ伝送レート、などを含む。その上、二次基地局は、受信された分割制御情報に基づいて、マスタ基地局のためのデータ分割を実行するダウンリンク伝送レートを制御して、マスタ基地局とＵＥとの間のダウンリンク伝送レートを制御する。
【００１４】
任意に、前記二次基地局にアンカーされた分割ベアラ（SCG  split  bearer）と、マスタセルグループベアラ（MCG  bearer）との両方が前記マスタ基地局に存在する場合に、前記指示情報は第４ＵＥ−ＡＭＢＲであり、該第４ＵＥ−ＡＭＢＲは前記第１ＵＥ−ＡＭＢＲよりも小さい。
【００１５】
この解決法では、マスタ基地局でのデータは、２つの部分、すなわち、二次基地局から分割されたデータ、及びマスタ基地局で個別に負担されるデータを含む。この場合に、マスタ基地局は、データの２つの部分の伝送レートの和を、第１ＵＥ−ＡＭＢＲよりも大きくないように制御する必要がある。従って、マスタ基地局によって二次基地局へ送信される指示情報は、第４ＵＥ−ＡＭＢＲであり、該第４ＵＥ−ＡＭＢＲは、第１ＵＥ−ＡＭＢＲよりも小さい。この場合に、二次基地局は、受信された第４ＵＥ−ＡＭＢＲに基づいて、マスタ基地局のためのデータ分割を実行するダウンリンク伝送レートを制御して、ダウンリンク伝送レートが、第４ＵＥ−ＡＭＢＲよりも大きくないようにする。
【００１６】
任意に、前記二次基地局にアンカーされた分割ベアラ（SCG  split  bearer）と、マスタセルグループベアラ（MCG  bearer）との両方が前記マスタ基地局に存在する場合に、前記指示情報は分割制御情報である。
【００１７】
この解決法では、分割制御情報は、マスタ基地局のデータバッファ関連情報及び／又はマスタ基地局のデータ送信関連情報、あるいは、マスタ基地局のデータ伝送レート、などを含む。その上、マスタ基地局でのデータは、２つの部分、すなわち、二次基地局から分割されたデータ、及びマスタ基地局で個別に負担されるデータを含む。この場合に、マスタ基地局は、データの２つの部分の伝送レートの和を、第１ＵＥ−ＡＭＢＲよりも大きくないように制御する必要がある。マスタ基地局によって送信された分割制御情報を受信した後に、二次基地局は、受信された分割制御情報に基づいて、マスタ基地局のためのデータ分割を実行するダウンリンク伝送レートを制御する。
【００１８】
任意に、当該方法は、
前記マスタ基地局によって、調整された第２ＵＥ−ＡＭＢＲを前記二次基地局から受信することと、
前記マスタ基地局によって、前記調整された第２ＵＥ−ＡＭＢＲに基づいて前記第１ＵＥ−ＡＭＢＲを調整することとと、
前記マスタ基地局によって、調整された第１ＵＥ−ＡＭＢＲに基づいて前記マスタ基地局とユーザ装置ＵＥとの間の伝送レートを制御することと
を更に含む。
【００１９】
この解決法では、マスタ基地局によって送信された第２ＵＥ−ＡＭＢＲを受信した後に、二次基地局は、二次基地局のネットワーク資源ステータス情報に基づいて、受信された第２ＵＥ−ＡＭＢＲが調整される必要があるかどうかを判定し、受信された第２ＵＥ−ＡＭＢＲが調整される必要がある場合には、第２ＵＥ−ＡＭＢＲを調整し、調整された第２ＵＥ−ＡＭＢＲをマスタ基地局へ送信してよい。マスタ基地局は、調整された第１ＵＥ−ＡＭＢＲに基づいて、マスタ基地局とユーザ装置ＵＥとの間の伝送レートを制御する。ネットワーク資源ステータス情報は、例えば、エアインターフェイス信号品質及び／又は負荷ステータス、あるいは、他の情報を含んでよい。
【００２０】
任意に、当該方法は、
前記マスタ基地局がアップリンク分割データを送信するよう構成される場合に、前記マスタ基地局によって、前記第１ＵＥ−ＡＭＢＲに基づいて前記マスタ基地局と前記ＵＥとの間のアップリンク伝送レートを制御することを更に含み、このステップは、
前記マスタ基地局によって、該マスタ基地局と前記ＵＥとの間にある、前記二次基地局にアンカーされた前記分割ベアラのアップリンク伝送レートを制御することを含む。
【００２１】
この解決法では、二次基地局にアンカーされた分割ベアラ（SCG  split  bearer）のみがマスタ基地局に存在する場合に、マスタ基地局がアップリンク分割データを送信するよう構成されるときに、マスタ基地局は、アップリンク第３ＵＥ−ＡＭＢＲに基づいて、マスタ基地局とＵＥとの間のアップリンク伝送レートを制御する。具体的に、二次基地局にアンカーされた分割ベアラ（SCG  split  bearer）のみがマスタ基地局に存在するので、マスタ基地局は、マスタ基地局とＵＥとの間にある、二次基地局にアンカーされた分割ベアラのアップリンク伝送レートを制御する。
【００２２】
任意に、当該方法は、
前記マスタ基地局がアップリンク分割データを送信するよう構成される場合に、前記マスタ基地局によって、前記第１ＵＥ−ＡＭＢＲに基づいて前記マスタ基地局と前記ＵＥとの間のアップリンク伝送レートを制御することを更に含み、このステップは、
前記マスタ基地局によって、該マスタ基地局と前記ＵＥとの間にある、前記マスタセルグループベアラ及び前記二次基地局にアンカーされた前記分割ベアラのアップリンク伝送レートを制御することを含む。
【００２３】
この解決法では、二次基地局にアンカーされた分割ベアラ（SCG  split  bearer）と、マスタセルグループベアラ（MCG  bearer）との両方がマスタ基地局に存在する場合に、マスタ基地局がアップリンク分割データを送信するよう構成されるときに、マスタ基地局は、第１ＵＥ−ＡＭＢＲに基づいて、マスタ基地局とＵＥとの間のアップリンク伝送レートを制御する。具体的に、マスタ基地局は、アップリンク第１ＵＥ−ＡＭＢＲに基づいて、マスタ基地局とＵＥとの間にある、マスタセルグループベアラ及び二次基地局にアンカーされた分割ベアラのアップリンク伝送レートを制御する。
【００２４】
任意に、当該方法は、
前記マスタ基地局によって、前記第１ＵＥ−ＡＭＢＲに基づいて前記マスタ基地局と前記ＵＥとの間のダウンリンク伝送レートを制御することを更に含み、このステップは、
前記マスタ基地局によって、該マスタ基地局と前記ＵＥとの間にある、前記二次基地局にアンカーされた前記分割ベアラのダウンリンク伝送レートを制御することを含む。
【００２５】
この解決法では、二次基地局にアンカーされた分割ベアラ（SCG  split  bearer）のみがマスタ基地局に存在し、指示情報が分割制御情報である場合に、二次基地局は、分割制御情報にのみ基づいて、マスタ基地局のためのデータ分割を実行するダウンリンク伝送レートを制御する。従って、二次基地局がマスタ基地局のためのデータ分割を実行した後に、マスタ基地局は、第１ＵＥ−ＡＭＢＲに基づいて、マスタ基地局とＵＥとの間のダウンリンク伝送レートを制御する。具体的に、マスタ基地局は、ダウンリンク第１ＵＥ−ＡＭＢＲに基づいて、マスタ基地局とＵＥとの間にある、二次基地局にアンカーされた分割ベアラのダウンリンク伝送レートを制御する。
【００２６】
任意に、当該方法は、
前記マスタ基地局によって、前記第１ＵＥ−ＡＭＢＲに基づいて前記マスタ基地局と前記ＵＥとの間のダウンリンク伝送レートを制御することを更に含み、このステップは、
前記マスタ基地局と前記ＵＥとの間にある、前記マスタセルグループベアラ及び前記二次基地局にアンカーされた前記分割ベアラのダウンリンク伝送レートを制御することを含む。
【００２７】
この解決法では、二次基地局にアンカーされた分割ベアラ（SCG  split  bearer）と、マスタセルグループベアラ（MCG  bearer）との両方がマスタ基地局に存在する場合に、二次基地局にアンカーされた分割ベアラ（SCG  split  bearer）と、マスタセルグループベアラ（MCG  bearer）との両方がマスタ基地局に存在するので、二次基地局がマスタ基地局のためのデータ分割を実行した後に、マスタ基地局は、第１ＵＥ−ＡＭＢＲに基づいて、マスタ基地局とＵＥとの間のダウンリンク伝送レートを制御する。具体的に、マスタ基地局は、ダウンリンク第１ＵＥ−ＡＭＢＲに基づいて、マスタ基地局とＵＥとの間にある、マスタセルグループベアラ及び二次基地局にアンカーされた分割ベアラのダウンリンク伝送レートを制御する。
【００２８】
本願の第２の態様は、伝送レート制御方法であって、
二次基地局によってマスタ基地局から、前記二次基地局のために使用される第２ユーザ装置集約最大ビットレートＵＥ−ＡＭＢＲを受信し、該第２ＵＥ−ＡＭＢＲはＵＥ−ＡＭＢＲに基づいて取得される、ことと、
前記二次基地局によって、指示情報を前記マスタ基地局から受信し、該指示情報は、前記二次基地局に前記マスタ基地局のためのデータ分割を制御するように指示するために使用される、ことと
を含む方法を提供する。
【００２９】
本願の第２の態様で提供される伝送レート制御方法では、第２ＵＥ−ＡＭＢＲを決定した後に、マスタ基地局が第２ＵＥ−ＡＭＢＲを二次基地局へ送信し、そして、第２ＵＥ−ＡＭＢＲを取得した後に、二次基地局が第２ＵＥ−ＡＭＢＲに基づいて二次基地局とＵＥとの間の伝送レートを制御して、二次基地局でのＵＥの全てのｎｏｎ−ＧＢＲサービスの和が第２ＵＥ−ＡＭＢＲの限度を超えないことを確かにする。その上、二次基地局にアンカーされた分割ベアラ（SCG  split  bearer）がマスタ基地局に存在する場合に、マスタ基地局は指示情報を二次基地局へ更に送信し、二次基地局は、受信された指示情報に基づいて、マスタ基地局へ分割データを送信するレートを制御する。
【００３０】
任意に、前記二次基地局にアンカーされた分割ベアラ（SCG  split  bearer）のみが前記マスタ基地局に存在する場合に、前記指示情報は第３ＵＥ−ＡＭＢＲであり、該第３ＵＥ−ＡＭＢＲは、前記マスタ基地局のために使用される第１ＵＥ−ＡＭＢＲに等しく、該第１ＵＥ−ＡＭＢＲは、前記ＵＥ−ＡＭＢＲに基づいて取得され、当該方法は、
前記二次基地局によって、前記第３ＵＥ−ＡＭＢＲに基づいて前記マスタ基地局とユーザ装置との間のダウンリンク伝送レートを制御することを更に含み、このステップは、
前記二次基地局によって、前記マスタ基地局と前記ＵＥとの間にある、前記二次基地局にアンカーされた前記分割ベアラのダウンリンク伝送レートを制御することを含む。
【００３１】
この解決法では、第３ＵＥ−ＡＭＢＲは、アップリンク第３ＵＥ−ＡＭＢＲ（アップリンク第１ＵＥ−ＡＭＢＲに等しい。）及びダウンリンク第３ＵＥ−ＡＭＢＲ（ダウンリンク第１ＵＥ−ＡＭＢＲに等しい。）を含み、二次基地局は、受信されたダウンリンク第３ＵＥ−ＡＭＢＲに基づいて、マスタ基地局のためのデータ分割を実行するダウンリンク伝送レートを制御して、マスタ基地局とＵＥとの間のダウンリンク伝送レートを制御する。
【００３２】
任意に、前記二次基地局にアンカーされた分割ベアラ（SCG  split  bearer）のみが前記マスタ基地局に存在する場合に、前記指示情報は分割制御情報であり、当該方法は、
前記二次基地局によって、前記分割制御情報に従って分割データを前記マスタ基地局へ送信することを更に含む。
【００３３】
この解決法では、分割制御情報は、マスタ基地局のデータバッファ関連情報及び／又はマスタ基地局のデータ送信関連情報、あるいは、マスタ基地局のデータ伝送レート、などを含む。その上、二次基地局は、受信された分割制御情報に基づいて、マスタ基地局のためのデータ分割を実行するダウンリンク伝送レートを制御して、マスタ基地局とＵＥとの間のダウンリンク伝送レートを制御する。
【００３４】
任意に、前記二次基地局にアンカーされた分割ベアラ（SCG  split  bearer）と、マスタセルグループベアラ（MCG  bearer）との両方が前記マスタ基地局に存在する場合に、前記指示情報は第４ＵＥ−ＡＭＢＲであり、該第４ＵＥ−ＡＭＢＲは、前記マスタ基地局のために使用される第１ＵＥ−ＡＭＢＲよりも小さく、該第１ＵＥ−ＡＭＢＲは、前記ＵＥ−ＡＭＢＲに基づいて取得され、当該方法は、
前記二次基地局によって、前記第４ＵＥ−ＡＭＢＲに従って分割データを前記マスタ基地局へ送信することを更に含む。
【００３５】
この解決法では、マスタ基地局でのデータは、２つの部分、すなわち、二次基地局から分割されたデータ、及びマスタ基地局で個別に負担されるデータを含む。この場合に、マスタ基地局は、データの２つの部分の伝送レートの和を、第１ＵＥ−ＡＭＢＲよりも大きくないように制御する必要がある。従って、マスタ基地局によって二次基地局へ送信される指示情報は、第４ＵＥ−ＡＭＢＲであり、該第４ＵＥ−ＡＭＢＲは、第１ＵＥ−ＡＭＢＲよりも小さい。この場合に、二次基地局は、受信された第４ＵＥ−ＡＭＢＲに基づいて、マスタ基地局のためのデータ分割を実行するダウンリンク伝送レートを制御して、ダウンリンク伝送レートが、第４ＵＥ−ＡＭＢＲよりも大きくないようにする。
【００３６】
任意に、前記二次基地局にアンカーされた分割ベアラ（SCG  split  bearer）と、マスタセルグループベアラ（MCG  bearer）との両方が前記マスタ基地局に存在する場合に、前記指示情報は分割制御情報であり、当該方法は、
前記二次基地局によって、前記分割制御情報に従って分割データを前記マスタ基地局へ送信することを更に含む。
【００３７】
この解決法では、分割制御情報は、マスタ基地局のデータバッファ関連情報及び／又はマスタ基地局のデータ送信関連情報、あるいは、マスタ基地局のデータ伝送レート、などを含む。その上、マスタ基地局でのデータは、２つの部分、すなわち、二次基地局から分割されたデータ、及びマスタ基地局で個別に負担されるデータを含む。この場合に、マスタ基地局は、データの２つの部分の伝送レートの和を、第１ＵＥ−ＡＭＢＲよりも大きくないように制御する必要がある。マスタ基地局によって送信された分割制御情報を受信した後に、二次基地局は、受信された分割制御情報に基づいて、マスタ基地局のためのデータ分割を実行するダウンリンク伝送レートを制御する。
【００３８】
任意に、当該方法は、
前記二次基地局によって、前記第２ＵＥ−ＡＭＢＲを調整し、調整された第２ＵＥ−ＡＭＢＲを前記マスタ基地局へ送信することを更に含む。
【００３９】
この解決法では、マスタ基地局によって送信された第２ＵＥ−ＡＭＢＲを受信した後に、二次基地局は、二次基地局のネットワーク資源ステータス情報に基づいて、受信された第２ＵＥ−ＡＭＢＲが調整される必要があるかどうかを判定し、受信された第２ＵＥ−ＡＭＢＲが調整される必要がある場合には、第２ＵＥ−ＡＭＢＲを調整し、調整された第２ＵＥ−ＡＭＢＲをマスタ基地局へ送信してよい。マスタ基地局は、調整された第１ＵＥ−ＡＭＢＲに基づいて、マスタ基地局とユーザ装置ＵＥとの間の伝送レートを制御する。ネットワーク資源ステータス情報は、例えば、エアインターフェイス信号品質及び／又は負荷ステータス、あるいは、他の情報を含んでよい。
【００４０】
本願の第３の態様は、伝送レート制御方法であって、
二次基地局によってマスタ基地局から、ユーザ装置集約最大ビットレートＵＥ−ＡＭＢＲを受信することと、
前記二次基地局によって前記ＵＥ−ＡＭＢＲに基づいて、前記マスタ基地局のために使用される第１ＵＥ−ＡＭＢＲと、前記二次基地局のために使用される第２ＵＥ−ＡＭＢＲとを決定することと、
前記二次基地局によって、前記第１ＵＥ−ＡＭＢＲ及び／又は前記第２ＵＥ−ＡＭＢＲを前記マスタ基地局へ送信することと
を含む方法を提供する。
【００４１】
第１ＵＥ−ＡＭＢＲは、アップリンク第１ＵＥ−ＡＭＢＲ及びダウンリンク第１ＵＥ−ＡＭＢＲを含み、第２ＵＥ−ＡＭＢＲは、アップリンク第２ＵＥ−ＡＭＢＲ及びダウンリンク第２ＵＥ−ＡＭＢＲを更に含む。
【００４２】
第１ＵＥ−ＡＭＢＲ及び第２ＵＥ−ＡＭＢＲを決定した後に、二次基地局は第１ＵＥ−ＡＭＢＲしかマスタ基地局へ送信しなくてもよい。代替的に、二次基地局は、第２ＵＥ−ＡＭＢＲしかマスタ基地局へ送信しなくてもよい。この場合に、マスタ基地局は、ＵＥ−ＡＭＢＲ及び第２ＵＥ−ＡＭＢＲに基づいて第１ＵＥ−ＡＭＢＲを計算し、例えば、第２ＵＥ−ＡＭＢＲをＵＥ−ＡＭＢＲから減じることによって第１ＵＥ−ＡＭＢＲを計算し得る。代替的に、二次基地局は、第１ＵＥ−ＡＭＢＲ及び第２ＵＥ−ＡＭＢＲの両方をマスタ基地局へ送信してもよい。
【００４３】
本願の第３の態様で提供される伝送レート制御方法では、二次基地局が、マスタ基地局からＵＥ−ＡＭＢＲを受信し、ＵＥ−ＡＭＢＲに基づいて、マスタ基地局のために使用される第１ＵＥ−ＡＭＢＲと、二次基地局のために使用される第２ＵＥ−ＡＭＢＲとを決定し、第１ＵＥ−ＡＭＢＲ及び／又は第２ＵＥ−ＡＭＢＲをマスタ基地局へ送信し、それにより、マスタ基地局は第１ＵＥ−ＡＭＢＲを取得し、第１ＵＥ−ＡＭＢＲに基づいてマスタ基地局とＵＥとの間の伝送レートを制御して、マスタ基地局でのＵＥの全てのｎｏｎ−ＧＢＲサービスのレートの和が第１ＵＥ−ＡＭＢＲの限度を超えないことを確かにする。その上、二次基地局は、第２ＵＥ−ＡＭＢＲに基づいて二次基地局とＵＥとの間の伝送レートを制御して、二次基地局でのＵＥのｎｏｎ−ＧＢＲサービスのレートの和が第２ＵＥ−ＡＭＢＲを超えないことを確かにする。
【００４４】
任意に、当該方法は、
前記二次基地局によって、前記マスタ基地局によって送信される参照情報を受信することを更に含み、該参照情報は、
ユーザ装置ＵＥによってサポートされる全ての無保証ビットレートｎｏｎ−ＧＢＲサービスに関する情報、又は
マスタセルグループベアラに対応するｎｏｎ−ＧＢＲサービスに関する情報
を含み、
前記二次基地局によって前記ＵＥ−ＡＭＢＲに基づいて、前記マスタ基地局のために使用される第１ＵＥ−ＡＭＢＲと、前記二次基地局のために使用される第２ＵＥ−ＡＭＢＲとを決定することは、
前記二次基地局によって、前記参照情報及び前記ＵＥ−ＡＭＢＲに基づいて前記第１ＵＥ−ＡＭＢＲ及び前記第２ＵＥ−ＡＭＢＲを決定することを含む。
【００４５】
任意に、前記ｎｏｎ−ＧＢＲサービスに関する前記情報は、次の組み合わせ：
ｎｏｎ−ＧＢＲサービスの量、又は
前記ｎｏｎ−ＧＢＲサービスに対応するクオリティ・オブ・サービスクラス識別子ＱＣＩ、又は
前記ｎｏｎ−ＧＢＲサービスに対応する無線アクセスベアラ識別子、又は
前記ｎｏｎ−ＧＢＲサービスに対応する割り当て／維持優先度ＡＲＰ
のうちの少なくとも１つを含む。
【００４６】
この解決法では、参照情報において、ＵＥの全てのｎｏｎ−ＧＢＲサービスは、マスタ基地局で個別に負担される全てのｎｏｎ−ＧＢＲサービスであり、マスタ基地局で負担されるｎｏｎ−ＧＢＲサービスに対応するＱＣＩは、マスタ基地局で個別に負担されるｎｏｎ−ＧＢＲサービスに対応するＱＣＩである。マスタ基地局は、参照情報を二次基地局へ送信し、二次基地局は、参照情報に基づいて、マスタ基地局で個別に負担されるｎｏｎ−ＧＢＲサービスに関する情報を知り得る。この場合に、二次基地局は、参照情報及びＵＥ−ＡＭＢＲに基づいて第１ＵＥ−ＡＭＢＲ及び第２ＵＥ−ＡＭＢＲを決定する。
【００４７】
本願の第４の態様は、伝送レート制御方法であって、
マスタ基地局によって、ユーザ装置集約最大ビットレートＵＥ−ＡＭＢＲを二次基地局へ送信することと、
前記マスタ基地局によって、第１ＵＥ−ＡＭＢＲ及び／又は第２ＵＥ−ＡＭＢＲを前記二次基地局から受信し、前記第１ＵＥ−ＡＭＢＲ及び前記第２ＵＥ−ＡＭＢＲは前記ＵＥ−ＡＭＢＲに基づいて取得される、ことと
を含む方法を提供する。
【００４８】
第１ＵＥ−ＡＭＢＲは、アップリンク第１ＵＥ−ＡＭＢＲ及びダウンリンク第１ＵＥ−ＡＭＢＲを含み、第２ＵＥ−ＡＭＢＲは、アップリンク第２ＵＥ−ＡＭＢＲ及びダウンリンク第２ＵＥ−ＡＭＢＲを更に含む。
【００４９】
第１ＵＥ−ＡＭＢＲ及び第２ＵＥ−ＡＭＢＲを決定した後に、二次基地局は第１ＵＥ−ＡＭＢＲしかマスタ基地局へ送信しなくてもよい。代替的に、二次基地局は、第２ＵＥ−ＡＭＢＲしかマスタ基地局へ送信しなくてもよい。この場合に、マスタ基地局は、ＵＥ−ＡＭＢＲ及び第２ＵＥ−ＡＭＢＲに基づいて第１ＵＥ−ＡＭＢＲを計算し、例えば、第２ＵＥ−ＡＭＢＲをＵＥ−ＡＭＢＲから減じることによって第１ＵＥ−ＡＭＢＲを計算し得る。代替的に、二次基地局は、第１ＵＥ−ＡＭＢＲ及び第２ＵＥ−ＡＭＢＲの両方をマスタ基地局へ送信してもよい。
【００５０】
本願の第４の態様で提供される伝送レート制御方法では、二次基地局が、マスタ基地局からＵＥ−ＡＭＢＲを受信し、ＵＥ−ＡＭＢＲに基づいて、マスタ基地局のために使用される第１ＵＥ−ＡＭＢＲと、二次基地局のために使用される第２ＵＥ−ＡＭＢＲとを決定し、第１ＵＥ−ＡＭＢＲ及び／又は第２ＵＥ−ＡＭＢＲをマスタ基地局へ送信し、それにより、マスタ基地局は第１ＵＥ−ＡＭＢＲを取得し、第１ＵＥ−ＡＭＢＲに基づいてマスタ基地局とＵＥとの間の伝送レートを制御して、マスタ基地局でのＵＥの全てのｎｏｎ−ＧＢＲサービスのレートの和が第１ＵＥ−ＡＭＢＲの限度を超えないことを確かにする。その上、二次基地局は、第２ＵＥ−ＡＭＢＲに基づいて二次基地局とＵＥとの間の伝送レートを制御して、二次基地局でのＵＥのｎｏｎ−ＧＢＲサービスのレートの和が第２ＵＥ−ＡＭＢＲを超えないことを確かにする。
【００５１】
任意に、当該方法は、
前記マスタ基地局によって、参照情報を前記二次基地局へ送信することを更に含み、前記参照情報は、
ユーザ装置ＵＥによってサポートされる全ての無保証ビットレートｎｏｎ−ＧＢＲサービスに関する情報、又は
マスタセルグループベアラに対応するｎｏｎ−ＧＢＲサービスに関する情報
を含む。
【００５２】
任意に、前記ｎｏｎ−ＧＢＲサービスに関する前記情報は、次の組み合わせ：
ｎｏｎ−ＧＢＲサービスの量、又は
前記ｎｏｎ−ＧＢＲサービスに対応するクオリティ・オブ・サービスクラス識別子ＱＣＩ、又は
前記ｎｏｎ−ＧＢＲサービスに対応する無線アクセスベアラ識別子、又は
前記ｎｏｎ−ＧＢＲサービスに対応する割り当て／維持優先度ＡＲＰ
のうちの少なくとも１つを含む。
【００５３】
この解決法では、参照情報において、ＵＥの全てのｎｏｎ−ＧＢＲサービスは、マスタ基地局で個別に負担される全てのｎｏｎ−ＧＢＲサービスであり、マスタ基地局で負担されるｎｏｎ−ＧＢＲサービスに対応するＱＣＩは、マスタ基地局で個別に負担されるｎｏｎ−ＧＢＲサービスに対応するＱＣＩである。マスタ基地局は、参照情報を二次基地局へ送信し、二次基地局は、参照情報に基づいて、マスタ基地局で個別に負担されるｎｏｎ−ＧＢＲサービスに関する情報を知り得る。この場合に、二次基地局は、参照情報及びＵＥ−ＡＭＢＲに基づいて第１ＵＥ−ＡＭＢＲ及び第２ＵＥ−ＡＭＢＲを決定する。
【００５４】
本願の第５の態様は、伝送レート制御方法であって、
マスタ基地局によって、ユーザ装置集約最大ビットレートＵＥ−ＡＭＢＲを取得することと、
前記マスタ基地局によって、二次基地局のベアラタイプを決定し、前記ＵＥ−ＡＭＢＲに基づいて、前記二次基地局のために使用される第２ＵＥ−ＡＭＢＲを決定し、該第２ＵＥ−ＡＭＢＲは、前記二次基地局によって、該二次基地局の前記ベアラタイプに基づいて端末伝送レートを制御するために使用される、ことと、
前記マスタ基地局によって、前記第２ＵＥ−ＡＭＢＲ及び前記二次基地局の前記ベアラタイプを前記二次基地局へ送信することと
を含む方法を提供する。
【００５５】
本願の第５の態様で提供される伝送レート制御方法では、マスタ基地局がＵＥ−ＡＭＢＲを取得し、二次基地局のベアラタイプを決定し、ＵＥ−ＡＭＢＲ及びベアラタイプに基づいて、マスタ基地局のために使用される第１ＵＥ−ＡＭＢＲと、二次基地局のために使用される第２ＵＥ−ＡＭＢＲとを決定するとともに、マスタ基地局は、第２ＵＥ−ＡＭＢＲ及びベアラタイプを二次基地局へ送信してよく、そして、二次基地局は、ベアラタイプに基づいてＵＥ伝送レートを制御する。
【００５６】
具体的に、前記二次基地局の前記ベアラタイプが二次セルグループベアラ（SCG  bearer）のみを含む場合に、
前記第２ＵＥ−ＡＭＢＲが、前記二次基地局によって、該二次基地局の前記ベアラタイプに基づいて端末伝送レートを制御するために使用されることは、
前記二次基地局が、前記第２ＵＥ−ＡＭＢＲに基づいて前記二次基地局とＵＥとの間の伝送レートを制御することを含む。
【００５７】
任意に、前記二次基地局の前記ベアラタイプが前記二次基地局にアンカーされた分割ベアラ（SCG  split  bearer）のみを含む場合に、
前記第２ＵＥ−ＡＭＢＲが、前記二次基地局によって、該二次基地局の前記ベアラタイプに基づいて端末伝送レートを制御するために使用されることは、
ダウンリンク上で、前記第２ＵＥ−ＡＭＢＲに基づいて、前記二次基地局が、該二次基地局と前記ＵＥとの間にある、前記二次基地局にアンカーされた前記分割ベアラのダウンリンク伝送レートを制御し、且つ、前記マスタ基地局と前記ＵＥとの間にある、前記二次基地局にアンカーされた前記分割ベアラのダウンリンク伝送レートを制御すること、又は
アップリンク上で、前記二次基地局がアップリンク分割データを送信するよう構成されるときに、前記二次基地局が、前記第２ＵＥ−ＡＭＢＲに基づいて、前記二次基地局と前記ＵＥとの間にある、前記二次基地局にアンカーされた前記分割ベアラのアップリンク伝送レートを制御すること
を含む。
【００５８】
任意に、前記二次基地局の前記ベアラタイプが二次セルグループベアラ（SCG  bearer）及び前記二次基地局にアンカーされた分割ベアラ（SCG  split  bearer）を含む場合に、
前記第２ＵＥ−ＡＭＢＲが、前記二次基地局によって、該二次基地局の前記ベアラタイプに基づいて端末伝送レートを制御するために使用されることは、
ダウンリンク上で、前記第２ＵＥ−ＡＭＢＲに基づいて、前記二次基地局が、該二次基地局とＵＥとの間にある、前記二次セルグループベアラ及び前記二次基地局にアンカーされた前記分割ベアラのダウンリンク伝送レートを制御し、且つ、前記マスタ基地局と前記ＵＥとの間にある、前記二次基地局にアンカーされた前記分割ベアラのダウンリンク伝送レートを制御すること、又は
アップリンク上で、前記二次基地局がアップリンク分割データを送信するよう構成されるときに、前記二次基地局が、前記第２ＵＥ−ＡＭＢＲに基づいて、前記二次基地局と前記ＵＥとの間にある、前記二次セルグループベアラ及び前記二次基地局にアンカーされた前記分割ベアラのアップリンク伝送レートを制御すること
を含む。
【００５９】
本願の実施形態の第６の態様は、通信装置を提供する。当該装置は、第１の態様又は該第１の態様の実施のうちのいずれか１つで提供される方法を実行するよう構成されたユニット又は手段（means）を含む。
【００６０】
本願の実施形態の第７の態様は、通信装置を提供する。当該装置は、第２の態様又は該第２の態様の実施のうちのいずれか１つで提供される方法を実行するよう構成されたユニット又は手段（means）を含む。
【００６１】
本願の実施形態の第８の態様は、通信装置を提供する。当該装置は、第３の態様又は該第３の態様の実施のうちのいずれか１つで提供される方法を実行するよう構成されたユニット又は手段（means）を含む。
【００６２】
本願の実施形態の第９の態様は、通信装置を提供する。当該装置は、第４の態様又は該第４の態様の実施のうちのいずれか１つで提供される方法を実行するよう構成されたユニット又は手段（means）を含む。
【００６３】
本願の実施形態の第１０の態様は、通信装置を提供する。当該装置は、第５の態様又は該第５の態様の実施のうちのいずれか１つで提供される方法を実行するよう構成されたユニット又は手段（means）を含む。
【００６４】
本願の実施形態の第１１の態様は、通信装置を提供する。当該装置は、プロセッサ及びメモリを含み、前記メモリは、命令を記憶するよう構成され、前記プロセッサは、前記メモリに記憶されている前記命令を呼び出して、本願の第１の態様で提供される方法を実行する。当該通信装置は基地局チップであってよい。
【００６５】
本願の実施形態の第１２の態様は、通信装置を提供する。当該装置は、プロセッサ及びメモリを含み、前記メモリは、命令を記憶するよう構成され、前記プロセッサは、前記メモリに記憶されている前記命令を呼び出して、本願の第２の態様で提供される方法を実行する。当該通信装置は基地局チップであってよい。
【００６６】
本願の実施形態の第１３の態様は、通信装置を提供する。当該装置は、プロセッサ及びメモリを含み、前記メモリは、命令を記憶するよう構成され、前記プロセッサは、前記メモリに記憶されている前記命令を呼び出して、本願の第３の態様で提供される方法を実行する。当該通信装置は基地局チップであってよい。
【００６７】
本願の実施形態の第１４の態様は、通信装置を提供する。当該装置は、プロセッサ及びメモリを含み、前記メモリは、命令を記憶するよう構成され、前記プロセッサは、前記メモリに記憶されている前記命令を呼び出して、本願の第４の態様で提供される方法を実行する。当該通信装置は基地局チップであってよい。
【００６８】
本願の実施形態の第１５の態様は、通信装置を提供する。当該装置は、プロセッサ及びメモリを含み、前記メモリは、命令を記憶するよう構成され、前記プロセッサは、前記メモリに記憶されている前記命令を呼び出して、本願の第５の態様で提供される方法を実行する。当該通信装置は基地局チップであってよい。
【００６９】
本願の実施形態の第１６の態様は、第１の態様における方法を実行するよう構成された少なくとも１つのプロセッシング素子（又はチップ）を含む基地局を提供する。当該基地局は、端末のマスタ基地局として機能してよい。
【００７０】
本願の実施形態の第１７の態様は、第２の態様における方法を実行するよう構成された少なくとも１つのプロセッシング素子（又はチップ）を含む基地局を提供する。当該基地局は、端末の二次基地局として機能してよい。
【００７１】
本願の実施形態の第１８の態様は、第３の態様における方法を実行するよう構成された少なくとも１つのプロセッシング素子（又はチップ）を含む基地局を提供する。当該基地局は、端末の二次基地局として機能してよい。
【００７２】
本願の実施形態の第１９の態様は、第４の態様における方法を実行するよう構成された少なくとも１つのプロセッシング素子（又はチップ）を含む基地局を提供する。当該基地局は、端末のマスタ基地局として機能してよい。
【００７３】
本願の実施形態の第２０の態様は、第５の態様における方法を実行するよう構成された少なくとも１つのプロセッシング素子（又はチップ）を含む基地局を提供する。当該基地局は、端末のマスタ基地局として機能してよい。
【００７４】
本願の実施形態の第２１の態様は、伝送レート制御プログラムを提供し、プロセッサによって実行される場合に、当該プログラムは、第１の態様における方法を実行するために使用される。
【００７５】
本願の実施形態の第２２の態様は、第２１の態様におけるプログラムを含むプログラム製品、例えば、コンピュータ可読記憶媒体を提供する。
【００７６】
本願の実施形態の第２３の態様は、伝送レート制御プログラムを提供し、プロセッサによって実行される場合に、当該プログラムは、第２の態様における方法を実行するために使用される。
【００７７】
本願の実施形態の第２４の態様は、第２３の態様におけるプログラムを含むプログラム製品、例えば、コンピュータ可読記憶媒体を提供する。
【００７８】
本願の実施形態の第２５の態様は、伝送レート制御プログラムを提供し、プロセッサによって実行される場合に、当該プログラムは、第３の態様における方法を実行するために使用される。
【００７９】
本願の実施形態の第２６の態様は、第２５の態様におけるプログラムを含むプログラム製品、例えば、コンピュータ可読記憶媒体を提供する。
【００８０】
本願の実施形態の第２７の態様は、伝送レート制御プログラムを提供し、プロセッサによって実行される場合に、当該プログラムは、第４の態様における方法を実行するために使用される。
【００８１】
本願の実施形態の第２８の態様は、第２７の態様におけるプログラムを含むプログラム製品、例えば、コンピュータ可読記憶媒体を提供する。
【００８２】
本願の実施形態の第２９の態様は、伝送レート制御プログラムを提供し、プロセッサによって実行される場合に、当該プログラムは、第５の態様における方法を実行するために使用される。
【００８３】
本願の実施形態の第３０の態様は、第２９の態様におけるプログラムを含むプログラム製品、例えば、コンピュータ可読記憶媒体を提供する。
【００８４】
上記の第１の態様では、第２ＵＥ−ＡＭＢＲを決定した後に、マスタ基地局が第２ＵＥ−ＡＭＢＲを二次基地局へ送信し、そして、第２ＵＥ−ＡＭＢＲを取得した後に、二次基地局が第２ＵＥ−ＡＭＢＲに基づいて二次基地局とＵＥとの間の伝送レートを制御して、二次基地局でのＵＥの全てのｎｏｎ−ＧＢＲサービスの和が第２ＵＥ−ＡＭＢＲの限度を超えないことを確かにする。その上、二次基地局にアンカーされた分割ベアラ（SCG  split  bearer）がマスタ基地局に存在する場合に、マスタ基地局は指示情報を二次基地局へ更に送信し、二次基地局は、受信された指示情報に基づいて、マスタ基地局へ分割データを送信するレートを制御する。
【００８５】
上記の第２の態様では、第２ＵＥ−ＡＭＢＲを決定した後に、マスタ基地局が第２ＵＥ−ＡＭＢＲを二次基地局へ送信し、そして、第２ＵＥ−ＡＭＢＲを取得した後に、二次基地局が第２ＵＥ−ＡＭＢＲに基づいて二次基地局とＵＥとの間の伝送レートを制御して、二次基地局でのＵＥの全てのｎｏｎ−ＧＢＲサービスの和が第２ＵＥ−ＡＭＢＲの限度を超えないことを確かにする。その上、二次基地局にアンカーされた分割ベアラ（SCG  split  bearer）がマスタ基地局に存在する場合に、マスタ基地局は指示情報を二次基地局へ更に送信し、二次基地局は、受信された指示情報に基づいて、マスタ基地局へ分割データを送信するレートを制御する。
【００８６】
上記の第３の態様では、二次基地局が、マスタ基地局からＵＥ−ＡＭＢＲを受信し、ＵＥ−ＡＭＢＲに基づいて、マスタ基地局のために使用される第１ＵＥ−ＡＭＢＲと、二次基地局のために使用される第２ＵＥ−ＡＭＢＲとを決定し、第１ＵＥ−ＡＭＢＲ及び／又は第２ＵＥ−ＡＭＢＲをマスタ基地局へ送信し、それにより、マスタ基地局は第１ＵＥ−ＡＭＢＲを取得し、第１ＵＥ−ＡＭＢＲに基づいてマスタ基地局とＵＥとの間の伝送レートを制御して、マスタ基地局でのＵＥの全てのｎｏｎ−ＧＢＲサービスのレートの和が第１ＵＥ−ＡＭＢＲの限度を超えないことを確かにする。その上、二次基地局は、第２ＵＥ−ＡＭＢＲに基づいて二次基地局とＵＥとの間の伝送レートを制御して、二次基地局でのＵＥのｎｏｎ−ＧＢＲサービスのレートの和が第２ＵＥ−ＡＭＢＲを超えないことを確かにする。
【００８７】
上記の第４の態様では、二次基地局が、マスタ基地局からＵＥ−ＡＭＢＲを受信し、ＵＥ−ＡＭＢＲに基づいて、マスタ基地局のために使用される第１ＵＥ−ＡＭＢＲと、二次基地局のために使用される第２ＵＥ−ＡＭＢＲとを決定し、第１ＵＥ−ＡＭＢＲ及び／又は第２ＵＥ−ＡＭＢＲをマスタ基地局へ送信し、それにより、マスタ基地局は第１ＵＥ−ＡＭＢＲを取得し、第１ＵＥ−ＡＭＢＲに基づいてマスタ基地局とＵＥとの間の伝送レートを制御して、マスタ基地局でのＵＥの全てのｎｏｎ−ＧＢＲサービスのレートの和が第１ＵＥ−ＡＭＢＲの限度を超えないことを確かにする。その上、二次基地局は、第２ＵＥ−ＡＭＢＲに基づいて二次基地局とＵＥとの間の伝送レートを制御して、二次基地局でのＵＥのｎｏｎ−ＧＢＲサービスのレートの和が第２ＵＥ−ＡＭＢＲを超えないことを確かにする。
【００８８】
上記の第５の態様では、マスタ基地局がＵＥ−ＡＭＢＲを取得し、二次基地局のベアラタイプを決定し、ＵＥ−ＡＭＢＲ及びベアラタイプに基づいて、マスタ基地局のために使用される第１ＵＥ−ＡＭＢＲと、二次基地局のために使用される第２ＵＥ−ＡＭＢＲとを決定するとともに、マスタ基地局は、第２ＵＥ−ＡＭＢＲ及びベアラタイプを二次基地局へ送信してよい。二次基地局は、第２ＵＥ−ＡＭＢＲ及びベアラタイプに基づいて、二次基地局とＵＥとの間の伝送レートを制御してよく、マスタ基地局は、第１ＵＥ−ＡＭＢＲに基づいて、マスタ基地局とＵＥとの間の伝送レートを制御する。
【図面の簡単な説明】
【００８９】
【図１】ＤＣシステムのアーキテクチャ図である。
【図２ａ】本願の実施形態に従うＤＲＢの概略図である。
【図２ｂ】本願の実施形態に従うＤＲＢの他の概略図である。
【図２ｃ】本願の実施形態に従うＤＲＢの更なる他の概略図である。
【図３】本願に従う伝送レート制御方法の実施形態１のシグナリングフローチャートである。
【図４】本願に従う伝送レート制御方法の実施形態２のシグナリングフローチャートである。
【図５】本願に従う伝送レート制御方法の実施形態３のシグナリングフローチャートである。
【図６】本願に従う伝送レート制御方法の実施形態４のシグナリングフローチャートである。
【図７】本願に従う通信装置の実施形態１の略構造図である。
【図８】本願に従う通信装置の実施形態２の略構造図である。
【図９】本願に従う通信装置の実施形態３の略構造図である。
【図１０】本願に従う通信装置の実施形態４の略構造図である。
【図１１】本願に従う通信装置の実施形態５の略構造図である。
【図１２】本願の実施形態に従う基地局の略構造図である。
【発明を実施するための形態】
【００９０】
当業者がより良い理解を助けるために、以下で、本願中のいくつかの用語が説明される。
【００９１】
（１）．ＵＥは、モバイル端末（mobile  terminal）、モバイルユーザ装置、などとも呼ばれることがあり、無線アクセスネットワーク（例えば、ＲＡＮ，radio  access  network）を通じて１以上のコアネットワークと通信し得る。ユーザ装置は、携帯電話機（“セルラー”電話機とも呼ばれる。）のようなモバイル端末、又はモバイル端末を伴ったコンピュータであってよい。例えば、ユーザ装置は、無線アクセスネットワークと音声及び／又はデータを交換する携帯型モバイル機器、ポケットサイズ型モバイル機器、手持ち式モバイル機器、コンピュータ内蔵型モバイル機器、又は車載型モバイル機器であってよい。
【００９２】
（２）．基地局は、ＧＳＭ又はＣＤＭＡにおけるベーストランシーバ局（ＢＴＳ，base  transceiver  station）であっても、ＷＣＤＭＡにおけるＮｏｄｅＢ（NodeB）であっても、ＬＴＥにおけるエボルブドＮｏｄｅＢ（ｅＮｏｄｅＢ、ｅＮＢ又はｅ−ＮｏｄｅＢ，evolved  NodeB）であっても、ＮＲにおける送信／受信ポイント（transmission/reception  point，略してＴＲＰ）、ｇＮＢ、ＴＰ（transmission  point，送信ポイント）、中央集権的ユニット（centralized  unit，略してＣＵ）、又は分散型ユニット（distributed  unit，略してＤＵ）であっても、あるいは、第５世代（5th  generation，５Ｇ）ネットワークにおけるノード（Node）、などであってもよい。これは、本願において制限されない。
【００９３】
（３）．本願におけるユニットは、機能ユニット又は論理ユニットである。ユニットは、ソフトウェアの形をとってよく、ユニットの機能は、プロセッサがプログラムコードを実行することによって実装される。代替的に、ユニットは、ハードウェアの形をとってもよい。
【００９４】
（４）．「複数の〜」は２以上を意味し、他の限量詞はこれと同様である。語「及び／又は」は、関連するオブジェクト間の関連関係を記載し、３つの関係が存在する可能性があることを表す。例えば、Ａ及び／又はＢは、次の３つの場合：Ａのみが存在する，Ａ及びＢの両方が存在する，Ｂのみが存在する、を表す可能性がある。文字「／」は、一般に、関連したオブジェクト間の“論理和”関係を示す。「〜よりも上」、「〜よりも下」、などを使用することによって記載される範囲は、境界点を含む。
【００９５】
本願の実施形態で提供される伝送レート制御方法は、ＤＣシステムシナリオに適用されてよい。図１は、ＤＣシステムのアーキテクチャ図である。図１に示されるように、システムは、２つの基地局：基地局０及び基地局１、を含む。基地局０は、ＵＥのマスタ基地局として機能してよく、基地局１は、ＵＥの二次基地局として機能してよい。代替的に、基地局０が、ＵＥの二次基地局として機能してもよく、基地局１が、ＵＥのマスタ基地局として機能してもよい。これは、本願において制限されない。ＤＣシステムでは、基地局０及び基地局１の両方がＵＥにサービスを提供する。
【００９６】
本願の実施形態では、マスタ基地局がＬＴＥ基地局であり、二次基地局がＮＲ基地局であるところの例が、説明のために使用される。確かに、実際の応用では、マスタ基地局はＮＲ基地局であってもよく、二次基地局はＬＴＥ基地局であってもよい。代替的に、マスタ基地局及び二次基地局の両方がＮＲ基地局などであってもよい。これは、本願の実施形態において特に制限されない。
【００９７】
本願の実施形態において、ＤＲＢは、端末と基地局との間のデータ無線ベアラであり、基地局と端末との間で送信されるデータを運ぶために使用される。図２ａは、本願の実施形態に従うＤＲＢの概略図であり、図２ｂは、本願の実施形態に従うＤＲＢの他の概略図であり、図２ｃは、本願の実施形態に従うＤＲＢの更なる他の概略図である。図２ａ乃至図２ｃからは、本願の実施形態で提供されるＤＲＢタイプがマスタセルグループベアラ（MCG  bearer）、二次セルグループベアラ（SCG  bearer）、及び分割ベアラ（split  bearer）を含むことが分かる。分割ベアラは、マスタ基地局にアンカーされたデータを有する分割ベアラと、二次基地局にアンカーされたデータを有する分割ベアラとを更に含む。マスタ基地局にアンカーされたデータを有する分割ベアラは、マスタセルグループ分割ベアラ（MCG  split  bearer）と呼ばれることがあり、二次基地局にアンカーされたデータを有する分割ベアラは、二次セルグループ分割ベアラ（SCG  split  bearer）と呼ばれることがある。
【００９８】
具体的に、MCG  bearerは、マスタ基地局の伝送資源を使用するために、マスタ基地局にのみ特化したエアインターフェイスプロトコルを有するベアラである。従って、MCG  bearerでのアップリンク又はダウンリンクデータは、マスタ基地局を通じてしか伝送されない。SCG  bearerは、二次基地局の伝送資源を使用するために、二次基地局にのみ特化したエアインターフェイスプロトコルを有するベアラである。従って、SCG  bearerでのアップリンク又はダウンリンクデータは、二次基地局を通じてしか伝送されない。split  bearerは、マスタ基地局の伝送資源及び二次基地局の伝送資源の両方を使用するために、マスタ基地局及び二次基地局の両方に特化したエアインターフェイスプロトコルを有するベアラである。従って、マスタ基地局及び二次基地局の両方が、端末でデータを伝送し得る。更に、split  bearerに関して、MCG  split  bearerが使用される場合に、ダウンリンク方向では、マスタ基地局のパケット・データ・コンバージェンス・プロトコル（Packet  Data  Convergence  Protocol，ＰＤＣＰ）層が、二次基地局のために、コアネットワークによって配信されたダウンリンクデータを分割し、二次基地局は、分割されたダウンリンクデータを端末へ送信し、アップリンク方向では、分割がアップリンク方向でサポートされる場合に、マスタ基地局及び二次基地局は別々に端末からアップリンクデータを受信し、二次基地局は、受信されたアップリンクデータをマスタ基地局へ送信し、マスタ基地局は、マスタ基地局及び二次基地局によって別々に受信されたアップリンクデータを再順序付けし、次いで、順次に、受信されたデータをコアネットワークへ送信する。SCG  split  bearerが使用される場合に、ダウンリンク方向では、二次基地局のＰＤＣＰ層が、マスタ基地局のために、コアネットワークによって配信されたダウンリンクデータを分割し、マスタ基地局は、分割されたダウンリンクデータを端末へ送信し、アップリンク方向では、分割がアップリンク方向でサポートされる場合に、マスタ基地局及び二次基地局は別々に端末からアップリンクデータを受信し、マスタ基地局は、受信されたアップリンクデータを二次基地局へ送信し、二次基地局は、マスタ基地局及び二次基地局によって別々に受信されたアップリンクデータを再順序付けし、次いで、順次に、受信されたデータをコアネットワークへ送信する。MCG  bearer及びSCG  bearerに関して、マスタ基地局で伝送されるデータと、二次基地局で伝送されるデータとは、異なるサービスに属することが理解され得る。例えば、音声サービスデータは、マスタ基地局で伝送され、映像サービスデータは、二次基地局で伝送される。split  bearerに関して、マスタ基地局で伝送されるデータと、二次基地局で伝送されるデータとは、同じタイプのサービスの異なるデータである。これは、本願の実施形態において制限されない。
【００９９】
ＵＥのｎｏｎ−ＧＢＲサービスが負担するデータトラフィックの具体的な制御を実装するために、ＵＥ−ＡＭＢＲの概念が通信システムに導入される。ＵＥ−ＡＭＢＲは、１つのＵＥによってサポートされる全てのｎｏｎ−ＧＢＲサービスのレートの和に対してセットされる上限である。このパラメータは、モビリティ管理エンティティ（Mobility  Management  Entity，略してＭＭＥ）によって決定される。ＤＣシステムでは、基地局０及び基地局１の両方がＵＥにサービスを提供するので、ＵＥ−ＡＭＢＲは、２つの基地局でのＵＥの全てのｎｏｎ−ＧＢＲサービスのレートの和、すなわち、基地局０とＵＥとの間及び基地局１とＵＥとの間の全てのｎｏｎ−ＧＢＲサービスの伝送レートの和を、ＵＥ−ＡＭＢＲよりも大きくない値に制限するために、使用される。
【０１００】
更に、ＵＥと基地局０及び基地局１の夫々との間には複数のデータ搬送方法がある。異なるデータ搬送方法において、基地局０及び基地局１の夫々は、基地局０及び基地局１の夫々とＵＥとの間の伝送レートを異なる方法で制御する。例えば、ＵＥ−ＡＭＢＲは、基地局０のために使用されるＵＥ−ＡＭＢＲ１と、基地局１のために使用されるＵＥ−ＡＭＢＲ２とに分けられる。ＵＥ−ＡＭＢＲ１は、アップリンクＵＥ−ＡＭＢＲ１及びダウンリンクＵＥ−ＡＭＢＲ１を更に含む。同様に、ＵＥ−ＡＭＢＲ２は、アップリンクＵＥ−ＡＭＢＲ２及びダウンリンクＵＥ−ＡＭＢＲ２を更に含む。基地局０にはMCG  bearer及びSCG  split  bearerが存在し、基地局１にはSCG  split  bearerのみが存在すると仮定される。この場合に、ＵＥの全てのｎｏｎ−ＧＢＲサービスのレートの和をＡＭＢＲを超えないように制御する３つの方法がある。
【０１０１】
方法１：基地局０は、ダウンリンクＵＥ−ＡＭＢＲ１に基づいて、基地局０とＵＥとの間にある、MCG  bearer及びSCG  split  bearerのダウンリンク伝送レートを制御する。基地局１は、ダウンリンクＵＥ−ＡＭＢＲ２に基づいて、基地局１とＵＥとの間にある、SCG  split  bearerのダウンリンク伝送レートを制御する。基地局０がアップリンク分割データを送信するよう構成される場合に、基地局０は、アップリンクＵＥ−ＡＭＢＲ１に基づいて、基地局０とＵＥとの間にある、MCG  bearer及びSCG  split  bearerのアップリンク伝送レートを制御する。基地局１がアップリンク分割データを送信するよう構成される場合に、基地局１は、アップリンクＵＥ−ＡＭＢＲ２に基づいて、基地局１とＵＥとの間にある、SCG  split  bearerのアップリンク伝送レートを制御する。
【０１０２】
方法２：基地局０は、ダウンリンクＵＥ−ＡＭＢＲ１に基づいて、基地局０とＵＥとの間にある、MCG  bearerのダウンリンク伝送レートを制御する。基地局１は、ダウンリンクＵＥ−ＡＭＢＲ２に基づいて、基地局０とＵＥとの間及び基地局１とＵＥとの間に夫々ある、SCG  split  bearerのダウンリンク伝送レートを制御する。基地局０がアップリンク分割データを送信するよう構成される場合に、基地局０は、アップリンクＵＥ−ＡＭＢＲ１に基づいて、基地局０とＵＥとの間にある、MCG  bearer及びSCG  split  bearerのアップリンク伝送レートを制御する。基地局１がアップリンク分割データを送信するよう構成される場合に、基地局１は、アップリンクＵＥ−ＡＭＢＲ２に基づいて、基地局１とＵＥとの間にある、SCG  split  bearerのアップリンク伝送レートを制御する。
【０１０３】
方法３：基地局０のために使用されるＵＥ−ＡＭＢＲ１は、MCG  bearerのために使用されるＵＥ−ＡＭＢＲ３と、SCG  split  bearerのために使用されるＵＥ−ＡＭＢＲ４とに更に分けられる。全てのＵＥ−ＡＭＢＲ１が、アップリンクＵＥ−ＡＭＢＲ及びダウンリンクＵＥ−ＡＭＢＲを更に含む。基地局０は、ダウンリンクＵＥ−ＡＭＢＲ３に基づいて、基地局０とＵＥとの間にある、MCG  bearerのダウンリンク伝送レートを制御する。基地局１は、ダウンリンクＵＥ−ＡＭＢＲ４に基づいて、基地局０とＵＥとの間にある、SCG  split  bearerのダウンリンク伝送レートを制御する。基地局１は、ダウンリンクＵＥ−ＡＭＢＲ２に基づいて、基地局１とＵＥとの間にある、SCG  split  bearerのダウンリンク伝送レートを制御する。基地局０がアップリンク分割データを送信するよう構成される場合に、基地局０は、アップリンクＵＥ−ＡＭＢＲ３及びアップリンクＵＥ−ＡＭＢＲ４に基づいて、基地局０とＵＥとの間にある、MCG  bearer及びSCG  split  bearerのアップリンク伝送レートを制御する。基地局１がアップリンク分割データを送信するよう構成される場合に、基地局１は、アップリンクＵＥ−ＡＭＢＲ２に基づいて、基地局１とＵＥとの間にある、SCG  split  bearerのアップリンク伝送レートを制御する。
【０１０４】
従って、本願の実施形態で提供される伝送レート制御方法及びデバイスは、ＤＣシステムにおいて夫々の基地局とＵＥとの間の伝送レートを制御するようにＵＥ−ＡＭＢＲを如何にして割り当てるべきかという技術的課題を解決することを目的とする。
【０１０５】
以下は、具体的な実施形態を使用することによって、本願の技術的解決法を詳細に記載する。次のいくつかの具体的な実施形態は、互いに組み合わされてよく、同じ又は同様の概念又はプロセスは、いくつかの実施形態において繰り返し記載されないことがある。
【０１０６】
更に、本願の実施形態における方法は、図１に示される適用シナリオに制限されないことが留意されるべきである。実際の応用では、方法は、マルチコネクティビティシステムにも適用されてよい。具体的に言えば、複数の基地局が存在してよい。複数の基地局が存在する場合に、具体的な実施原理及び実施プロセスは、ＤＣシステムにおけるそれらと同様であり、詳細は、ここで再び記載されない。
【０１０７】
図３は、本願に従う伝送レート制御方法の実施形態１のシグナリングフローチャートである。図１に示されるシステムアーキテクチャに基づいて、図３に示されるように、この実施形態における方法は、次のステップを含んでよい。
【０１０８】
ステップ３０１：マスタ基地局がＵＥ−ＡＭＢＲを取得する。
【０１０９】
本願のこの実施形態では、マスタ基地局とコアネットワークとの間に制御プレーン接続が存在する。従って、マスタ基地局は、コアネットワークからＵＥ−ＡＭＢＲを取得し得る。例えば、マスタ基地局がＬＴＥ基地局である場合に、マスタ基地局は、コアネットワークのＭＭＥからＵＥ−ＡＭＢＲを取得してよく、ＵＥ−ＡＭＢＲは、０ｂｉｔ／ｓから１０１０ｂｉｔ／ｓの任意の値であってよい。
【０１１０】
ステップ３０２：マスタ基地局が、ＵＥ−ＡＭＢＲに基づいて、マスタ基地局のために使用される第１ＵＥ−ＡＭＢＲと、二次基地局のために使用される第２ＵＥ−ＡＭＢＲとを決定する。
【０１１１】
この実施形態では、ＵＥ−ＡＭＢＲを取得した後、マスタ基地局は、ＵＥ−ＡＭＢＲに基づいて第１ＵＥ−ＡＭＢＲ及び第２ＵＥ−ＡＭＢＲを決定する。マスタ基地局は、第１ＵＥ−ＡＭＢＲに基づいてマスタ基地局とＵＥとの間の伝送レートを制御し、二次基地局は、第２ＵＥ−ＡＭＢＲに基づいて二次基地局とＵＥとの間の伝送レートを制御する。第１ＵＥ−ＡＭＢＲは、アップリンク第１ＵＥ−ＡＭＢＲ及びダウンリンク第１ＵＥ−ＡＭＢＲを更に含んでよい。同様に、第２ＵＥ−ＡＭＢＲは、アップリンク第２ＵＥ−ＡＭＢＲ及びダウンリンク第２ＵＥ−ＡＭＢＲを更に含む。
【０１１２】
更に、第１ＵＥ−ＡＭＢＲと第２ＵＥ−ＡＭＢＲとの和は、ＵＥ−ＡＭＢＲに等しくても、あるいは、ＵＥ−ＡＭＢＲよりも小さくてもよい。例えば、ＵＥ−ＡＭＢＲの６０％が第１ＵＥ−ＡＭＢＲとして決定されてよく、すなわち、ＵＥ−ＡＭＢＲの６０％が、使用のためにマスタ基地局へ割り当てられ、そして、ＵＥ−ＡＭＢＲの４０％が第２ＵＥ−ＡＭＢＲとして決定されてよく、すなわち、ＵＥ−ＡＭＢＲの４０％が、使用のために二次基地局へ割り当てられる。この場合に、第１ＵＥ−ＡＭＢＲと第２ＵＥ−ＡＭＢＲとの和はＵＥ−ＡＭＢＲに等しい。確かに、ＵＥ−ＡＭＢＲの６０％が使用のためにマスタ基地局へ割り当てられてよく、ＵＥ−ＡＭＢＲの２０％が使用のために二次基地局へ割り当てられてもよい。この場合に、第１ＵＥ−ＡＭＢＲと第２ＵＥ−ＡＭＢＲとの和はＵＥ−ＡＭＢＲよりも小さい。実際の応用では、マスタ基地局は、第１ＵＥ−ＡＭＢＲ及び第２ＵＥ−ＡＭＢＲをランダムに決定しても、マスタ基地局のネットワーク資源ステータス情報に基づいて第１ＵＥ−ＡＭＢＲ及び第２ＵＥ−ＡＭＢＲを決定しても、あるいは、具体的な適用シナリオに基づいて第１ＵＥ−ＡＭＢＲ及び第２ＵＥ−ＡＭＢＲを決定してもよい。ネットワーク資源ステータス情報は、例えば、エアインターフェイスリンクステータス及び負荷情報を含んでよい。
【０１１３】
ステップ３０３：マスタ基地局が第２ＵＥ−ＡＭＢＲを二次基地局へ送信する。
【０１１４】
この実施形態では、マスタ基地局は、第２ＵＥ−ＡＭＢＲを二次基地局へ送信し、更には、アップリンク第２ＵＥ−ＡＭＢＲ及びダウンリンク第２ＵＥ−ＡＭＢＲを二次基地局へ送信する。
【０１１５】
ステップ３０４：マスタ基地局が、二次基地局に対して、二次基地局にマスタ基地局のためのデータ分割を制御するように指示するために使用される指示情報を送信する。
【０１１６】
この実施形態では、第２ＵＥ−ＡＭＢＲを決定した後に、マスタ基地局が第２ＵＥ−ＡＭＢＲを二次基地局へ送信し、そして、第２ＵＥ−ＡＭＢＲを取得した後に、二次基地局が第２ＵＥ−ＡＭＢＲに基づいて二次基地局とＵＥとの間の伝送レートを制御する。具体的に、二次基地局とＵＥとの間の伝送レートは、二次基地局でのＵＥの全てのｎｏｎ−ＧＢＲサービスの和が第２ＵＥ−ＡＭＢＲの限度を超えないことを確かにするように、ＵＥに割り当てられる資源を制御することによって、制御されてよい。その上、二次基地局にアンカーされた分割ベアラ（SCG  split  bearer）がマスタ基地局に存在する場合に、マスタ基地局は指示情報を二次基地局へ更に送信し、二次基地局は、受信された指示情報に基づいて、マスタ基地局へ分割データを送信するレートを制御する。
【０１１７】
ステップ３０３及びステップ３０４が実行される上記の順序は、単なる例であることが理解され得る。ステップ３０３及びステップ３０４は、特にこれという順序でなく実行される。ステップ３０３は、ステップ３０４の前に実行されてもよく、ステップ３０４は、ステップ３０３の前に実行されてもよく、あるいは、２つのステップは、同時に実行されてもよい。これは、本願のこの実施形態において特に制限されない。
【０１１８】
更に、マスタ基地局は、第２ＵＥ−ＡＭＢＲをシグナリング又はメッセージに付加することによって、第２ＵＥ−ＡＭＢＲを二次基地局へ送信してもよい。例えば、マスタ基地局は、第２ＵＥ−ＡＭＢＲを二次基地局追加要求（SgNB  Addition  Request）メッセージ又は二次基地局変更要求（SgNB  Modification  Request）メッセージに付加してよい。代替的に、マスタ基地局は、第２ＵＥ−ＡＭＢＲを他の専用のメッセージに付加すること、などによって、第２ＵＥ−ＡＭＢＲを二次基地局へ送信してもよい。
【０１１９】
同様に、マスタ基地局は、指示情報をシグナリング又はメッセージに付加することによって、指示情報を二次基地局へ送信してもよい。例えば、マスタ基地局は、マスタ基地局によって二次基地局へフィードバックされるフロー制御メッセージに指示情報を付加しても、あるいは、二次基地局追加要求（SgNB  Addition  Request）メッセージ又は二次基地局変更要求（SgNB  Modification  Request）メッセージに指示情報を付加してもよい。代替的に、マスタ基地局は、指示情報を他の専用のメッセージ付加することによって、指示情報を二次基地局へ送信してもよい。第２ＵＥ−ＡＭＢＲ及び指示情報は、送信のために同じメッセージ又は異なるメッセージにおいて運ばれてもよい。
【０１２０】
本願のこの実施形態で提供される伝送レート制御方法によれば、マスタ基地局はＵＥ−ＡＭＢＲを取得し、ＵＥ−ＡＭＢＲに基づいて、マスタ基地局のために使用される第１ＵＥ−ＡＭＢＲと、二次基地局のために使用される第２ＵＥ−ＡＭＢＲとを決定し、そして、マスタ基地局は、第２ＵＥ−ＡＭＢＲを二次基地局へ送信してよく、更には、二次基地局に対して、二次基地局にマスタ基地局のためのデータ分割を制御するように指示するために使用される指示情報を送信してよい。マスタ基地局は、第２ＵＥ−ＡＭＢＲ及び指示情報を二次基地局へ送信して、二次基地局が、第２ＵＥ−ＡＭＢＲに基づいて二次基地局とＵＥとの間の伝送レート制御し、且つ、指示情報に基づいて、マスタ基地局のためのデータ分割を実行する伝送レートを制御することができるようにし、そして、マスタ基地局は、第１ＵＥ−ＡＭＢＲに基づいてマスタ基地局とＵＥとの間の伝送レートを制御する。
【０１２１】
以下は、マスタ基地局及び二次基地局の夫々が、いくつかの異なるデータ搬送方法で、マスタ基地局及び二次基地局の夫々とＵＥとの間のアップリンク及びダウンリンク伝送レートを如何にして制御するかを詳細に記載する。
【０１２２】
方法１：二次基地局にアンカーされた分割ベアラ（SCG  split  bearer）のみがマスタ基地局に存在する場合に、指示情報は第３ＵＥ−ＡＭＢＲであり、第３ＵＥ−ＡＭＢＲは第１ＵＥ−ＡＭＢＲに等しい。
【０１２３】
具体的に、二次基地局にアンカーされた分割ベアラ（SCG  split  bearer）のみがマスタ基地局において構成される場合に、すなわち、ＵＥの全てのｎｏｎ−ＧＢＲサービスがSCG  split  bearerをサポートする場合に、マスタ基地局によって二次基地局へ送信される指示情報は、第１ＵＥ−ＡＭＢＲに等しい第３ＵＥ−ＡＭＢＲである。第３ＵＥ−ＡＭＢＲは、アップリンク第３ＵＥ−ＡＭＢＲ（アップリンク第１ＵＥ−ＡＭＢＲに等しい。）及びダウンリンク第３ＵＥ−ＡＭＢＲ（ダウンリンク第１ＵＥ−ＡＭＢＲに等しい。）を含む。従って、二次基地局は、受信されたダウンリンク第３ＵＥ−ＡＭＢＲに基づいて、マスタ基地局のためのデータ分割を実行するダウンリンク伝送レートを制御して、マスタ基地局とＵＥとの間のダウンリンク伝送レートを制御する。
【０１２４】
加えて、マスタ基地局は更に、第２ＵＥ−ＡＭＢＲを二次基地局へ送信する必要があり、第２ＵＥ−ＡＭＢＲは、アップリンク第２ＵＥ−ＡＭＢＲ及びダウンリンク第２ＵＥ−ＡＭＢＲを含む。従って、二次基地局は、ダウンリンク第２ＵＥ−ＡＭＢＲに基づいて、二次基地局とＵＥとの間のダウンリンク伝送レートを制御する。
【０１２５】
任意に、このシナリオにおいて、マスタ基地局がアップリンク分割データを送信するよう構成される場合に、マスタ基地局は、アップリンク第３ＵＥ−ＡＭＢＲに基づいてマスタ基地局とＵＥとの間のアップリンク伝送レートを制御する。具体的に、二次基地局にアンカーされた分割ベアラ（SCG  split  bearer）のみがマスタ基地局に存在するので、マスタ基地局は、マスタ基地局とＵＥとの間にある、二次基地局にアンカーされた分割ベアラのアップリンク伝送レートを制御する。
【０１２６】
二次基地局にアンカーされた分割ベアラ（SCG  split  bearer）のみがマスタ基地局に存在するところのシナリオで、マスタ基地局は、ダウンリンク第１ＵＥ−ＡＭＢＲを無視し、そして、二次基地局が、ダウンリンク第３ＵＥ−ＡＭＢＲに基づいて、マスタ基地局のためのデータ分割を実行する伝送レートを制御して、マスタ基地局とＵＥとの間のダウンリンク伝送レートを制御する。その上、二次基地局は、ダウンリンク第２ＵＥ−ＡＭＢＲに基づいて二次基地局とＵＥとの間のダウンリンク伝送レートを制御する。アップリンクデータ伝送に関して、アップリンク分割データが二次基地局で伝送される場合に、二次基地局は、アップリンク第２ＵＥ−ＡＭＢＲに基づいて二次基地局とＵＥとの間のアップリンク伝送レートを制御し、アップリンク分割データがマスタ基地局で伝送される場合に、マスタ基地局は、アップリンク第１ＵＥ−ＡＭＢＲに基づいてマスタ基地局とＵＥとの間のアップリンク伝送レートを制御して、夫々の基地局とＵＥとの間の伝送レートを制御する。
【０１２７】
方法２：二次基地局にアンカーされた分割ベアラ（SCG  split  bearer）のみがマスタ基地局に存在する場合に、指示情報は分割制御情報である。
【０１２８】
具体的に、最初のシナリオと比較して、このシナリオでは、マスタ基地局は、第３ＵＥ−ＡＭＢＲを二次基地局へ送信する代わりに、分割制御情報を二次基地局へ送信する。分割制御情報は、マスタ基地局のデータバッファ関連情報及び／又はマスタ基地局のデータ送信関連情報、あるいは、マスタ基地局のデータ伝送レート、などを含む。二次基地局にアンカーされた分割ベアラ（SCG  split  bearer）のみがマスタ基地局において構成される場合に、すなわち、ＵＥの全てのｎｏｎ−ＧＢＲサービスがSCG  split  bearerをサポートする場合に、マスタ基地局によって二次基地局へ送信される指示情報は、指示制御情報である。この場合に、二次基地局は、受信された分割制御情報に基づいて、マスタ基地局のためのデータ分割を実行するダウンリンク伝送レートを制御して、マスタ基地局とＵＥとの間のダウンリンク伝送レートを制御する。例えば、二次基地局が、分割制御情報に基づいて、マスタ基地局のバッファ内のデータの量が前もってセットされた閾値に満たないことを知る場合に、二次基地局は、マスタ基地局のためのデータ分割を実行するダウンリンク伝送レートなどを増大させてよい。
【０１２９】
二次基地局は、分割制御情報にのみ基づいて、マスタ基地局のためのデータ分割を実行するダウンリンク伝送レートを制御することが留意されるべきである。従って、二次基地局がマスタ基地局のためのデータ分割を実行した後に、マスタ基地局は、第１ＵＥ−ＡＭＢＲに基づいて、マスタ基地局とＵＥとの間のダウンリンク伝送レートを制御する。具体的に、マスタ基地局は、ダウンリンク第１ＵＥ−ＡＭＢＲに基づいて、マスタ基地局とＵＥとの間にある、二次基地局にアンカーされた分割ベアラのダウンリンク伝送レートを制御する。
【０１３０】
加えて、マスタ基地局は更に、第２ＵＥ−ＡＭＢＲを二次基地局へ送信する必要がある。従って、二次基地局は、第２ＵＥ−ＡＭＢＲに基づいて、二次基地局とＵＥとの間のダウンリンク伝送レートを制御する。具体的に、二次基地局は、ダウンリンク第２ＵＥ−ＡＭＢＲに基づいて、二次基地局とＵＥとの間のダウンリンク伝送レートを制御する。
【０１３１】
具体的に、二次基地局にアンカーされた分割ベアラ（SCG  split  bearer）のみがマスタ基地局に存在する。従って、アップリンク分割データがマスタ基地局で伝送される場合に、マスタ基地局は、アップリンク第１ＵＥ−ＡＭＢＲに基づいて、マスタ基地局とＵＥとの間にある、二次基地局にアンカーされた分割ベアラのアップリンク伝送レートを制御する。
【０１３２】
このシナリオで、二次基地局は、分割制御情報に基づいて、マスタ基地局のためのデータ分割を実行する伝送レートを制御する。従って、マスタ基地局は、ダウンリンク第１ＵＥ−ＡＭＢＲに基づいて、マスタ基地局とＵＥとの間のダウンリンク伝送レートを制御する。その上、二次基地局は、ダウンリンク第２ＵＥ−ＡＭＢＲに基づいて、二次基地局とＵＥとの間のダウンリンク伝送レートを制御する。アップリンクデータ伝送に関して、アップリンク分割データが二次基地局で伝送される場合に、二次基地局は、アップリンク第２ＵＥ−ＡＭＢＲに基づいて、二次基地局とＵＥとの間のアップリンク伝送レートを制御し、アップリンク分割データがマスタ基地局で伝送される場合に、マスタ基地局は、アップリンク第１ＵＥ−ＡＭＢＲに基づいて、マスタ基地局とＵＥとの間のアップリンク伝送レートを制御して、夫々の基地局とＵＥとの間の伝送レートを制御する。
【０１３３】
方法３：二次基地局にアンカーされた分割ベアラ（SCG  split  bearer）と、マスタセルグループベアラ（MCG  bearer）との両方がマスタ基地局に存在する場合に、指示情報は第４ＵＥ−ＡＭＢＲであり、第４ＵＥ−ＡＭＢＲは第１ＵＥ−ＡＭＢＲよりも小さい。
【０１３４】
具体的に、二次基地局にアンカーされた分割ベアラ（SCG  split  bearer）と、マスタセルグループベアラ（MCG  bearer）との両方がマスタ基地局に存在する場合に、ＵＥの一部のｎｏｎ−ＧＢＲサービスは、MCG  bearerとして構成され、ＵＥの他のｎｏｎ−ＧＢＲサービスは、SCG  split  bearerとして構成される。従って、マスタ基地局でのデータは、２つの部分、すなわち、二次基地局から分割されたデータ、及びマスタ基地局で個別に負担されるデータを含む。この場合に、マスタ基地局は、データの２つの部分の伝送レートの和を、第１ＵＥ−ＡＭＢＲよりも大きくないように制御する必要がある。従って、マスタ基地局によって二次基地局へ送信される指示情報は、第４ＵＥ−ＡＭＢＲであり、該第４ＵＥ−ＡＭＢＲは、第１ＵＥ−ＡＭＢＲよりも小さい。従って、二次基地局は、受信された第４ＵＥ−ＡＭＢＲに基づいて、マスタ基地局のためのデータ分割を実行するダウンリンク伝送レートを制御して、ダウンリンク伝送レートが、第４ＵＥ−ＡＭＢＲよりも大きくないようにする。
【０１３５】
二次基地局にアンカーされた分割ベアラ（SCG  split  bearer）と、マスタセルグループベアラ（MCG  bearer）との両方がマスタ基地局に存在することが留意されるべきである。従って、二次基地局がマスタ基地局のためのデータ分割を実行した後に、マスタ基地局は、第１ＵＥ−ＡＭＢＲに基づいてマスタ基地局とＵＥとの間のダウンリンク伝送レートを制御する。具体的に、マスタ基地局は、ダウンリンク第１ＵＥ−ＡＭＢＲに基づいて、マスタ基地局とＵＥとの間にある、マスタセルグループベアラ及び二次基地局にアンカーされた分割ベアラのダウンリンク伝送レートを制御する。
【０１３６】
加えて、マスタ基地局は更に、第２ＵＥ−ＡＭＢＲを二次基地局へ送信する必要がある。従って、二次基地局は、第２ＵＥ−ＡＭＢＲに基づいて、二次基地局とＵＥとの間のダウンリンク伝送レートを制御する。具体的に、二次基地局は、ダウンリンク第２ＵＥ−ＡＭＢＲに基づいて、二次基地局とＵＥとの間のダウンリンク伝送レートを制御する。
【０１３７】
任意に、このシナリオにおいて、マスタ基地局がアップリンク分割データを送信するよう構成される場合に、マスタ基地局は、第１ＵＥ−ＡＭＢＲに基づいてマスタ基地局とＵＥとの間のアップリンク伝送レートを制御する。具体的に、マスタ基地局は、アップリンク第１ＵＥ−ＡＭＢＲに基づいて、マスタ基地局とＵＥとの間にある、マスタセルグループベアラ及び二次基地局にアンカーされた分割ベアラのアップリンク伝送レートを制御する。
【０１３８】
二次基地局にアンカーされた分割ベアラ（SCG  split  bearer）と、マスタセルグループベアラ（MCG  bearer）との両方がマスタ基地局に存在するところのシナリオで、二次基地局は、第４ＵＥ−ＡＭＢＲに基づいて、マスタ基地局のためのデータ分割を実行する伝送レートを制御し、マスタ基地局は、ダウンリンク第１ＵＥ−ＡＭＢＲに基づいてマスタ基地局とＵＥとの間のダウンリンク伝送レートを制御する。その上、二次基地局は、ダウンリンク第２ＵＥ−ＡＭＢＲに基づいて二次基地局とＵＥとの間のダウンリンク伝送レートを制御する。アップリンクデータ伝送に関して、アップリンク分割データが二次基地局で伝送される場合に、二次基地局は、アップリンク第２ＵＥ−ＡＭＢＲに基づいて二次基地局とＵＥとの間のアップリンク伝送レートを制御し、アップリンク分割データがマスタ基地局で伝送される場合に、マスタ基地局は、アップリンク第１ＵＥ−ＡＭＢＲに基づいてマスタ基地局とＵＥとの間のアップリンク伝送レートを制御して、夫々の基地局とＵＥとの間の伝送レートを制御する。
【０１３９】
方法４：二次基地局にアンカーされた分割ベアラ（SCG  split  bearer）と、マスタセルグループベアラ（MCG  bearer）との両方がマスタ基地局に存在する場合に、指示情報は分割制御情報である。
【０１４０】
具体的に、分割制御情報は、マスタ基地局のデータバッファ関連情報及び／又はマスタ基地局のデータ送信関連情報、あるいは、マスタ基地局のデータ伝送レート、などを含む。二次基地局にアンカーされた分割ベアラ（SCG  split  bearer）と、マスタセルグループベアラ（MCG  bearer）との両方がマスタ基地局に存在する場合に、ＵＥの一部のｎｏｎ−ＧＢＲサービスは、MCG  bearerとして構成され、ＵＥの他のｎｏｎ−ＧＢＲサービスは、SCG  split  bearerとして構成される。従って、マスタ基地局でのデータは、２つの部分、すなわち、二次基地局から分割されたデータ、及びマスタ基地局で個別に負担されるデータを含む。この場合に、マスタ基地局は、データの２つの部分の伝送レートの和を、第１ＵＥ−ＡＭＢＲよりも大きくないように制御する必要がある。具体的な実施プロセスにおいて、マスタ基地局によって二次基地局へ送信される指示情報は、分割制御情報である。この場合に、二次基地局は、受信された分割制御情報に基づいて、マスタ基地局のためのデータ分割を実行するダウンリンク伝送レートを制御する。例えば、二次基地局が、分割制御情報に基づいて、マスタ基地局のバッファ内のデータの量が前もってセットされた閾値に満たないことを知る場合に、二次基地局は、マスタ基地局のためのデータ分割を実行するダウンリンク伝送レートなどを増大させてよい。
【０１４１】
加えて、二次基地局は、分割制御情報にのみ基づいて、マスタ基地局のためのデータ分割を実行するダウンリンク伝送レートを制御する。従って、二次基地局がマスタ基地局のためのデータ分割を実行した後に、マスタ基地局は、第１ＵＥ−ＡＭＢＲに基づいて、マスタ基地局とＵＥとの間のダウンリンク伝送レートを制御する。具体的に、マスタ基地局は、ダウンリンク第１ＵＥ−ＡＭＢＲに基づいて、マスタ基地局とＵＥとの間にある、マスタセルグループベアラ及び二次基地局にアンカーされた分割ベアラのダウンリンク伝送レートを制御する。
【０１４２】
加えて、マスタ基地局は更に、第２ＵＥ−ＡＭＢＲを二次基地局へ送信する必要がある。従って、二次基地局は、第２ＵＥ−ＡＭＢＲに基づいて、二次基地局とＵＥとの間のダウンリンク伝送レートを制御する。具体的に、二次基地局は、ダウンリンク第２ＵＥ−ＡＭＢＲに基づいて、二次基地局とＵＥとの間のダウンリンク伝送レートを制御する。
【０１４３】
任意に、このシナリオにおいて、マスタ基地局がアップリンク分割データを送信するよう構成される場合に、マスタ基地局は、第１ＵＥ−ＡＭＢＲに基づいてマスタ基地局とＵＥとの間のアップリンク伝送レートを制御する。具体的に、マスタ基地局は、アップリンク第１ＵＥ−ＡＭＢＲに基づいて、マスタ基地局とＵＥとの間にある、マスタセルグループベアラ及び二次基地局にアンカーされた分割ベアラのアップリンク伝送レートを制御する。
【０１４４】
このシナリオでは、二次基地局は、分割制御情報に基づいて、マスタ基地局のためのデータ分割を実行する伝送レートを制御する。従って、マスタ基地局は、ダウンリンク第１ＵＥ−ＡＭＢＲに基づいてマスタ基地局とＵＥとの間のダウンリンク伝送レートを制御する。その上、二次基地局は、ダウンリンク第２ＵＥ−ＡＭＢＲに基づいて二次基地局とＵＥとの間のダウンリンク伝送レートを制御する。アップリンクデータ伝送に関して、アップリンク分割データが二次基地局で伝送される場合に、二次基地局は、アップリンク第２ＵＥ−ＡＭＢＲに基づいて二次基地局とＵＥとの間のアップリンク伝送レートを制御し、アップリンク分割データがマスタ基地局で伝送される場合に、マスタ基地局は、アップリンク第１ＵＥ−ＡＭＢＲに基づいてマスタ基地局とＵＥとの間のアップリンク伝送レートを制御して、夫々の基地局とＵＥとの間の伝送レートを制御する。
【０１４５】
図４は、本願に従う伝送レート制御方法の実施例２のシグナリングフローチャートである。図３に示される実施形態に基づいて、マスタ基地局が第２ＵＥ−ＡＭＢＲを二次基地局へ送信した後に二次基地局が第２ＵＥ−ＡＭＢＲを調整するところのこの実施形態が、詳細に記載される。図４に示されるように、この実施形態における方法は、次のステップを含んでよい。
【０１４６】
ステップ４０１：マスタ基地局がＵＥ−ＡＭＢＲを取得する。
【０１４７】
ステップ４０２：マスタ基地局が、ＵＥ−ＡＭＢＲに基づいて、マスタ基地局のために使用される第１ＵＥ−ＡＭＢＲと、二次基地局のために使用される第２ＵＥ−ＡＭＢＲとを決定する。
【０１４８】
ステップ４０３：マスタ基地局が第２ＵＥ−ＡＭＢＲを二次基地局へ送信する。
【０１４９】
ステップ４０４：マスタ基地局が、二次基地局に対して、二次基地局にマスタ基地局のためのデータ分割を実行するように指示するために使用される指示情報を送信する。
【０１５０】
ステップ４０１からステップ４０４は、ステップ３０１からステップ３０４と同様であり、詳細は、ここで再び記載されない。
【０１５１】
ステップ４０５：二次基地局が第２ＵＥ−ＡＭＢＲを調整し、調整された第２ＵＥ−ＡＭＢＲをマスタ基地局へ送信する。
【０１５２】
この実施形態では、マスタ基地局によって送信された第２ＵＥ−ＡＭＢＲを受信した後に、二次基地局は、二次基地局のネットワーク資源ステータス情報に基づいて、受信された第２ＵＥ−ＡＭＢＲが調整される必要があるかどうかを判定し、受信された第２ＵＥ−ＡＭＢＲが調整される必要がある場合には、第２ＵＥ−ＡＭＢＲを調整し、調整された第２ＵＥ−ＡＭＢＲをマスタ基地局へ送信してよい。ネットワーク資源ステータス情報は、例えば、エアインターフェイス信号品質及び／又は負荷ステータス、あるいは、他の情報を含んでよい。可能な実施形態では、二次基地局のエアインターフェイス信号品質が第１の前もってセットされた閾値よりも大きいこと及び／又は負荷が第２の前もってセットされた閾値よりも小さいことに二次基地局が気付く場合に、二次基地局は第２ＵＥ−ＡＭＢＲを増大させてよく、一方、ＵＥ−ＡＭＢＲは不変である。代替的に、二次基地局のエアインターフェイス信号品質が第３の前もってセットされた閾値よりも小さいこと及び／又は負荷が第４の前もってセットされた閾値よりも大きいことに二次基地局が気付く場合に、二次基地局は第２ＵＥ−ＡＭＢＲを低減させてよく、一方、ＵＥ−ＡＭＢＲは不変である。例えば、ＵＥ−ＡＭＢＲの６０％が第１ＵＥ−ＡＭＢＲであり、すなわち、ＵＥ−ＡＭＢＲの６０％が使用のためにマスタ基地局に割り当てられ、そして、ＵＥ−ＡＭＢＲの４０％が第２ＵＥ−ＡＭＢＲであり、すなわち、ＵＥ−ＡＭＢＲの４０％が使用のために二次基地局に割り当てられる。この場合に、二次基地局のエアインターフェイス信号品質が比較的に良いこと及び／又は負荷が比較的に低いことに二次基地局が気付く場合には、二次基地局は第２ＵＥ−ＡＭＢＲをＵＥ−ＡＭＢＲの８０％に調整し、調整された第２ＵＥ−ＡＭＢＲをマスタ基地局へ送信し、それにより、マスタ基地局は、調整された第２ＵＥ−ＡＭＢＲと、ＵＥ−ＡＭＢＲとに基づいて、調整されたＵＥ−ＡＭＢＲを取得する。その上、二次基地局のエアインターフェイス信号品質が比較的に悪いこと及び／又は負荷が比較的に高いことに二次基地局が気付く場合には、二次基地局は第２ＵＥ−ＡＭＢＲをＵＥ−ＡＭＢＲの２０％に調整し、調整された第２ＵＥ−ＡＭＢＲをマスタ基地局へ送信する。
【０１５３】
更に、二次基地局は、調整された第２ＵＥ−ＡＭＢＲをシグナリングメッセージに付加すること、例えば、調整された第２ＵＥ−ＡＭＢＲを二次基地局追加要求（SgNB  Addition  Request）メッセージ又は二次基地局変更要求（SgNB  Modification  Request）メッセージに付加すること、によって、調整された第２ＵＥ−ＡＭＢＲをマスタ基地局へ送信してもよい。確かに、二次基地局は、代替的に、調整された第２ＵＥ−ＡＭＢＲを他のメッセージに付加することによって、調整された第２ＵＥ−ＡＭＢＲをマスタ基地局へ送信してもよい。
【０１５４】
ステップ４０６：マスタ基地局は、調整された第２ＵＥ−ＡＭＢＲに基づいて第１ＵＥ−ＡＭＢＲを調整し、マスタ基地局は、調整された第１ＵＥ−ＡＭＢＲに基づいてマスタ基地局とＵＥとの間の伝送レートを制御する。
【０１５５】
この実施形態では、二次基地局が調整された第２ＵＥ−ＡＭＢＲをマスタ基地局へ送信した後に、マスタ基地局は、調整された第２ＵＥ−ＡＭＢＲに基づいて第１ＵＥ−ＡＭＢＲを調整する。調整された第１ＵＥ−ＡＭＢＲは、調整されたアップリンク第１ＵＥ−ＡＭＢＲと、調整されたダウンリンク第１ＵＥ−ＡＭＢＲとを含む。このようにして、マスタ基地局は、調整されたダウンリンク第１ＵＥ−ＡＭＢＲに基づいてマスタ基地局とＵＥとの間のダウンリンク伝送レートを制御し得る。アップリンクｎｏｎ−ＧＢＲサービスがマスタ基地局で伝送される場合に、マスタ基地局は、調整されたアップリンク第１ＵＥ−ＡＭＢＲに基づいてマスタ基地局とＵＥとの間のアップリンク伝送レートを制御し、二次基地局は、調整された第２ＵＥ−ＡＭＢＲに基づいて二次基地局とＵＥとの間の伝送レートを制御する。例えば、ＵＥ−ＡＭＢＲの６０％が第１ＵＥ−ＡＭＢＲであり、ＵＥ−ＡＭＢＲの４０％が第２ＵＥ−ＡＭＢＲである。二次基地局が第２ＵＥ−ＡＭＢＲをＵＥ−ＡＭＢＲの８０％に調整した後に、マスタ基地局は、第１ＵＥ−ＡＭＢＲをＵＥ−ＡＭＢＲの２０％に調整し、一方、ＵＥ−ＡＭＢＲは不変である。
【０１５６】
この実施形態では、二次基地局が調整された第２ＵＥ−ＡＭＢＲをマスタ基地局へ送信した後に、マスタ基地局は、調整された第２ＵＥ−ＡＭＢＲに基づいて第１ＵＥ−ＡＭＢＲを調整する。これは、二次基地局の調整ソリューションの可能な実施である。
【０１５７】
本願の他の実施では、ステップ４０１から４０３の後で、次のステップが更に実行される。
【０１５８】
ステップ４０５′：二次基地局が第２ＵＥ−ＡＭＢＲを調整し、調整された第１ＵＥ−ＡＭＢＲをＵＥ−ＡＭＢＲに基づいて決定し、調整された第１ＵＥ−ＡＭＢＲをマスタ基地局へ送信する。
【０１５９】
この実施形態では、ステップ４０５′は、ネットワーク資源ステータス情報に基づいて第２ＵＥ−ＡＭＢＲを調整した後に、第２基地局が、調整された第２ＵＥ−ＡＭＢＲをマスタ基地局へ送信せずに、調整された第２ＵＥ−ＡＭＢＲに基づいて、ＵＥ−ＡＭＢＲが不変であるように、調整された第１ＵＥ−ＡＭＢＲを決定し、調整された第１ＵＥ−ＡＭＢＲをマスタ基地局へ送信する点で、ステップ４０５と相違する。
【０１６０】
ステップ４０５′で、マスタ基地局は更に、ＵＥ−ＡＭＢＲを二次基地局へ送信する必要があり、それにより、二次基地局は、調整された第１ＵＥ−ＡＭＢＲをＵＥ−ＡＭＢＲ及び調整された第２ＵＥ−ＡＭＢＲに基づいて決定することができることが留意されるべきである。
【０１６１】
任意に、ＵＥ−ＡＭＢＲの６０％が第１ＵＥ−ＡＭＢＲであり、ＵＥ−ＡＭＢＲの４０％が第２ＵＥ−ＡＭＢＲである場合に、二次基地局が第２ＵＥ−ＡＭＢＲをネットワーク資源ステータス情報に基づいてＵＥ−ＡＭＢＲの８０％に調整した後に、二次基地局は、ＵＥ−ＡＭＢＲが不変であるとき、調整された第１ＵＥ−ＡＭＢＲがＵＥ−ＡＭＢＲの２０％であると決定し、調整された第１ＵＥ−ＡＭＢＲをマスタ基地局へ送信する。その上、二次基地局がネットワーク資源ステータス情報に基づいて第２ＵＥ−ＡＭＢＲを調整する方法は、ステップ４０５における調整方法と同様であり、詳細は、ここで再び記載されない。
【０１６２】
更に、二次基地局は、調整された第１ＵＥ−ＡＭＢＲをシグナリングメッセージに付加すること、例えば、調整された第１ＵＥ−ＡＭＢＲを二次基地局追加要求（SgNB  Addition  Request）メッセージ又は二次基地局変更要求（SgNB  Modification  Request）メッセージに付加すること、によって、調整された第１ＵＥ−ＡＭＢＲをマスタ基地局へ送信してもよい。確かに、二次基地局は、代替的に、調整された第１ＵＥ−ＡＭＢＲを他のメッセージに付加することによって、調整された第１ＵＥ−ＡＭＢＲをマスタ基地局へ送信してもよい。
【０１６３】
ステップ４０６′：マスタ基地局は、調整された第１ＵＥ−ＡＭＢＲを二次基地局から受信し、マスタ基地局は、調整された第１ＵＥ−ＡＭＢＲに基づいてマスタ基地局とユーザ装置ＵＥとの間の伝送レートを制御する。
【０１６４】
この実施形態では、ステップ４０６′は、このステップで、二次基地局が調整された第１ＵＥ−ＡＭＢＲをマスタ基地局へ送信する点で、ステップ４０６と相違する。調整された第１ＵＥ−ＡＭＢＲは、調整されたアップリンク第１ＵＥ−ＡＭＢＲと、調整されたダウンリンク第１ＵＥ−ＡＭＢＲとを含む。従って、マスタ基地局は、調整されたダウンリンク第１ＵＥ−ＡＭＢＲに基づいてマスタ基地局とＵＥとの間のダウンリンク伝送レートを制御し得る。マスタ基地局にアップリンクｎｏｎ−ＧＢＲサービスがある場合に、マスタ基地局は、二次基地局によって送信される調整されたアップリンク第１ＵＥ−ＡＭＢＲに基づいてマスタ基地局とＵＥとの間のアップリンク伝送レートを直接制御し、二次基地局は、調整されたダウンリンク第２ＵＥ−ＡＭＢＲに基づいて二次基地局とＵＥとの間の伝送レートを制御する。
【０１６５】
この実施形態では、二次基地局は、調整された第１ＵＥ−ＡＭＢＲ及び調整された第２ＵＥ−ＡＭＢＲをマスタ基地局へ送信し、マスタ基地局は、受信された調整された第１ＵＥ−ＡＭＢＲに基づいてマスタ基地局とＵＥとの間の伝送レートを制御し、すなわち、マスタ基地局は、第１ＵＥ−ＡＭＢＲ及び第２ＵＥ−ＡＭＢＲを調整しない。従って、マスタ基地局のシグナリング資源は節約され得る。
【０１６６】
本願のこの実施形態で提供される伝送レート制御方法によれば、マスタ基地局が第２ＵＥ−ＡＭＢＲを二次基地局へ送信した後に、二次基地局は、二次基地局のネットワーク負荷ステータスに基づいて第２ＵＥ−ＡＭＢＲを柔軟に調整し、調整された第２ＵＥ−ＡＭＢＲに基づいて二次基地局とＵＥとの間の伝送レートを制御してよく、そして、調整された第１ＵＥ−ＡＭＢＲを調整された第２ＵＥ−ＡＭＢＲに基づいて取得した後に、マスタ基地局は、調整された第１ＵＥ−ＡＭＢＲに基づいてマスタ基地局とＵＥとの間の伝送レートを制御する。従って、データ伝送レート制御の合理性及び柔軟性は改善され得る。
【０１６７】
更に、第２ＵＥ−ＡＭＢＲを取得した後に、二次基地局は、ネットワーク資源ステータス情報に基づいて第２ＵＥ−ＡＭＢＲを調整し、そして、調整された第１ＵＥ−ＡＭＢＲを決定し、それにより、マスタ基地局は、調整されたダウンリンク第１ＵＥ−ＡＭＢＲに基づいてマスタ基地局とＵＥとの間のダウンリンク伝送レートを制御することができる。アップリンクｎｏｎ−ＧＢＲサービスがマスタ基地局で伝送される場合に、マスタ基地局は、調整されたアップリンク第１ＵＥ−ＡＭＢＲに基づいてマスタ基地局とＵＥとの間のアップリンク伝送レートを制御し、二次基地局は、調整されたダウンリンク第２ＵＥ−ＡＭＢＲに基づいて二次基地局とＵＥとの間の伝送レートを制御する。従って、ユーザの全てのｎｏｎ−ＧＢＲサービスのレートの和はＵＥ−ＡＭＢＲの限度を超えず、それによって、ＵＥ−ＡＭＢＲの利用は改善される。
【０１６８】
任意に、ＵＥ−ＡＭＢＲの利用を改善するために、マスタ基地局は、二次基地局のネットワーク資源ステータス情報を更に取得してもよく、マスタ基地局がＵＥ−ＡＭＢＲに基づいて、マスタ基地局のために使用される第１ＵＥ−ＡＭＢＲと、二次基地局のために使用される第２ＵＥ−ＡＭＢＲとを決定することは、マスタ基地局がネットワーク資源ステータス情報及びＵＥ−ＡＭＢＲに基づいて第１ＵＥ−ＡＭＢＲ及び第２ＵＥ−ＡＭＢＲを決定することを含む。
【０１６９】
具体的に、第１ＵＥ−ＡＭＢＲ及び第２ＵＥ−ＡＭＢＲを決定する前に、マスタ基地局は最初に、二次基地局のネットワーク資源ステータス情報を取得し、例えば、二次基地局のエアインターフェイスリンクステータス及び／又は負荷ステータスを取得し、そして、取得されたネットワーク資源ステータス情報に基づいてＵＥ−ＡＭＢＲを分割して、第１ＵＥ−ＡＭＢＲ及び第２ＵＥ−ＡＭＢＲを取得してよい。例えば、二次基地局の取得されたエアインターフェイスリンク品質が第５の前もってセットされた閾値よりも大きい場合及び／又は負荷が第６の前もってセットされた閾値よりも小さい場合に、マスタ基地局は、ＵＥ−ＡＭＢＲの８０％を第１ＵＥ−ＡＭＢＲとして決定し、ＵＥ−ＡＭＢＲの２０％を第２ＵＥ−ＡＭＢＲとして決定してよい。
【０１７０】
任意に、マスタ基地局は、代替的に、最初に、マスタ基地局のネットワーク資源ステータス情報を取得し、例えば、マスタ基地局のエアインターフェイスリンクステータス及び／又は負荷ステータスを取得し、そして、マスタ基地局の取得されたネットワーク資源ステータス情報に基づいてＵＥ−ＡＭＢＲを分割して、第１ＵＥ−ＡＭＢＲ及び第２ＵＥ−ＡＭＢＲを取得してよい。例えば、マスタ基地局の取得されたエアインターフェイスリンク品質が第７の前もってセットされた閾値よりも大きい場合及び／又は負荷が第８の前もってセットされた閾値よりも小さい場合に、マスタ基地局は、ＵＥ−ＡＭＢＲの７０％を第１ＵＥ−ＡＭＢＲとして決定し、ＵＥ−ＡＭＢＲの３０％を第２ＵＥ−ＡＭＢＲとして決定してよい。
【０１７１】
任意に、マスタ基地局は、代替的に、マスタ基地局のネットワーク資源ステータス情報及び二次基地局のネットワーク資源ステータス情報を参照してＵＥ−ＡＭＢＲを分割して、第１ＵＥ−ＡＭＢＲ及び第２ＵＥ−ＡＭＢＲを取得してもよい。マスタ基地局は、マスタ基地局のネットワーク資源ステータス情報及び二次基地局のネットワーク資源ステータス情報に基づいて第１ＵＥ−ＡＭＢＲ及び第２ＵＥ−ＡＭＢＲを決定し得るので、ＵＥ−ＡＭＢＲの利用は更に改善され得る。
【０１７２】
更に、マスタ基地局は、次の２つの方法で二次基地局のネットワーク資源ステータス情報を取得し得る：（１）．マスタ基地局は、周期的に、二次基地局のネットワーク資源ステータス情報を取得する。取得周期は、実際の場合又は経験に基づきセットされてよく、例えば、１分又は２分にセットされてよい。取得周期の具体的な値は、ここで、この実施形態において制限されない。（２）．マスタ基地局は、二次基地局に対して、ネットワーク資源ステータス情報を取得するために使用される要求メッセージを送信し、二次基地局によって返された応答メッセージを受信する。応答メッセージは、二次基地局のネットワーク資源ステータス情報を含む。
【０１７３】
本願のこの実施形態で提供される伝送レート制御方法によれば、マスタ基地局は、二次基地局のネットワーク資源ステータス情報を取得し、ネットワーク資源ステータス情報及びＵＥ−ＡＭＢＲに基づいて第１ＵＥ−ＡＭＢＲ及び第２ＵＥ−ＡＭＢＲを決定する。従って、マスタ基地局及び二次基地局の伝送レートがより適切に制御され得るだけでなく、ＵＥ−ＡＭＢＲの利用も改善され得る。
【０１７４】
図５は、本願に従う伝送レート制御方法の実施形態３のシグナリングフローチャートである。図５に示される実施形態は、図５に示される実施形態では、二次基地局が、ＵＥ−ＡＭＢＲに基づいて、マスタ基地局のために使用される第１ＵＥ−ＡＭＢＲと、二次基地局のために使用される第２ＵＥ−ＡＭＢＲとを決定する点で、図３に示される実施形態と相違する。図１に示されるシステムアーキテクチャに基づいて、図５に示されるように、この実施形態における方法は、次のステップを含んでよい。
【０１７５】
ステップ５０１：マスタ基地局がＵＥ−ＡＭＢＲを二次基地局へ送信する。
【０１７６】
この実施形態では、マスタ基地局とコアネットワークとの間に制御プレーン接続が存在する。従って、マスタ基地局のみが、コアネットワークからＵＥ−ＡＭＢＲを取得することができ、マスタ基地局は、取得されたＵＥ−ＡＭＢＲを二次基地局へ送信する。実際の応用では、マスタ基地局は、ＵＥ−ＡＭＢＲをシグナリングメッセージに付加することによって、ＵＥ−ＡＭＢＲを二次基地局へ送信してよい。例えば、マスタ基地局は、ＵＥ−ＡＭＢＲを二次基地局追加要求（SgNB  Addition  Request）メッセージ又は二次基地局変更要求（SgNB  Modification  Request）メッセージに付加してよい。確かに、マスタ基地局は、代替的に、ＵＥ−ＡＭＢＲを他のメッセージに付加することによって、ＵＥ−ＡＭＢＲを二次基地局へ送信してもよい。
【０１７７】
ステップ５０２：二次基地局が、ＵＥ−ＡＭＢＲに基づいて、マスタ基地局のために使用される第１ＵＥ−ＡＭＢＲと、二次基地局のために使用される第２ＵＥ−ＡＭＢＲとを決定する。
【０１７８】
この実施形態では、ＵＥ−ＡＭＢＲを取得した後、二次基地局は、ＵＥ−ＡＭＢＲに基づいて第１ＵＥ−ＡＭＢＲ及び第２ＵＥ−ＡＭＢＲを決定する。マスタ基地局は、第１ＵＥ−ＡＭＢＲに基づいてマスタ基地局とＵＥとの間の伝送レートを制御し、二次基地局は、第２ＵＥ−ＡＭＢＲに基づいて二次基地局とＵＥとの間の伝送レートを制御する。
【０１７９】
更に、第１ＵＥ−ＡＭＢＲと第２ＵＥ−ＡＭＢＲとの和は、ＵＥ−ＡＭＢＲに等しくても、あるいは、ＵＥ−ＡＭＢＲよりも小さくてもよい。例えば、ＵＥ−ＡＭＢＲの６０％が第１ＵＥ−ＡＭＢＲとして決定されてよく、すなわち、ＵＥ−ＡＭＢＲの６０％が、使用のためにマスタ基地局へ割り当てられ、そして、ＵＥ−ＡＭＢＲの４０％が第２ＵＥ−ＡＭＢＲとして決定されてよく、すなわち、ＵＥ−ＡＭＢＲの４０％が、使用のために二次基地局へ割り当てられる。この場合に、第１ＵＥ−ＡＭＢＲと第２ＵＥ−ＡＭＢＲとの和はＵＥ−ＡＭＢＲに等しい。確かに、ＵＥ−ＡＭＢＲの６０％が使用のためにマスタ基地局へ割り当てられてよく、ＵＥ−ＡＭＢＲの２０％が使用のために二次基地局へ割り当てられてもよい。この場合に、第１ＵＥ−ＡＭＢＲと第２ＵＥ−ＡＭＢＲとの和はＵＥ−ＡＭＢＲよりも小さい。実際の応用では、二次基地局は、第１ＵＥ−ＡＭＢＲ及び第２ＵＥ−ＡＭＢＲをランダムに決定しても、二次基地局のネットワーク資源ステータス情報に基づいて第１ＵＥ−ＡＭＢＲ及び第２ＵＥ−ＡＭＢＲを決定しても、あるいは、具体的な適用シナリオに基づいて第１ＵＥ−ＡＭＢＲ及び第２ＵＥ−ＡＭＢＲを決定してもよい。ネットワーク資源ステータス情報は、例えば、エアインターフェイスリンクステータス及び負荷情報を含んでよい。
【０１８０】
ステップ５０３：二次基地局が第１ＵＥ−ＡＭＢＲ及び／又は第２ＵＥ−ＡＭＢＲをマスタ基地局へ送信する。
【０１８１】
この実施形態では、第１ＵＥ−ＡＭＢＲ及び第２ＵＥ−ＡＭＢＲを決定した後に、二次基地局は、第１ＵＥ−ＡＭＢＲしかマスタ基地局へ送信しなくてもよい。代替的に、二次基地局は、第２ＵＥ−ＡＭＢＲしかマスタ基地局へ送信しなくてもよい。この場合に、マスタ基地局は、ＵＥ−ＡＭＢＲ及び第２ＵＥ−ＡＭＢＲに基づいて第１ＵＥ−ＡＭＢＲを計算し、例えば、第２ＵＥ−ＡＭＢＲをＵＥ−ＡＭＢＲから減じることによって、第１ＵＥ−ＡＭＢＲを計算し得る。代替的に、二次基地局は、第１ＵＥ−ＡＭＢＲ及び第２ＵＥ−ＡＭＢＲの両方をマスタ基地局へ送信してもよい。
【０１８２】
本願のこの実施形態で提供される伝送レート制御方法によれば、二次基地局はマスタ基地局からＵＥ−ＡＭＢＲを受信し、ＵＥ−ＡＭＢＲに基づいて、マスタ基地局のために使用される第１ＵＥ−ＡＭＢＲと、二次基地局のために使用される第２ＵＥ−ＡＭＢＲとを決定し、第１ＵＥ−ＡＭＢＲ及び／又は第２ＵＥ−ＡＭＢＲをマスタ基地局へ送信し、それにより、マスタ基地局は第１ＵＥ−ＡＭＢＲを取得する。第１ＵＥ−ＡＭＢＲは、アップリンク第１ＵＥ−ＡＭＢＲ及びダウンリンク第１ＵＥ−ＡＭＢＲを更に含む。同様に、第２ＵＥ−ＡＭＢＲは、アップリンク第２ＵＥ−ＡＭＢＲ及びダウンリンク第２ＵＥ−ＡＭＢＲを更に含む。従って、アップリンク及びダウンリンクデータ伝送に関して、具体的な制御方法は、上記の実施形態で記載される方法と同じであり、詳細は、ここで再び記載されない。
【０１８３】
更に、実際の応用では、マスタ基地局のみがＵＥの全体のサービスステータスを知ることができ、一方、二次基地局は、マスタ基地局によって二次基地局に割り当てられるｎｏｎ−ＧＢＲサービスしか知ることができず、マスタ基地局に他のｎｏｎ−ＧＢＲサービスがあるかどうかを知らない。従って、決定される第１ＵＥ−ＡＭＢＲ及び第２ＵＥ−ＡＭＢＲをより正確なものとするために、任意に、図５に示されるように、次のステップが更に含まれてもよい。
【０１８４】
ステップ５０１１：マスタ基地局が参照情報を二次基地局へ送信する。
【０１８５】
ステップ５０１２：二次基地局が、参照情報及びＵＥ−ＡＭＢＲに基づいて第１ＵＥ−ＡＭＢＲ及び第２ＵＥ−ＡＭＢＲを決定する。
【０１８６】
参照情報は、ＵＥによってサポートされる全てのｎｏｎ−ＧＢＲサービスに関する情報、又はマスタセルグループベアラに対応するｎｏｎ−ＧＢＲサービスに関する情報を含んでよい。
【０１８７】
具体的に、ｎｏｎ−ＧＢＲサービスに関する情報は、次のパラメータ：ｎｏｎ−ＧＢＲサービスの量、ｎｏｎ−ＧＢＲサービスに対応するクオリティ・オブ・サービスクラス識別子ＱＣＩ、ｎｏｎ−ＧＢＲサービスに対応する無線アクセスベアラ識別子、又はｎｏｎ−ＧＢＲサービスに対応する割り当て／維持優先度ＡＲＰ、のうちの少なくとも１つを含んでよい。ｎｏｎ−ＧＢＲサービスに関する情報は、マスタ基地局で個別に負担されるｎｏｎ−ＧＢＲサービスを二次基地局に知らしめることができる他のパラメータであってもよい。
【０１８８】
具体的に、参照情報において、ＵＥの全てのｎｏｎ−ＧＢＲサービスは、マスタ基地局で個別に負担される全てのｎｏｎ−ＧＢＲサービスであり、マスタ基地局で負担されるｎｏｎ−ＧＢＲサービスに対応するＱＣＩは、マスタ基地局で個別に負担されるｎｏｎ−ＧＢＲサービスに対応するＱＣＩである。マスタ基地局は、参照情報を二次基地局へ送信し、二次基地局は、参照情報に基づいて、マスタ基地局で個別に負担されるｎｏｎ−ＧＢＲサービスに関する情報を知り得る。この場合に、二次基地局は、参照情報及びＵＥ−ＡＭＢＲに基づいて第１ＵＥ−ＡＭＢＲ及び第２ＵＥ−ＡＭＢＲを決定する。例えば、なお図１を参照して、基地局０がマスタ基地局であり、基地局１が二次基地局である場合に、基地局１での２つのｎｏｎ−ＧＢＲサービスが基地局１のために分割される必要があり、基地局１が、基地局０によって送信された参照情報に基づいて、２つのｎｏｎ−ＧＢＲサービスが基地局０で個別に負担されていることを知る場合に、基地局１は、基地局０及び基地局１で負担されているｎｏｎ−ＧＢＲサービスの数量に基づいて、ＵＥ−ＡＭＢＲを割り当てる。例えば、基地局０は、２つのｎｏｎ−ＧＢＲサービスを個別に負っており、基地局１での２つのｎｏｎ−ＧＢＲサービスから分割されたデータを負う必要がある。従って、基地局１でのｎｏｎ−ＧＢＲサービスのデータ量の方が小さいので、ＵＥ−ＡＭＢＲの６０％が第１ＵＥ−ＡＭＢＲとして決定される必要があり、ＵＥ−ＡＭＢＲの４０％が第２ＵＥ−ＡＭＢＲとして決定される、など。
【０１８９】
本願のこの実施形態で提供される伝送レート制御方法によれば、二次基地局はマスタ基地局からＵＥ−ＡＭＢＲを受信し、ＵＥ−ＡＭＢＲに基づいて、マスタ基地局のために使用される第１ＵＥ−ＡＭＢＲと、二次基地局のために使用される第２ＵＥ−ＡＭＢＲとを決定し、第１ＵＥ−ＡＭＢＲ及び／又は第２ＵＥ−ＡＭＢＲをマスタ基地局へ送信し、それにより、マスタ基地局は第１ＵＥ−ＡＭＢＲを取得する。このようにして、ＵＥレート制御方法は、上記の実施形態で記載された方法と同じであり、詳細は、ここで再び記載されない。
【０１９０】
図６は、本願に従う伝送レート制御方法の実施形態４のシグナリングフローチャートである。この実施形態では、図１に示されるシステムアーキテクチャに基づいて、図６に示されるように、この実施形態における方法は、次のステップを含んでよい。
【０１９１】
ステップ６０１：マスタ基地局がＵＥ−ＡＭＢＲを取得する。
【０１９２】
本願のこの実施形態では、マスタ基地局とコアネットワークとの間に制御プレーン接続が存在する。従って、マスタ基地局は、コアネットワークからＵＥ−ＡＭＢＲを取得し得る。例えば、マスタ基地局がＬＴＥ基地局である場合に、マスタ基地局は、コアネットワークのＭＭＥからＵＥ−ＡＭＢＲを取得してよく、ＵＥ−ＡＭＢＲは、０ｂｉｔ／ｓから１０１０ｂｉｔ／ｓの任意の値であってよい。
【０１９３】
ステップ６０２：マスタ基地局が、二次基地局のベアラタイプを決定し、ＵＥ−ＡＭＢＲに基づいて、二次基地局のために使用される第２ＵＥ−ＡＭＢＲを決定する。
【０１９４】
この実施形態では、第２ＵＥ−ＡＭＢＲが、二次基地局によって、二次基地局のベアラタイプに基づいて二次基地局とＵＥとの間の伝送レートを制御するために使用される。二次基地局のベアラタイプは、マスタセルグループにのみアンカーされた分割ベアラの一種（MCG  split  bearer）、二次セルグループベアラ（SCG  bearer）、及び二次基地局にアンカーされた分割ベアラの一種（SCG  split  bearer）を含む。しかし、二次基地局に関して、MCG  split  bearer及びSCG  split  bearerは共存せず、SCG  bearer及びMCG  split  bearerも共存しない。従って、SCG  bearer及びSCG  split  bearerが共存するシナリオしかない。ＵＥ−ＡＭＢＲを取得した後、マスタ基地局は、二次基地局の決定されたベアラタイプと、ＵＥ−ＡＭＢＲとに基づいて、第１ＵＥ−ＡＭＢＲ及び第２ＵＥ−ＡＭＢＲを決定する。マスタ基地局は、第１ＵＥ−ＡＭＢＲに基づいてマスタ基地局とＵＥとの間の伝送レートを制御し、二次基地局は、第２ＵＥ−ＡＭＢＲに基づいて二次基地局とＵＥとの間の伝送レートを制御する。
【０１９５】
ステップ６０３：マスタ基地局が第２ＵＥ−ＡＭＢＲ及び二次基地局のベアラタイプを二次基地局へ送信する。
【０１９６】
この実施形態では、第２ＵＥ−ＡＭＢＲを決定した後に、マスタ基地局は、第２ＵＥ−ＡＭＢＲ及び二次基地局のベアラタイプを二次基地局へ送信する。第２ＵＥ−ＡＭＢＲは、アップリンク第２ＵＥ−ＡＭＢＲ及びダウンリンク第２ＵＥ−ＡＭＢＲを更に含む。第２ＵＥ−ＡＭＢＲを取得した後、二次基地局は、二次基地局のデータベアラタイプ及び第２ＵＥ−ＡＭＢＲに基づいて二次基地局とＵＥとの間の伝送レートを制御する。具体的に、二次基地局は、ＵＥに割り当てられる資源を制御することによって、二次基地局とＵＥとの間の伝送レートを制御して、二次基地局での全てのｎｏｎ−ＧＢＲサービスのレートの和が第２ＵＥ−ＡＭＢＲの限度を超えないことを確かにし得る。
【０１９７】
更に、マスタ基地局は、第２ＵＥ−ＡＭＢＲ及び二次基地局のベアラタイプをシグナリング又はメッセージに付加することによって、第２ＵＥ−ＡＭＢＲ及び二次基地局のベアラタイプを二次基地局へ送信してもよい。例えば、マスタ基地局は、第２ＵＥ−ＡＭＢＲ及び二次基地局のベアラタイプを二次基地局追加要求（SgNB  Addition  Request）メッセージ又は二次基地局変更要求（SgNB  Modification  Request）メッセージに付加してよい。代替的に、マスタ基地局は、第２ＵＥ−ＡＭＢＲ及び二次基地局のベアラタイプを他の専用のメッセージに付加すること、などによって、第２ＵＥ−ＡＭＢＲ及び二次基地局のベアラタイプを二次基地局へ送信してもよい。
【０１９８】
任意に、第２ＵＥ−ＡＭＢＲ及び二次基地局のベアラタイプを含むメッセージを受信するとき、二次基地局は、メッセージをパースすることによって、第２ＵＥ−ＡＭＢＲ及び二次基地局のベアラタイプを取得してよい。
【０１９９】
本願のこの実施形態で提供される伝送レート制御方法によれば、マスタ基地局はＵＥ−ＡＭＢＲを取得し、二次基地局のベアラタイプを決定し、ＵＥ−ＡＭＢＲ及びベアラタイプに基づいて、マスタ基地局のために使用される第１ＵＥ−ＡＭＢＲと、二次基地局のために使用される第２ＵＥ−ＡＭＢＲとを決定し、そして、マスタ基地局は、第２ＵＥ−ＡＭＢＲ及びベアラタイプを二次基地局へ送信してよい。二次基地局は、第２ＵＥ−ＡＭＢＲ及びベアラタイプに基づいて二次基地局とＵＥとの間の伝送レートを制御してよく、マスタ基地局は、第１ＵＥ−ＡＭＢＲに基づいてマスタ基地局とＵＥとの間の伝送レートを制御する。
【０２００】
以下は、二次基地局の異なるベアラタイプの場合に、二次基地局が二次基地局とＵＥとの間の伝送レートを如何にして制御するかを詳細に記載する。
【０２０１】
方法１：二次基地局のベアラタイプが二次セルグループベアラ（SCG  bearer）のみを含む場合に、二次基地局は、第２ＵＥ−ＡＭＢＲに基づいて二次基地局とＵＥとの間の伝送レートを制御する。
【０２０２】
二次セルグループベアラ（SCG  bearer）のみが二次基地局において構成される場合に、二次基地局は、マスタ基地局のためのデータ分割を実行しない。この場合に、二次基地局は、受信された第２ＵＥ−ＡＭＢＲに基づいて、二次基地局とＵＥとの間のダウンリンク伝送レートを制御する。具体的に、二次基地局は、受信されたダウンリンク第２ＵＥ−ＡＭＢＲに基づいて、二次基地局とＵＥとの間にある、二次セルグループベアラのダウンリンク伝送レートを制御する。
【０２０３】
このシナリオでは、二次基地局は、第２ＵＥ−ＡＭＢＲに基づいて二次基地局とＵＥとの間のアップリンク伝送レートを制御する。具体的に、二次セルグループベアラ（SCG  bearer）のみが二次基地局に存在するので、二次基地局は、アップリンク第２ＵＥ−ＡＭＢＲに基づいて、二次基地局とＵＥとの間にある、二次セルグループベアラ（SCG  bearer）のアップリンク伝送レートを制御する。
【０２０４】
方法２：二次基地局のベアラタイプが、二次基地局にアンカーされた分割ベアラ（SCG  split  bearer）のみを含む場合に、二次基地局が第２ＵＥ−ＡＭＢＲに基づいて二次基地局とＵＥとの間の伝送レートを制御することは、ダウンリンク上で、ダウンリンク第２ＵＥ−ＡＭＢＲに基づいて、二次基地局が、二次基地局とＵＥとの間にある、二次基地局にアンカーされた分割ベアラのダウンリンク伝送レートを制御し、且つ、マスタ基地局とＵＥとの間にある、二次基地局にアンカーされた分割ベアラのダウンリンク伝送レートを制御すること、又はアップリンク上で、二次基地局が、アップリンク第２ＵＥ−ＡＭＢＲに基づいて、二次基地局とＵＥとの間にある、二次基地局にアンカーされた分割ベアラのアップリンク伝送レートを制御することを含む。
【０２０５】
方法３：二次基地局のベアラタイプが二次セルグループベアラ（SCG  bearer）及び二次基地局にアンカーされた分割ベアラ（SCG  split  bearer）を含む場合に、二次基地局が第２ＵＥ−ＡＭＢＲに基づいて二次基地局とＵＥとの間の伝送レートを制御することは、
ダウンリンク上で、ダウンリンク第２ＵＥ−ＡＭＢＲに基づいて、二次基地局が、二次基地局とＵＥとの間にある、二次セルグループベアラ及び二次基地局にアンカーされた分割ベアラのダウンリンク伝送レートを制御し、且つ、マスタ基地局とＵＥとの間にある、二次基地局にアンカーされた分割ベアラのダウンリンク伝送レートを制御すること、又はアップリンク上で、二次基地局が、アップリンク第２ＵＥ−ＡＭＢＲに基づいて、二次基地局とＵＥとの間にある、二次セルグループベアラ及び二次基地局にアンカーされた分割ベアラのアップリンク伝送レートを制御することを含む。
【０２０６】
本願のこの実施形態で提供される伝送レート制御方法によれば、マスタ基地局はＵＥ−ＡＭＢＲを取得し、二次基地局のベアラタイプを決定し、ＵＥ−ＡＭＢＲ及びベアラタイプに基づいて、マスタ基地局のために使用される第１ＵＥ−ＡＭＢＲと、二次基地局のために使用される第２ＵＥ−ＡＭＢＲとを決定し、そして、マスタ基地局は、第２ＵＥ−ＡＭＢＲ及びベアラタイプを二次基地局へ送信してよい。二次基地局は、第２ＵＥ−ＡＭＢＲ及びベアラタイプに基づいて二次基地局とＵＥとの間の伝送レートを制御してよく、マスタ基地局は、第１ＵＥ−ＡＭＢＲに基づいてマスタ基地局とＵＥとの間の伝送レートを制御する。
【０２０７】
上記の実施形態で記載されるＵＥのＵＥ−ＡＭＢＲを制御する全ての制御方法は、ＧＢＲサービスにも適用可能である。具体的に言えば、マスタ基地局は、ＵＥ  ＧＢＲに基づき、マスタ基地局のために使用される第１ＧＢＲと、二次基地局のために使用される第２ＧＢＲとを決定し得る。全ての方法は、上記の実施形態における方法と同じであり、詳細は、ここで再び記載されない。
【０２０８】
図７は、本願に従う通信装置の実施形態１の略構造図である。装置は、基地局に位置してよい。図７を参照すると、装置は、取得ユニット７０１、決定ユニット７０２、及び送信ユニット７０３を含む。  
取得ユニット７０１は、ユーザ装置集約最大ビットレートＵＥ−ＡＭＢＲを取得する。  
決定ユニット７０２は、ＵＥ−ＡＭＢＲに基づいて、マスタ基地局のために使用される第１ＵＥ−ＡＭＢＲと、二次基地局のために使用される第２ＵＥ−ＡＭＢＲとを決定する。  
送信ユニット７０３は、第２ＵＥ−ＡＭＢＲを二次基地局へ送信する。  
送信ユニット７０３は、二次基地局に対して、二次基地局にマスタ基地局のためのデータ分割を制御するように指示するために使用される指示情報を更に送信する。
【０２０９】
任意に、二次基地局にアンカーされた分割ベアラ（SCG  split  bearer）のみがマスタ基地局に存在する場合に、指示情報は第３ＵＥ−ＡＭＢＲであり、第３ＵＥ−ＡＭＢＲは第１ＵＥ−ＡＭＢＲに等しい。
【０２１０】
任意に、二次基地局にアンカーされた分割ベアラ（SCG  split  bearer）のみがマスタ基地局に存在する場合に、指示情報は分割制御情報である。
【０２１１】
任意に、二次基地局にアンカーされた分割ベアラ（SCG  split  bearer）と、マスタセルグループベアラ（MCG  bearer）との両方がマスタ基地局に存在する場合に、指示情報は第４ＵＥ−ＡＭＢＲであり、第４ＵＥ−ＡＭＢＲは第１ＵＥ−ＡＭＢＲよりも小さい。
【０２１２】
任意に、二次基地局にアンカーされた分割ベアラ（SCG  split  bearer）と、マスタセルグループベアラ（MCG  bearer）との両方がマスタ基地局に存在する場合に、指示情報は分割制御情報である。
【０２１３】
任意に、図７に示される実施形態に基づいて、装置は、受信ユニット、調整ユニット、及び第１制御ユニットを更に含む。  
受信ユニットは、調整された第２ＵＥ−ＡＭＢＲを二次基地局から受信するよう構成される。  
調整ユニットは、調整された第２ＵＥ−ＡＭＢＲに基づいて第１ＵＥ−ＡＭＢＲを調整するよう構成される。  
第１制御ユニットは、調整された第１ＵＥ−ＡＭＢＲに基づいてマスタ基地局とユーザ装置ＵＥとの間の伝送レートを調整するよう構成される。
【０２１４】
任意に、装置は、第２制御ユニットを更に含む。  
マスタ基地局がアップリンク分割データを送信するよう構成される場合に、第２制御ユニットは、第１ＵＥ−ＡＭＢＲに基づいてマスタ基地局とＵＥとの間のアップリンク伝送レートを制御するよう構成され、
第２制御ユニットは、具体的に、
マスタ基地局とＵＥとの間にある、二次基地局にアンカーされた分割ベアラのアップリンク伝送レートを制御するよう構成される。
【０２１５】
任意に、装置は、第２制御ユニットを更に含む。  
マスタ基地局がアップリンク分割データを送信するよう構成される場合に、第２制御ユニットは、第１ＵＥ−ＡＭＢＲに基づいてマスタ基地局とＵＥとの間のアップリンク伝送レートを制御するよう構成され、
第２制御ユニットは、具体的に、
マスタ基地局とＵＥとの間にある、マスタセルグループベアラ及び二次基地局にアンカーされた分割ベアラのアップリンク伝送レートを制御するよう構成される。
【０２１６】
任意に、装置は、第２制御ユニットを更に含む。  
第２制御ユニットは、第１ＵＥ−ＡＭＢＲに基づいてマスタ基地局とＵＥとの間のダウンリンク伝送レートを制御し、
第２制御ユニットは、具体的に、
マスタ基地局とＵＥとの間にある、二次基地局にアンカーされた分割ベアラのダウンリンク伝送レートを制御するよう構成される。
【０２１７】
任意に、装置、第２制御ユニットを更に含む。  
第２制御ユニットは、第１ＵＥ−ＡＭＢＲに基づいてマスタ基地局とＵＥとの間のダウンリンク伝送レートを制御し、
第２制御ユニットは、具体的に、
マスタ基地局とＵＥとの間にある、マスタセルグループベアラ及び二次基地局にアンカーされた分割ベアラのダウンリンク伝送レートを制御するよう構成される。
【０２１８】
上記の装置は、上記の対応する方法実施形態で提供される方法を実行するよう構成され得る。具体的な実施及び技術的効果は、上記の方法実施形態で提供される方法のそれらと同様であり、詳細は、ここで再び記載されない。
【０２１９】
通信装置の上記のユニットの分割は、論理機能の分割にすぎないことが留意されるべきである。実際の実施では、ユニットの全て又は一部は、１つの物理エンティティに一体化されても、あるいは、物理的に分離されてもよい。その上、ユニットの全てが、プロセッシング素子によって呼び出されるソフトウェアの形で、又はハードウェアの形で実装されてもよい。代替的に、ユニットの一部は、プロセッシング素子によって呼び出されるソフトウェアの形で実装されてよく、ユニットの一部は、ハードウェアの形で実装されてよい。例えば、送信ユニットは、独立して配置されたプロセッシング素子であっても、あるいは、実装のために基地局のチップに組み込まれてもよい。その上、送信ユニットは、代替的に、プログラムの形で基地局のメモリに記憶されてもよく、基地局のプロセッシング素子は、送信ユニットの機能を呼び出して実行する。他のユニットの実装は、送信ユニットのそれと同様である。その上、ユニットの全て又は一部は、一体化されても、あるいは、別々に実装されてもよい。ここで、プロセッシング素子は、信号処理能力を備えた集積回路であってよい。実施プロセスにおいて、上記の方法のステップ又は上記のユニットは、プロセッシング素子においてハードウェアの集積論理回路を使用することによって、又はソフトウェアの形で命令を使用することによって、実装されてよい。その上、送信ユニットは送信制御ユニットであり、基地局のアンテナ又は無線周波数装置のような送信装置を使用することによって、端末によって送信された情報を受信してよい。
【０２２０】
上記のユニットは、上記の方法を実装するよう構成された１以上の集積回路、例えば、１以上の特定用途向け集積回路（Application-Specific  Integrated  Circuit，ＡＳＩＣ）、１以上のマイクロプロセッサ（digital  signal  processor，ＤＳＰ）、又は１以上のフィールド・プログラマブル・ゲート・アレイ（Field  Programmable  Gate  Array，ＦＰＧＡ）であってよい。他の例として、上記のユニットのうちの１つが、プロセッシング素子がプログラムを呼び出すことによって実装される場合に、プロセッシング素子は、汎用のプロセッサ、例えば、中央演算処理装置（Central  Processing  Unit，ＣＰＵ）又はプログラムを呼び出すことができる他のプロセッサであってよい。他の例として、ユニットは、システム・オン・ア・チップ（system-on-a-chip，ＳＯＣ）の形で集積及び実装されてよい。
【０２２１】
図８は、本願の通信装置の実施形態２の略構造図である。装置は、基地局に位置してよい。図８を参照すると、装置は、第１受信ユニット８０１及び第２受信ユニット８０２を含む。  
第１受信ユニット８０１は、マスタ基地局から、二次基地局のために使用される第２ユーザ装置集約最大ビットレートＵＥ−ＡＭＢＲを受信するよう構成され、ここで、第２ＵＥ−ＡＭＢＲは、ＵＥ−ＡＭＢＲに基づいて取得される。  
第２受信ユニット８０２は、指示情報をマスタ基地局から受信するよう構成され、ここで、指示情報は、二次基地局にマスタ基地局のためのデータ分割を制御するように指示するために使用される。
【０２２２】
任意に、図８に示される実施形態に基づいて、装置は制御ユニットを更に含む。  
二次基地局にアンカーされた分割ベアラ（SCG  split  bearer）のみがマスタ基地局に存在する場合に、指示情報は第３ＵＥ−ＡＭＢＲであり、第３ＵＥ−ＡＭＢＲは、マスタ基地局のために使用される第１ＵＥ−ＡＭＢＲに等しく、第１ＵＥ−ＡＭＢＲは、ＵＥ−ＡＭＢＲに基づいて取得され、
制御ユニットは、第３ＵＥ−ＡＭＢＲに基づいてマスタ基地局とユーザ装置との間のダウンリンク伝送レートを制御するよう構成され、
制御ユニットは、具体的に、
マスタ基地局とＵＥとの間にある、二次基地局にアンカーされた分割ベアラのダウンリンク伝送レートを制御するよう構成される。
【０２２３】
任意に、図８に示される実施形態に基づいて、装置は第１送信ユニットを更に含む。  
二次基地局にアンカーされた分割ベアラ（SCG  split  bearer）のみがマスタ基地局に存在する場合に、指示情報は分割制御情報であり、
第１送信ユニットは、分割制御情報に従って分割データをマスタ基地局へ送信するよう構成される。
【０２２４】
任意に、図８に示される実施形態に基づいて、装置は第２送信ユニットを更に含む。  
二次基地局にアンカーされた分割ベアラ（SCG  split  bearer）と、マスタセルグループベアラ（MCG  bearer）との両方がマスタ基地局に存在する場合に、指示情報は第４ＵＥ−ＡＭＢＲであり、第４ＵＥ−ＡＭＢＲは、マスタ基地局のために使用される第１ＵＥ−ＡＭＢＲよりも小さく、第１ＵＥ−ＡＭＢＲは、ＵＥ−ＡＭＢＲに基づいて取得され、
第２送信ユニットは、第４ＵＥ−ＡＭＢＲに従って分割データをマスタ基地局へ送信するよう構成される。
【０２２５】
任意に、図８に示される実施形態に基づいて、装置は第３送信ユニットを更に含む。  
二次基地局にアンカーされた分割ベアラ（SCG  split  bearer）と、マスタセルグループベアラ（MCG  bearer）との両方がマスタ基地局に存在する場合に、指示情報は分割制御情報であり、
第３送信ユニットは、分割制御情報に従って分割データをマスタ基地局へ送信するよう構成される。
【０２２６】
任意に、図８に示される実施形態に基づいて、装置は、処理ユニット及び第４送信ユニットを更に含む。  
処理ユニットは、第２ＵＥ−ＡＭＢＲを調整するよう構成される。  
第４送信ユニットは、調整された第２ＵＥ−ＡＭＢＲをマスタ基地局へ送信するよう構成される。
【０２２７】
上記の装置は、上記の対応する方法実施形態で提供される方法を実行するよう構成され得る。具体的な実施及び技術的効果は、上記の方法実施形態で提供される方法のそれらと同様であり、詳細は、ここで再び記載されない。
【０２２８】
通信装置の上記のユニットの分割は、論理機能の分割にすぎないことが留意されるべきである。実際の実施では、ユニットの全て又は一部は、１つの物理エンティティに一体化されても、あるいは、物理的に分離されてもよい。その上、ユニットの全てが、プロセッシング素子によって呼び出されるソフトウェアの形で、又はハードウェアの形で実装されてもよい。代替的に、ユニットの一部は、プロセッシング素子によって呼び出されるソフトウェアの形で実装されてよく、ユニットの一部は、ハードウェアの形で実装されてよい。例えば、送信ユニットは、独立して配置されたプロセッシング素子であっても、あるいは、実装のために基地局のチップに組み込まれてもよい。その上、送信ユニットは、代替的に、プログラムの形で基地局のメモリに記憶されてもよく、基地局のプロセッシング素子は、送信ユニットの機能を呼び出して実行する。他のユニットの実装は、送信ユニットのそれと同様である。その上、ユニットの全て又は一部は、一体化されても、あるいは、別々に実装されてもよい。ここで、プロセッシング素子は、信号処理能力を備えた集積回路であってよい。実施プロセスにおいて、上記の方法のステップ又は上記のユニットは、プロセッシング素子においてハードウェアの集積論理回路を使用することによって、又はソフトウェアの形で命令を使用することによって、実装されてよい。その上、送信ユニットは送信制御ユニットであり、基地局のアンテナ又は無線周波数装置のような送信装置を使用することによって、端末によって送信された情報を受信してよい。
【０２２９】
上記のユニットは、上記の方法を実装するよう構成された１以上の集積回路、例えば、１以上の特定用途向け集積回路（Application-Specific  Integrated  Circuit，ＡＳＩＣ）、１以上のマイクロプロセッサ（digital  signal  processor，ＤＳＰ）、又は１以上のフィールド・プログラマブル・ゲート・アレイ（Field  Programmable  Gate  Array，ＦＰＧＡ）であってよい。他の例として、上記のユニットのうちの１つが、プロセッシング素子がプログラムを呼び出すことによって実装される場合に、プロセッシング素子は、汎用のプロセッサ、例えば、中央演算処理装置（Central  Processing  Unit，ＣＰＵ）又はプログラムを呼び出すことができる他のプロセッサであってよい。他の例として、ユニットは、システム・オン・ア・チップ（system-on-a-chip，ＳＯＣ）の形で集積及び実装されてよい。
【０２３０】
図９は、本願に従う通信装置の実施形態３の略構造図である。装置は、基地局に位置してよい。図９を参照すると、装置は、受信ユニット９０１、決定ユニット９０２、及び送信ユニット９０３を含む。  
受信ユニット９０１は、ユーザ装置集約最大ビットレートＵＥ−ＡＭＢＲをマスタ基地局から受信するよう構成される。  
決定ユニット９０２は、ＵＥ−ＡＭＢＲに基づいて、マスタ基地局のために使用される第１ＵＥ−ＡＭＢＲと、二次基地局のために使用される第２ＵＥ−ＡＭＢＲとを決定するよう構成される。  
送信ユニット９０３は、第１ＵＥ−ＡＭＢＲ及び／又は第２ＵＥ−ＡＭＢＲをマスタ基地局へ送信するよう構成される。
【０２３１】
任意に、受信ユニット９０１は、マスタ基地局によって送信される参照情報を受信するよう更に構成される。参照情報は、
ユーザ装置ＵＥによってサポートされる全ての無保証ビットレートｎｏｎ−ＧＢＲサービスに関する情報、又は
マスタセルグループベアラに対応するｎｏｎ−ＧＢＲサービスに関する情報
を含む。  
二次基地局によってＵＥ−ＡＭＢＲに基づいて、マスタ基地局のために使用される第１ＵＥ−ＡＭＢＲと、二次基地局のために使用される第２ＵＥ−ＡＭＢＲとを決定することは、
二次基地局によって、参照情報及びＵＥ−ＡＭＢＲに基づいて第１ＵＥ−ＡＭＢＲ及び第２ＵＥ−ＡＭＢＲを決定することを含む。
【０２３２】
任意に、ｎｏｎ−ＧＢＲサービスに関する情報は、次の組み合わせ：
ｎｏｎ−ＧＢＲサービスの量、又は
ｎｏｎ−ＧＢＲサービスに対応するクオリティ・オブ・サービスクラス識別子ＱＣＩ、又は
ｎｏｎ−ＧＢＲサービスに対応する無線アクセスベアラ識別子、又は
ｎｏｎ−ＧＢＲサービスに対応する割り当て／維持優先度ＡＲＰ
のうちの少なくとも１つを含む。
【０２３３】
上記の装置は、上記の対応する方法実施形態で提供される方法を実行するよう構成され得る。具体的な実施及び技術的効果は、上記の方法実施形態で提供される方法のそれらと同様であり、詳細は、ここで再び記載されない。
【０２３４】
通信装置の上記のユニットの分割は、論理機能の分割にすぎないことが留意されるべきである。実際の実施では、ユニットの全て又は一部は、１つの物理エンティティに一体化されても、あるいは、物理的に分離されてもよい。その上、ユニットの全てが、プロセッシング素子によって呼び出されるソフトウェアの形で、又はハードウェアの形で実装されてもよい。代替的に、ユニットの一部は、プロセッシング素子によって呼び出されるソフトウェアの形で実装されてよく、ユニットの一部は、ハードウェアの形で実装されてよい。例えば、送信ユニットは、独立して配置されたプロセッシング素子であっても、あるいは、実装のために基地局のチップに組み込まれてもよい。その上、送信ユニットは、代替的に、プログラムの形で基地局のメモリに記憶されてもよく、基地局のプロセッシング素子は、送信ユニットの機能を呼び出して実行する。他のユニットの実装は、送信ユニットのそれと同様である。その上、ユニットの全て又は一部は、一体化されても、あるいは、別々に実装されてもよい。ここで、プロセッシング素子は、信号処理能力を備えた集積回路であってよい。実施プロセスにおいて、上記の方法のステップ又は上記のユニットは、プロセッシング素子においてハードウェアの集積論理回路を使用することによって、又はソフトウェアの形で命令を使用することによって、実装されてよい。その上、送信ユニットは送信制御ユニットであり、基地局のアンテナ又は無線周波数装置のような送信装置を使用することによって、端末によって送信された情報を受信してよい。
【０２３５】
上記のユニットは、上記の方法を実装するよう構成された１以上の集積回路、例えば、１以上の特定用途向け集積回路（Application-Specific  Integrated  Circuit，ＡＳＩＣ）、１以上のマイクロプロセッサ（digital  signal  processor，ＤＳＰ）、又は１以上のフィールド・プログラマブル・ゲート・アレイ（Field  Programmable  Gate  Array，ＦＰＧＡ）であってよい。他の例として、上記のユニットのうちの１つが、プロセッシング素子がプログラムを呼び出すことによって実装される場合に、プロセッシング素子は、汎用のプロセッサ、例えば、中央演算処理装置（Central  Processing  Unit，ＣＰＵ）又はプログラムを呼び出すことができる他のプロセッサであってよい。他の例として、ユニットは、システム・オン・ア・チップ（system-on-a-chip，ＳＯＣ）の形で集積及び実装されてよい。
【０２３６】
図１０は、本願に従う通信装置の実施形態４の略構造図である。装置は、基地局に位置してよい。図１０を参照すると、装置は、送信ユニット１００１及び受信ユニット１００２を含む。  
送信ユニット１００１は、ユーザ装置集約最大ビットレートＵＥ−ＡＭＢＲを二次基地局へ送信するよう構成される。  
受信ユニット１００２は、第１ＵＥ−ＡＭＢＲ及び／又は第２ＵＥ−ＡＭＢＲを二次基地局から受信するよう構成され、ここで、第１ＵＥ−ＡＭＢＲ及び第２ＵＥ−ＡＭＢＲは、ＵＥ−ＡＭＢＲに基づいて取得される。
【０２３７】
任意に、送信ユニット１００１は、参照情報を二次基地局へ送信するよう更に構成される。参照情報は、
ユーザ装置ＵＥによってサポートされる全ての無保証ビットレートｎｏｎ−ＧＢＲサービスに関する情報、又は
マスタセルグループベアラに対応するｎｏｎ−ＧＢＲサービスに関する情報
を含む。
【０２３８】
任意に、ｎｏｎ−ＧＢＲサービスに関する情報は、次の組み合わせ：
ｎｏｎ−ＧＢＲサービスの量、又は
ｎｏｎ−ＧＢＲサービスに対応するクオリティ・オブ・サービスクラス識別子ＱＣＩ、又は
ｎｏｎ−ＧＢＲサービスに対応する無線アクセスベアラ識別子、又は
ｎｏｎ−ＧＢＲサービスに対応する割り当て／維持優先度ＡＲＰ
のうちの少なくとも１つを含む。
【０２３９】
上記の装置は、上記の対応する方法実施形態で提供される方法を実行するよう構成され得る。具体的な実施及び技術的効果は、上記の方法実施形態で提供される方法のそれらと同様であり、詳細は、ここで再び記載されない。
【０２４０】
通信装置の上記のユニットの分割は、論理機能の分割にすぎないことが留意されるべきである。実際の実施では、ユニットの全て又は一部は、１つの物理エンティティに一体化されても、あるいは、物理的に分離されてもよい。その上、ユニットの全てが、プロセッシング素子によって呼び出されるソフトウェアの形で、又はハードウェアの形で実装されてもよい。代替的に、ユニットの一部は、プロセッシング素子によって呼び出されるソフトウェアの形で実装されてよく、ユニットの一部は、ハードウェアの形で実装されてよい。例えば、送信ユニットは、独立して配置されたプロセッシング素子であっても、あるいは、実装のために基地局のチップに組み込まれてもよい。その上、送信ユニットは、代替的に、プログラムの形で基地局のメモリに記憶されてもよく、基地局のプロセッシング素子は、送信ユニットの機能を呼び出して実行する。他のユニットの実装は、送信ユニットのそれと同様である。その上、ユニットの全て又は一部は、一体化されても、あるいは、別々に実装されてもよい。ここで、プロセッシング素子は、信号処理能力を備えた集積回路であってよい。実施プロセスにおいて、上記の方法のステップ又は上記のユニットは、プロセッシング素子においてハードウェアの集積論理回路を使用することによって、又はソフトウェアの形で命令を使用することによって、実装されてよい。その上、送信ユニットは送信制御ユニットであり、基地局のアンテナ又は無線周波数装置のような送信装置を使用することによって、端末によって送信された情報を受信してよい。
【０２４１】
上記のユニットは、上記の方法を実装するよう構成された１以上の集積回路、例えば、１以上の特定用途向け集積回路（Application-Specific  Integrated  Circuit，ＡＳＩＣ）、１以上のマイクロプロセッサ（digital  signal  processor，ＤＳＰ）、又は１以上のフィールド・プログラマブル・ゲート・アレイ（Field  Programmable  Gate  Array，ＦＰＧＡ）であってよい。他の例として、上記のユニットのうちの１つが、プロセッシング素子がプログラムを呼び出すことによって実装される場合に、プロセッシング素子は、汎用のプロセッサ、例えば、中央演算処理装置（Central  Processing  Unit，ＣＰＵ）又はプログラムを呼び出すことができる他のプロセッサであってよい。他の例として、ユニットは、システム・オン・ア・チップ（system-on-a-chip，ＳＯＣ）の形で集積及び実装されてよい。
【０２４２】
図１１は、本願に従う通信装置の実施形態５の略構造図である。装置は、基地局に位置してよい。図１１を参照すると、装置は、取得ユニット１１０１、決定ユニット１１０２、及び送信ユニット１１０３を含む。  
取得ユニット１１０１は、ユーザ装置集約最大ビットレートＵＥ−ＡＭＢＲを取得する。  
決定ユニット１１０２は、二次基地局のベアラタイプを決定し、ＵＥ−ＡＭＢＲに基づいて、二次基地局のために使用される第２ＵＥ−ＡＭＢＲを決定し、ここで、第２ＵＥ−ＡＭＢＲは、二次基地局によって、二次基地局のベアラタイプに基づいて端末伝送レートを制御するために使用される。  
送信ユニット１１０３は、第２ＵＥ−ＡＭＢＲ及び二次基地局のベアラタイプを二次基地局へ送信する。
【０２４３】
任意に、二次基地局のベアラタイプが二次セルグループベアラ（SCG  bearer）のみを含む場合に、第２ＵＥ−ＡＭＢＲが、二次基地局によって、二次基地局のベアラタイプに基づいて端末伝送レートを制御するために使用されることは、
二次基地局が、第２ＵＥ−ＡＭＢＲに基づいて、二次基地局とＵＥとの間の伝送レートを制御することを含む。
【０２４４】
任意に、二次基地局のベアラタイプが二次基地局にアンカーされた分割ベアラのみを含む場合に、第２ＵＥ−ＡＭＢＲが、二次基地局によって、二次基地局のベアラタイプに基づいて端末伝送レートを制御するために使用されることは、
ダウンリンク上で、第２ＵＥ−ＡＭＢＲに基づいて、二次基地局が、二次基地局とＵＥとの間にある、二次基地局にアンカーされた分割ベアラのダウンリンク伝送レートを制御し、且つ、マスタ基地局とＵＥとの間にある、二次基地局にアンカーされた分割ベアラのダウンリンク伝送レートを制御すること、又は
アップリンク上で、二次基地局が、第２ＵＥ−ＡＭＢＲに基づいて、二次基地局とＵＥとの間にある、二次基地局にアンカーされた分割ベアラのアップリンク伝送レートを制御すること
を含む。
【０２４５】
任意に、二次基地局のベアラタイプが二次セルグループベアラ及び二次基地局にアンカーされた分割ベアラを含む場合に、第２ＵＥ−ＡＭＢＲが、二次基地局によって、二次基地局のベアラタイプに基づいて端末伝送レートを制御するために使用されることは、
ダウンリンク上で、第２ＵＥ−ＡＭＢＲに基づいて、二次基地局が、二次基地局とＵＥとの間にある、二次セルグループベアラ及び二次基地局にアンカーされた分割ベアラのダウンリンク伝送レートを制御し、且つ、マスタ基地局とＵＥとの間にある、二次基地局にアンカーされた分割ベアラのダウンリンク伝送レートを制御すること、又は
アップリンク上で、二次基地局が、第２ＵＥ−ＡＭＢＲに基づいて、二次基地局とＵＥとの間にある、二次セルグループベアラ及び二次基地局にアンカーされた分割ベアラのアップリンク伝送レートを制御すること
を含む。
【０２４６】
上記の装置は、上記の対応する方法実施形態で提供される方法を実行するよう構成され得る。具体的な実施及び技術的効果は、上記の方法実施形態で提供される方法のそれらと同様であり、詳細は、ここで再び記載されない。
【０２４７】
通信装置の上記のユニットの分割は、論理機能の分割にすぎないことが留意されるべきである。実際の実施では、ユニットの全て又は一部は、１つの物理エンティティに一体化されても、あるいは、物理的に分離されてもよい。その上、ユニットの全てが、プロセッシング素子によって呼び出されるソフトウェアの形で、又はハードウェアの形で実装されてもよい。代替的に、ユニットの一部は、プロセッシング素子によって呼び出されるソフトウェアの形で実装されてよく、ユニットの一部は、ハードウェアの形で実装されてよい。例えば、送信ユニットは、独立して配置されたプロセッシング素子であっても、あるいは、実装のために基地局のチップに組み込まれてもよい。その上、送信ユニットは、代替的に、プログラムの形で基地局のメモリに記憶されてもよく、基地局のプロセッシング素子は、送信ユニットの機能を呼び出して実行する。他のユニットの実装は、送信ユニットのそれと同様である。その上、ユニットの全て又は一部は、一体化されても、あるいは、別々に実装されてもよい。ここで、プロセッシング素子は、信号処理能力を備えた集積回路であってよい。実施プロセスにおいて、上記の方法のステップ又は上記のユニットは、プロセッシング素子においてハードウェアの集積論理回路を使用することによって、又はソフトウェアの形で命令を使用することによって、実装されてよい。その上、送信ユニットは送信制御ユニットであり、基地局のアンテナ又は無線周波数装置のような送信装置を使用することによって、端末によって送信された情報を受信してよい。
【０２４８】
上記のユニットは、上記の方法を実装するよう構成された１以上の集積回路、例えば、１以上の特定用途向け集積回路（Application-Specific  Integrated  Circuit，ＡＳＩＣ）、１以上のマイクロプロセッサ（digital  signal  processor，ＤＳＰ）、又は１以上のフィールド・プログラマブル・ゲート・アレイ（Field  Programmable  Gate  Array，ＦＰＧＡ）であってよい。他の例として、上記のユニットのうちの１つが、プロセッシング素子がプログラムを呼び出すことによって実装される場合に、プロセッシング素子は、汎用のプロセッサ、例えば、中央演算処理装置（Central  Processing  Unit，ＣＰＵ）又はプログラムを呼び出すことができる他のプロセッサであってよい。他の例として、ユニットは、システム・オン・ア・チップ（system-on-a-chip，ＳＯＣ）の形で集積及び実装されてよい。
【０２４９】
図１２は、本願の実施形態に従う基地局の略構造図である。図１２を参照すると、基地局は、アンテナ１１０、無線周波数装置１２０、及びベースバンド装置１３０を含む。アンテナ１１０は、無線周波数装置１２０へ接続される。アップリンク方向において、無線周波数装置１２０は、アンテナ１１０を通じて、端末によって送信された情報を受信し、処理のためにベースバンド装置１３０に対して、端末によって送信された情報を送信する。ダウンリンク方向において、ベースバンド装置１３０は、端末からの情報を処理し、処理された情報を無線周波数装置１２０へ送信し、無線周波数装置１２０は、端末からの情報を処理し、次いで、処理された情報を端末に対してアンテナ１１０を通じて送信する。
【０２５０】
上記の通信装置は、ベースバンド装置１３０に位置してよい。実施において、上記のユニットは、プロセッシング素子がプログラムを呼び出すことによって実装される。例えば、ベースバンド装置１３０は、プロセッシング素子１３１及び記憶素子１３２を含む。プロセッシング素子１３１は、上記の方法実施形態における方法を実行するために、記憶素子１３２に記憶されているプログラムを呼び出す。その上、ベースバンド装置１３０は、無線周波数装置１２０と情報をやり取りするよう構成されたインターフェイス１３３を更に含んでもよい。例えば、インターフェイスは、共通公衆無線インターフェイス（common  public  radio  interface，ＣＰＲＩ）である。
【０２５１】
他の実施において、それらのユニットは、上記の方法を実装するよう構成された１以上のプロセッシング素子であってよく、これらのプロセッシング素子は、ベースバンド装置１３０に配置される。ここで、プロセッシング素子は、集積回路、例えば、１以上のＡＳＩＣ、１以上のＤＳＰ、又は１以上のＦＰＧＡであってよい。これらの集積回路は、チップを形成するように一体化されてもよい。
【０２５２】
例えば、上記のユニットは、システム・オン・ア・チップ（system-on-a-chip，ＳＯＣ）の形で集積及び実装されてよい。例えば、ベースバンド装置１３０はＳＯＣチップを含み、ＳＯＣチップは上記の方法を実装するよう構成される。プロセッシング素子１３１及び記憶素子１３２は、チップに集積されてよく、プロセッシング素子１３１は、上記の方法又は上記のユニットの機能を実装するために、記憶素子１３２に記憶されているプログラムを呼び出す。代替的に、少なくとも１つの集積回路が、上記の方法又は上記のユニットの機能を実装するために、チップに集積されてもよい。代替的に、上記の実施は組み合わされてもよく、それにより、いくつかのユニットの機能は、プロセッシング素子がプログラムを呼び出すことによって実装され、いくつかのユニットの機能は、集積回路によって実装される。
【０２５３】
如何なる方法でも、通信装置は、少なくとも１つのプロセッシング素子と、記憶素子と、通信インターフェイスを含む。少なくとも１つのプロセッシング素子は、上記の方法実施形態で提供される方法を実行するよう構成される。プロセッシング素子は、第１の方法、すなわち、記憶素子に記憶されているプログラムを実行する方法で、又は第２の方法、すなわち、プロセッシング素子内のハードウェアの集積論理回路を命令と組み合わせて使用する方法で、上記の方法実施形態におけるステップの一部又は全てを実行してよい。確かに、上記の方法実施形態で提供される方法は、代替的に、第１の方法を第２の方法と組み合わせることによって実行されてもよい。
【０２５４】
上記の説明と同様に、ここで、プロセッシング素子は、中央演算処理装置（Central  Processing  Unit，ＣＰＵ）のような汎用のプロセッサであっても、あるいは、上記の方法を実装するよう構成された１以上の集積回路、例えば、１以上の特定用途向け集積回路（Application-Specific  Integrated  Circuit，ＡＳＩＣ）、１以上のマイクロプロセッサ（digital  signal  processor，ＤＳＰ）、又は１以上のフィールド・プログラマブル・ゲート・アレイ（Field  Programmable  Gate  Array，ＦＰＧＡ）であってもよい。
【０２５５】
記憶素子は、メモリであっても、あるいは、複数の記憶素子の総称であってもよい。
【０２５６】
本願は、読み出し可能な記憶媒体を含む記憶媒体と、コンピュータプログラムとを更に提供する。コンピュータプログラムは、上記の実施形態のいずれか１つで提供される伝送レート制御方法を実装するために使用される。
【０２５７】
本願は、プログラム製品を更に提供し、プログラム製品は、コンピュータプログラム（すなわち、実行命令）を含み、コンピュータプログラムは、読み出し可能な記憶媒体に記憶される。送信デバイスの少なくとも１つのプロセッサは、読み出し可能な記憶媒体からコンピュータプログラムを読み出してよく、少なくとも１つのプロセッサはコンピュータプログラムを実行して、それにより、送信デバイスは、上記の実施で提供される伝送レート制御方法を実装する。
【０２５８】
本願の実施形態は、少なくとも１つの記憶素子及び少なくとも１つのプロセッシング素子を含む通信装置を更に提供する。少なくとも１つの記憶素子は、プログラムを記憶するよう構成される。プログラムが実行されるときに、通信装置は、上記の実施形態のいずれか１つにおける基地局（マスタ基地局又は二次基地局）の動作を実行することを可能にされる。装置は、基地局チップであってよい。
【０２５９】
上記の方法実施形態におけるステップの全て又は一部は、関連するハードウェアに指示するプログラムによって実装されてよい。上記のプログラムは、読み出し可能なメモリに記憶されてよい。プログラムが実行されるときに、方法実施形態におけるステップは実行される。上記のメモリ（記憶媒体）は、リード・オンリー・メモリ（英語：read-only  memory，略してＲＯＭ）、ＲＡＭ、フラッシュメモリ、ハードディスク、固体状態ディスク、磁気テープ（英語：magnetic  tape）、フロッピーディスク（英語：floppy  disk）、光ディスク（英語：optical  disc）、又はそれらの任意の組み合わせを含む。
【図１】
2020523956.tif 000003
【図２ａ】
2020523956.tif 000004
【図２ｂ】
2020523956.tif 000005
【図２ｃ】
2020523956.tif 000006
【図３】
2020523956.tif 000007
【図４】
2020523956.tif 000008
【図５】
2020523956.tif 000009
【図６】
2020523956.tif 000010
【図７】
2020523956.tif 000011
【図８】
2020523956.tif 000012
【図９】
2020523956.tif 000013
【図１０】
2020523956.tif 000014
【図１１】
2020523956.tif 000015
【図１２】
2020523956.tif 000016
【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
伝送レート制御方法であって、
二次基地局によってマスタ基地局から第２ユーザ装置集約最大ビットレート（ＵＥ−ＡＭＢＲ）及び前記二次基地局のベアラタイプを受信し、前記第２ＵＥ−ＡＭＢＲは、コアネットワークから受信されたＵＥ−ＡＭＢＲに従って決定される、ことと、
前記二次基地局によって前記第２ＵＥ−ＡＭＢＲ及び前記二次基地局の前記ベアラタイプに基づいて端末伝送レートを制御することと
を有する方法。
【請求項２】
前記二次基地局の前記ベアラタイプが二次セルグループベアラのみを有する場合に、
前記二次基地局によって前記第２ＵＥ−ＡＭＢＲ及び前記二次基地局の前記ベアラタイプに基づいて端末伝送レートを制御することは、
前記二次基地局によって前記第２ＵＥ−ＡＭＢＲに基づいて前記二次基地局とＵＥとの間の伝送レートを制御することを有する、
請求項１に記載の方法。
【請求項３】
前記二次基地局の前記ベアラタイプが、前記二次基地局にアンカーされた分割ベアラのみを有する場合に、
前記二次基地局によって前記第２ＵＥ−ＡＭＢＲ及び前記二次基地局の前記ベアラタイプに基づいて端末伝送レートを制御することは、
ダウンリンク上で、前記第２ＵＥ−ＡＭＢＲに基づいて、前記二次基地局によって、該二次基地局とＵＥとの間にある、前記二次基地局にアンカーされた前記分割ベアラのダウンリンク伝送レートを制御し、且つ、前記二次基地局によって、前記マスタ基地局と前記ＵＥとの間にある、前記二次基地局にアンカーされた前記分割ベアラのダウンリンク伝送レートを制御すること、又は
アップリンク上で、前記二次基地局によって、前記第２ＵＥ−ＡＭＢＲに基づいて、前記二次基地局と前記ＵＥとの間にある、前記二次基地局にアンカーされた前記分割ベアラのアップリンク伝送レートを制御すること
を有する、
請求項１に記載の方法。
【請求項４】
前記二次基地局の前記ベアラタイプが、二次セルグループベアラと、前記二次基地局にアンカーされた分割ベアラとを有する場合に、
前記二次基地局によって前記第２ＵＥ−ＡＭＢＲ及び前記二次基地局の前記ベアラタイプに基づいて端末伝送レートを制御することは、
ダウンリンク上で、前記第２ＵＥ−ＡＭＢＲに基づいて、前記二次基地局によって、該二次基地局とＵＥとの間にある、前記二次セルグループベアラ及び前記二次基地局にアンカーされた前記分割ベアラのダウンリンク伝送レートを制御し、且つ、前記二次基地局によって、前記マスタ基地局と前記ＵＥとの間にある、前記二次基地局にアンカーされた前記分割ベアラのダウンリンク伝送レートを制御すること、又は
アップリンク上で、前記二次基地局によって、前記第２ＵＥ−ＡＭＢＲに基づいて、前記二次基地局と前記ＵＥとの間にある、前記二次セルグループベアラ及び前記二次基地局にアンカーされた前記分割ベアラのアップリンク伝送レートを制御すること
を有する、
請求項１に記載の方法。
【請求項５】
伝送レート制御方法であって、
マスタ基地局によって、ユーザ装置集約最大ビットレート（ＵＥ−ＡＭＢＲ）を取得することと、
前記マスタ基地局によって、二次基地局のベアラタイプを決定し、前記ＵＥ−ＡＭＢＲに基づいて、前記二次基地局のために使用される第２ＵＥ−ＡＭＢＲを決定し、該第２ＵＥ−ＡＭＢＲは、前記二次基地局によって、該二次基地局の前記ベアラタイプに基づいて端末伝送レートを制御するために使用される、ことと、
前記マスタ基地局によって、前記第２ＵＥ−ＡＭＢＲ及び前記二次基地局の前記ベアラタイプを前記二次基地局へ送信することと
を有する方法。
【請求項６】
前記二次基地局の前記ベアラタイプが二次セルグループベアラのみを有する場合に、
前記第２ＵＥ−ＡＭＢＲが、前記二次基地局によって、該二次基地局の前記ベアラタイプに基づいて端末伝送レートを制御するために使用されることは、
前記第２ＵＥ−ＡＭＢＲが、前記二次基地局によって、前記第２ＵＥ−ＡＭＢＲに基づいて前記二次基地局とＵＥとの間の伝送レートを制御するために使用されることを有する、
請求項５に記載の方法。
【請求項７】
前記二次基地局の前記ベアラタイプが前記二次基地局にアンカーされた分割ベアラのみを有する場合に、
前記第２ＵＥ−ＡＭＢＲが、前記二次基地局によって、該二次基地局の前記ベアラタイプに基づいて端末伝送レートを制御するために使用されることは、
ダウンリンク上で、前記第２ＵＥ−ＡＭＢＲが、前記二次基地局によって、該二次基地局とＵＥとの間にある、前記二次基地局にアンカーされた前記分割ベアラのダウンリンク伝送レートを制御し、且つ、前記マスタ基地局と前記ＵＥとの間にある、前記二次基地局にアンカーされた前記分割ベアラのダウンリンク伝送レートを制御するために使用されること、又は
アップリンク上で、前記第２ＵＥ−ＡＭＢＲが、前記二次基地局によって、該二次基地局と前記ＵＥとの間にある、前記二次基地局にアンカーされた前記分割ベアラのアップリンク伝送レートを制御するために使用されること
を有する、
請求項５に記載の方法。
【請求項８】
前記二次基地局の前記ベアラタイプが、二次セルグループベアラと、前記二次基地局にアンカーされた分割ベアラとを有する場合に、
前記第２ＵＥ−ＡＭＢＲが、前記二次基地局によって、該二次基地局の前記ベアラタイプに基づいて端末伝送レートを制御するために使用されることは、
ダウンリンク上で、前記第２ＵＥ−ＡＭＢＲが、前記二次基地局によって、該二次基地局とＵＥとの間にある、前記二次セルグループベアラ及び前記二次基地局にアンカーされた前記分割ベアラのダウンリンク伝送レートを制御し、且つ、前記マスタ基地局と前記ＵＥとの間にある、前記二次基地局にアンカーされた前記分割ベアラのダウンリンク伝送レートを制御するために使用されること、又は
アップリンク上で、前記第２ＵＥ−ＡＭＢＲが、前記二次基地局によって、該二次基地局と前記ＵＥとの間にある、前記二次セルグループベアラ及び前記二次基地局にアンカーされた前記分割ベアラのアップリンク伝送レートを制御するために使用されること
を有する、
請求項５に記載の方法。
【請求項９】
マスタ基地局から第２ユーザ装置集約最大ビットレート（ＵＥ−ＡＭＢＲ）及び二次基地局のベアラタイプを受信するよう構成される受信ユニットであり、前記第２ＵＥ−ＡＭＢＲは、コアネットワークから受信されたＵＥ−ＡＭＢＲに従って決定される、前記受信ユニットと、
前記第２ＵＥ−ＡＭＢＲ及び前記二次基地局の前記ベアラタイプに基づいて端末伝送レートを制御するよう構成される制御ユニットと
を有する通信装置。
【請求項１０】
前記二次基地局の前記ベアラタイプが二次セルグループベアラのみを有する場合に、
前記制御ユニットは、前記第２ＵＥ−ＡＭＢＲに基づいて前記二次基地局とＵＥとの間の伝送レートを制御するよう特に構成される、
請求項９に記載の通信装置。
【請求項１１】
前記二次基地局の前記ベアラタイプが、前記二次基地局にアンカーされた分割ベアラのみを有する場合に、
前記制御ユニットは、
ダウンリンク上で、前記第２ＵＥ−ＡＭＢＲに基づいて、前記二次基地局とＵＥとの間にある、前記二次基地局にアンカーされた前記分割ベアラのダウンリンク伝送レートを制御し、且つ、前記マスタ基地局と前記ＵＥとの間にある、前記二次基地局にアンカーされた前記分割ベアラのダウンリンク伝送レートを制御するよう、あるいは、
アップリンク上で、前記第２ＵＥ−ＡＭＢＲに基づいて、前記二次基地局と前記ＵＥとの間にある、前記二次基地局にアンカーされた前記分割ベアラのアップリンク伝送レートを制御するよう
構成される、
請求項９に記載の通信装置。
【請求項１２】
前記二次基地局の前記ベアラタイプが、二次セルグループベアラと、前記二次基地局にアンカーされた分割ベアラとを有する場合に、
前記制御ユニットは、
ダウンリンク上で、前記第２ＵＥ−ＡＭＢＲに基づいて、前記二次基地局とＵＥとの間にある、前記二次セルグループベアラ及び前記二次基地局にアンカーされた前記分割ベアラのダウンリンク伝送レートを制御し、且つ、前記マスタ基地局と前記ＵＥとの間にある、前記二次基地局にアンカーされた前記分割ベアラのダウンリンク伝送レートを制御するよう、あるいは、
アップリンク上で、前記第２ＵＥ−ＡＭＢＲに基づいて、前記二次基地局と前記ＵＥとの間にある、前記二次セルグループベアラ及び前記二次基地局にアンカーされた前記分割ベアラのアップリンク伝送レートを制御するよう
構成される、
請求項９に記載の通信装置。
【請求項１３】
ユーザ装置集約最大ビットレート（ＵＥ−ＡＭＢＲ）を取得するよう構成される取得ユニットと、
二次基地局のベアラタイプを決定し、前記ＵＥ−ＡＭＢＲに基づいて、前記二次基地局のために使用される第２ＵＥ−ＡＭＢＲを決定するよう構成される決定ユニットであり、前記第２ＵＥ−ＡＭＢＲは、前記二次基地局によって、該二次基地局の前記ベアラタイプに基づいて端末伝送レートを制御するために使用される、前記決定ユニットと、
前記第２ＵＥ−ＡＭＢＲ及び前記二次基地局の前記ベアラタイプを前記二次基地局へ送信するよう構成される送信ユニットと
を有する通信装置。
【請求項１４】
前記二次基地局の前記ベアラタイプが二次セルグループベアラのみを有する場合に、
前記第２ＵＥ−ＡＭＢＲが、前記二次基地局によって、該二次基地局の前記ベアラタイプに基づいて端末伝送レートを制御するために使用されることは、
前記第２ＵＥ−ＡＭＢＲが、前記二次基地局によって、前記第２ＵＥ−ＡＭＢＲに基づいて前記二次基地局とＵＥとの間の伝送レートを制御するために使用されることを有する、
請求項１３に記載の通信装置。
【請求項１５】
前記二次基地局の前記ベアラタイプが前記二次基地局にアンカーされた分割ベアラのみを有する場合に、
前記第２ＵＥ−ＡＭＢＲが、前記二次基地局によって、該二次基地局の前記ベアラタイプに基づいて端末伝送レートを制御するために使用されることは、
ダウンリンク上で、前記第２ＵＥ−ＡＭＢＲが、前記二次基地局によって、該二次基地局とＵＥとの間にある、前記二次基地局にアンカーされた前記分割ベアラのダウンリンク伝送レートを制御し、且つ、マスタ基地局と前記ＵＥとの間にある、前記二次基地局にアンカーされた前記分割ベアラのダウンリンク伝送レートを制御するために使用されること、又は
アップリンク上で、前記第２ＵＥ−ＡＭＢＲが、前記二次基地局によって、該二次基地局と前記ＵＥとの間にある、前記二次基地局にアンカーされた前記分割ベアラのアップリンク伝送レートを制御するために使用されること
を有する、
請求項１３に記載の通信装置。
【請求項１６】
前記二次基地局の前記ベアラタイプが、二次セルグループベアラと、前記二次基地局にアンカーされた分割ベアラとを有する場合に、
前記第２ＵＥ−ＡＭＢＲが、前記二次基地局によって、該二次基地局の前記ベアラタイプに基づいて端末伝送レートを制御するために使用されることは、
ダウンリンク上で、前記第２ＵＥ−ＡＭＢＲが、前記二次基地局によって、該二次基地局とＵＥとの間にある、前記二次セルグループベアラ及び前記二次基地局にアンカーされた前記分割ベアラのダウンリンク伝送レートを制御し、且つ、マスタ基地局と前記ＵＥとの間にある、前記二次基地局にアンカーされた前記分割ベアラのダウンリンク伝送レートを制御するために使用されること、又は
アップリンク上で、前記第２ＵＥ−ＡＭＢＲが、前記二次基地局によって、該二次基地局と前記ＵＥとの間にある、前記二次セルグループベアラ及び前記二次基地局にアンカーされた前記分割ベアラのアップリンク伝送レートを制御するために使用されること
を有する、
請求項１３に記載の通信装置。
【請求項１７】
プロセッサ及びメモリを有する通信装置であって、
前記メモリは、命令を記憶するよう構成され、前記プロセッサは、前記メモリに記憶されている前記命令を実行するよう構成され、
前記プロセッサが前記メモリに記憶されている前記命令を実行する場合に、基地局が、請求項１乃至４のうちいずれか一項に記載の方法を実装するよう構成される、
通信装置。
【請求項１８】
プロセッサ及びメモリを有する通信装置であって、
前記メモリは、命令を記憶するよう構成され、前記プロセッサは、前記メモリに記憶されている前記命令を実行するよう構成され、
前記プロセッサが前記メモリに記憶されている前記命令を実行する場合に、基地局が、請求項５乃至８のうちいずれか一項に記載の方法を実装するよう構成される、
通信装置。
【請求項１９】
マスタ基地局及び二次基地局を有し、
前記マスタ基地局は、請求項５乃至８のうちいずれか一項に記載の方法を実行するよう構成され、
前記二次基地局は、請求項１乃至４のうちいずれか一項に記載の方法を実行するよう構成される、
通信システム。
【請求項２０】
プロセッサによって実行される場合に、該プロセッサに、請求項１乃至８のうちいずれか一項に記載の方法を実施させるプログラム。
【手続補正２】
【補正対象書類名】明細書
【補正対象項目名】００１８
【補正方法】変更
【補正の内容】
【００１８】
任意に、当該方法は、
前記マスタ基地局によって、調整された第２ＵＥ−ＡＭＢＲを前記二次基地局から受信することと、
前記マスタ基地局によって、前記調整された第２ＵＥ−ＡＭＢＲに基づいて前記第１ＵＥ−ＡＭＢＲを調整することとと、
前記マスタ基地局によって、調整された第１ＵＥ−ＡＭＢＲに基づいて前記マスタ基地局とユーザ装置（ＵＥ）との間の伝送レートを制御することと
を更に含む。
【手続補正３】
【補正対象書類名】明細書
【補正対象項目名】００１９
【補正方法】変更
【補正の内容】
【００１９】
この解決法では、マスタ基地局によって送信された第２ＵＥ−ＡＭＢＲを受信した後に、二次基地局は、二次基地局のネットワーク資源ステータス情報に基づいて、受信された第２ＵＥ−ＡＭＢＲが調整される必要があるかどうかを判定し、受信された第２ＵＥ−ＡＭＢＲが調整される必要がある場合には、第２ＵＥ−ＡＭＢＲを調整し、調整された第２ＵＥ−ＡＭＢＲをマスタ基地局へ送信してよい。マスタ基地局は、調整された第１ＵＥ−ＡＭＢＲに基づいて、マスタ基地局とユーザ装置（ＵＥ）との間の伝送レートを制御する。ネットワーク資源ステータス情報は、例えば、エアインターフェイス信号品質及び／又は負荷ステータス、あるいは、他の情報を含んでよい。
【手続補正４】
【補正対象書類名】明細書
【補正対象項目名】００２８
【補正方法】変更
【補正の内容】
【００２８】
本願の第２の態様は、伝送レート制御方法であって、
二次基地局によってマスタ基地局から、前記二次基地局のために使用される第２ユーザ装置集約最大ビットレート（ＵＥ−ＡＭＢＲ）を受信し、該第２ＵＥ−ＡＭＢＲはＵＥ−ＡＭＢＲに基づいて取得される、ことと、
前記二次基地局によって、指示情報を前記マスタ基地局から受信し、該指示情報は、前記二次基地局に前記マスタ基地局のためのデータ分割を制御するように指示するために使用される、ことと
を含む方法を提供する。
【手続補正５】
【補正対象書類名】明細書
【補正対象項目名】００３９
【補正方法】変更
【補正の内容】
【００３９】
この解決法では、マスタ基地局によって送信された第２ＵＥ−ＡＭＢＲを受信した後に、二次基地局は、二次基地局のネットワーク資源ステータス情報に基づいて、受信された第２ＵＥ−ＡＭＢＲが調整される必要があるかどうかを判定し、受信された第２ＵＥ−ＡＭＢＲが調整される必要がある場合には、第２ＵＥ−ＡＭＢＲを調整し、調整された第２ＵＥ−ＡＭＢＲをマスタ基地局へ送信してよい。マスタ基地局は、調整された第１ＵＥ−ＡＭＢＲに基づいて、マスタ基地局とユーザ装置（ＵＥ）との間の伝送レートを制御する。ネットワーク資源ステータス情報は、例えば、エアインターフェイス信号品質及び／又は負荷ステータス、あるいは、他の情報を含んでよい。
【手続補正６】
【補正対象書類名】明細書
【補正対象項目名】００４０
【補正方法】変更
【補正の内容】
【００４０】
本願の第３の態様は、伝送レート制御方法であって、
二次基地局によってマスタ基地局から、ユーザ装置集約最大ビットレート（ＵＥ−ＡＭＢＲ）を受信することと、
前記二次基地局によって前記ＵＥ−ＡＭＢＲに基づいて、前記マスタ基地局のために使用される第１ＵＥ−ＡＭＢＲと、前記二次基地局のために使用される第２ＵＥ−ＡＭＢＲとを決定することと、
前記二次基地局によって、前記第１ＵＥ−ＡＭＢＲ及び／又は前記第２ＵＥ−ＡＭＢＲを前記マスタ基地局へ送信することと
を含む方法を提供する。
【手続補正７】
【補正対象書類名】明細書
【補正対象項目名】００４４
【補正方法】変更
【補正の内容】
【００４４】
任意に、当該方法は、
前記二次基地局によって、前記マスタ基地局によって送信される参照情報を受信することを更に含み、該参照情報は、
ユーザ装置（ＵＥ）によってサポートされる全ての無保証ビットレート（ｎｏｎ−ＧＢＲ）サービスに関する情報、又は
マスタセルグループベアラに対応するｎｏｎ−ＧＢＲサービスに関する情報
を含み、
前記二次基地局によって前記ＵＥ−ＡＭＢＲに基づいて、前記マスタ基地局のために使用される第１ＵＥ−ＡＭＢＲと、前記二次基地局のために使用される第２ＵＥ−ＡＭＢＲとを決定することは、
前記二次基地局によって、前記参照情報及び前記ＵＥ−ＡＭＢＲに基づいて前記第１ＵＥ−ＡＭＢＲ及び前記第２ＵＥ−ＡＭＢＲを決定することを含む。
【手続補正８】
【補正対象書類名】明細書
【補正対象項目名】００４５
【補正方法】変更
【補正の内容】
【００４５】
任意に、前記ｎｏｎ−ＧＢＲサービスに関する前記情報は、次の組み合わせ：
ｎｏｎ−ＧＢＲサービスの量、又は
前記ｎｏｎ−ＧＢＲサービスに対応するクオリティ・オブ・サービスクラス識別子（ＱＣＩ）、又は
前記ｎｏｎ−ＧＢＲサービスに対応する無線アクセスベアラ識別子、又は
前記ｎｏｎ−ＧＢＲサービスに対応する割り当て／維持優先度（ＡＲＰ）
のうちの少なくとも１つを含む。
【手続補正９】
【補正対象書類名】明細書
【補正対象項目名】００４７
【補正方法】変更
【補正の内容】
【００４７】
本願の第４の態様は、伝送レート制御方法であって、
マスタ基地局によって、ユーザ装置集約最大ビットレート（ＵＥ−ＡＭＢＲ）を二次基地局へ送信することと、
前記マスタ基地局によって、第１ＵＥ−ＡＭＢＲ及び／又は第２ＵＥ−ＡＭＢＲを前記二次基地局から受信し、前記第１ＵＥ−ＡＭＢＲ及び前記第２ＵＥ−ＡＭＢＲは前記ＵＥ−ＡＭＢＲに基づいて取得される、ことと
を含む方法を提供する。
【手続補正１０】
【補正対象書類名】明細書
【補正対象項目名】００５１
【補正方法】変更
【補正の内容】
【００５１】
任意に、当該方法は、
前記マスタ基地局によって、参照情報を前記二次基地局へ送信することを更に含み、前記参照情報は、
ユーザ装置（ＵＥ）によってサポートされる全ての無保証ビットレート（ｎｏｎ−ＧＢＲ）サービスに関する情報、又は
マスタセルグループベアラに対応するｎｏｎ−ＧＢＲサービスに関する情報
を含む。
【手続補正１１】
【補正対象書類名】明細書
【補正対象項目名】００５２
【補正方法】変更
【補正の内容】
【００５２】
任意に、前記ｎｏｎ−ＧＢＲサービスに関する前記情報は、次の組み合わせ：
ｎｏｎ−ＧＢＲサービスの量、又は
前記ｎｏｎ−ＧＢＲサービスに対応するクオリティ・オブ・サービスクラス識別子（ＱＣＩ）、又は
前記ｎｏｎ−ＧＢＲサービスに対応する無線アクセスベアラ識別子、又は
前記ｎｏｎ−ＧＢＲサービスに対応する割り当て／維持優先度（ＡＲＰ）
のうちの少なくとも１つを含む。
【手続補正１２】
【補正対象書類名】明細書
【補正対象項目名】００５４
【補正方法】変更
【補正の内容】
【００５４】
本願の第５の態様は、伝送レート制御方法であって、
マスタ基地局によって、ユーザ装置集約最大ビットレート（ＵＥ−ＡＭＢＲ）を取得することと、
前記マスタ基地局によって、二次基地局のベアラタイプを決定し、前記ＵＥ−ＡＭＢＲに基づいて、前記二次基地局のために使用される第２ＵＥ−ＡＭＢＲを決定し、該第２ＵＥ−ＡＭＢＲは、前記二次基地局によって、該二次基地局の前記ベアラタイプに基づいて端末伝送レートを制御するために使用される、ことと、
前記マスタ基地局によって、前記第２ＵＥ−ＡＭＢＲ及び前記二次基地局の前記ベアラタイプを前記二次基地局へ送信することと
を含む方法を提供する。
【手続補正１３】
【補正対象書類名】明細書
【補正対象項目名】００５７
【補正方法】変更
【補正の内容】
【００５７】
任意に、前記二次基地局の前記ベアラタイプが前記二次基地局にアンカーされた分割ベアラ（SCG  split  bearer）のみを含む場合に、
前記第２ＵＥ−ＡＭＢＲが、前記二次基地局によって、該二次基地局の前記ベアラタイプに基づいて端末伝送レートを制御するために使用されることは、
ダウンリンク上で、前記第２ＵＥ−ＡＭＢＲに基づいて、前記二次基地局が、該二次基地局とＵＥとの間にある、前記二次基地局にアンカーされた前記分割ベアラのダウンリンク伝送レートを制御し、且つ、前記マスタ基地局と前記ＵＥとの間にある、前記二次基地局にアンカーされた前記分割ベアラのダウンリンク伝送レートを制御すること、又は
アップリンク上で、前記二次基地局がアップリンク分割データを送信するよう構成されるときに、前記二次基地局が、前記第２ＵＥ−ＡＭＢＲに基づいて、前記二次基地局と前記ＵＥとの間にある、前記二次基地局にアンカーされた前記分割ベアラのアップリンク伝送レートを制御すること
を含む。
【手続補正１４】
【補正対象書類名】明細書
【補正対象項目名】０１６３
【補正方法】変更
【補正の内容】
【０１６３】
ステップ４０６′：マスタ基地局は、調整された第１ＵＥ−ＡＭＢＲを二次基地局から受信し、マスタ基地局は、調整された第１ＵＥ−ＡＭＢＲに基づいてマスタ基地局とＵＥとの間の伝送レートを制御する。
【手続補正１５】
【補正対象書類名】明細書
【補正対象項目名】０１８７
【補正方法】変更
【補正の内容】
【０１８７】
具体的に、ｎｏｎ−ＧＢＲサービスに関する情報は、次のパラメータ：ｎｏｎ−ＧＢＲサービスの量、ｎｏｎ−ＧＢＲサービスに対応するクオリティ・オブ・サービスクラス識別子（ＱＣＩ）、ｎｏｎ−ＧＢＲサービスに対応する無線アクセスベアラ識別子、又はｎｏｎ−ＧＢＲサービスに対応する割り当て／維持優先度（ＡＲＰ）、のうちの少なくとも１つを含んでよい。ｎｏｎ−ＧＢＲサービスに関する情報は、マスタ基地局で個別に負担されるｎｏｎ−ＧＢＲサービスを二次基地局に知らしめることができる他のパラメータであってもよい。
【手続補正１６】
【補正対象書類名】明細書
【補正対象項目名】０１８８
【補正方法】変更
【補正の内容】
【０１８８】
具体的に、参照情報において、ＵＥの全てのｎｏｎ−ＧＢＲサービスは、マスタ基地局で個別に負担される全てのｎｏｎ−ＧＢＲサービスであり、マスタ基地局で負担されるｎｏｎ−ＧＢＲサービスに対応するＱＣＩは、マスタ基地局で個別に負担されるｎｏｎ−ＧＢＲサービスに対応するＱＣＩである。マスタ基地局は、参照情報を二次基地局へ送信し、二次基地局は、参照情報に基づいて、マスタ基地局で個別に負担されるｎｏｎ−ＧＢＲサービスに関する情報を知り得る。この場合に、二次基地局は、参照情報及びＵＥ−ＡＭＢＲに基づいて第１ＵＥ−ＡＭＢＲ及び第２ＵＥ−ＡＭＢＲを決定する。例えば、なお図１を参照して、基地局０がマスタ基地局であり、基地局１が二次基地局である場合に、基地局１での２つのｎｏｎ−ＧＢＲサービスが基地局０のために分割される必要があり、基地局１が、基地局０によって送信された参照情報に基づいて、２つのｎｏｎ−ＧＢＲサービスが基地局０で個別に負担されていることを知る場合に、基地局１は、基地局０及び基地局１で負担されているｎｏｎ−ＧＢＲサービスの数量に基づいて、ＵＥ−ＡＭＢＲを割り当てる。例えば、基地局０は、２つのｎｏｎ−ＧＢＲサービスを個別に負っており、基地局１での２つのｎｏｎ−ＧＢＲサービスから分割されたデータを負う必要がある。従って、基地局１でのｎｏｎ−ＧＢＲサービスのデータ量の方が小さいので、ＵＥ−ＡＭＢＲの６０％が第１ＵＥ−ＡＭＢＲとして決定される必要があり、ＵＥ−ＡＭＢＲの４０％が第２ＵＥ−ＡＭＢＲとして決定される、など。
【手続補正１７】
【補正対象書類名】明細書
【補正対象項目名】０１９６
【補正方法】変更
【補正の内容】
【０１９６】
この実施形態では、第２ＵＥ−ＡＭＢＲを決定した後に、マスタ基地局は、第２ＵＥ−ＡＭＢＲ及び二次基地局のベアラタイプを二次基地局へ送信する。第２ＵＥ−ＡＭＢＲは、アップリンク第２ＵＥ−ＡＭＢＲ及びダウンリンク第２ＵＥ−ＡＭＢＲを更に含む。第２ＵＥ−ＡＭＢＲを取得した後、二次基地局は、二次基地局のベアラタイプ及び第２ＵＥ−ＡＭＢＲに基づいて二次基地局とＵＥとの間の伝送レートを制御する。具体的に、二次基地局は、ＵＥに割り当てられる資源を制御することによって、二次基地局とＵＥとの間の伝送レートを制御して、二次基地局での全てのｎｏｎ−ＧＢＲサービスのレートの和が第２ＵＥ−ＡＭＢＲの限度を超えないことを確かにし得る。
【手続補正１８】
【補正対象書類名】明細書
【補正対象項目名】０２０８
【補正方法】変更
【補正の内容】
【０２０８】
図７は、本願に従う通信装置の実施形態１の略構造図である。装置は、マスタ基地局に位置してよい。図７を参照すると、装置は、取得ユニット７０１、決定ユニット７０２、及び送信ユニット７０３を含む。  
取得ユニット７０１は、ユーザ装置集約最大ビットレート（ＵＥ−ＡＭＢＲ）を取得する。  
決定ユニット７０２は、ＵＥ−ＡＭＢＲに基づいて、マスタ基地局のために使用される第１ＵＥ−ＡＭＢＲと、二次基地局のために使用される第２ＵＥ−ＡＭＢＲとを決定する。  
送信ユニット７０３は、第２ＵＥ−ＡＭＢＲを二次基地局へ送信する。  
送信ユニット７０３は、二次基地局に対して、二次基地局にマスタ基地局のためのデータ分割を制御するように指示するために使用される指示情報を更に送信する。
【手続補正１９】
【補正対象書類名】明細書
【補正対象項目名】０２１３
【補正方法】変更
【補正の内容】
【０２１３】
任意に、図７に示される実施形態に基づいて、装置は、受信ユニット、調整ユニット、及び第１制御ユニットを更に含む。  
受信ユニットは、調整された第２ＵＥ−ＡＭＢＲを二次基地局から受信するよう構成される。  
調整ユニットは、調整された第２ＵＥ−ＡＭＢＲに基づいて第１ＵＥ−ＡＭＢＲを調整するよう構成される。  
第１制御ユニットは、調整された第１ＵＥ−ＡＭＢＲに基づいてマスタ基地局とユーザ装置（ＵＥ）との間の伝送レートを調整するよう構成される。
【手続補正２０】
【補正対象書類名】明細書
【補正対象項目名】０２２１
【補正方法】変更
【補正の内容】
【０２２１】
図８は、本願の通信装置の実施形態２の略構造図である。装置は、二次基地局に位置してよい。図８を参照すると、装置は、第１受信ユニット８０１及び第２受信ユニット８０２を含む。  
第１受信ユニット８０１は、マスタ基地局から、二次基地局のために使用される第２ユーザ装置集約最大ビットレート（ＵＥ−ＡＭＢＲ）を受信するよう構成され、ここで、第２ＵＥ−ＡＭＢＲは、ＵＥ−ＡＭＢＲに基づいて取得される。  
第２受信ユニット８０２は、指示情報をマスタ基地局から受信するよう構成され、ここで、指示情報は、二次基地局にマスタ基地局のためのデータ分割を制御するように指示するために使用される。
【手続補正２１】
【補正対象書類名】明細書
【補正対象項目名】０２２２
【補正方法】変更
【補正の内容】
【０２２２】
任意に、図８に示される実施形態に基づいて、装置は制御ユニットを更に含む。  
二次基地局にアンカーされた分割ベアラ（SCG  split  bearer）のみがマスタ基地局に存在する場合に、指示情報は第３ＵＥ−ＡＭＢＲであり、第３ＵＥ−ＡＭＢＲは、マスタ基地局のために使用される第１ＵＥ−ＡＭＢＲに等しく、第１ＵＥ−ＡＭＢＲは、ＵＥ−ＡＭＢＲに基づいて取得され、
制御ユニットは、第３ＵＥ−ＡＭＢＲに基づいてマスタ基地局とユーザ装置（ＵＥ）との間のダウンリンク伝送レートを制御するよう構成され、
制御ユニットは、具体的に、
マスタ基地局とＵＥとの間にある、二次基地局にアンカーされた分割ベアラのダウンリンク伝送レートを制御するよう構成される。
【手続補正２２】
【補正対象書類名】明細書
【補正対象項目名】０２３０
【補正方法】変更
【補正の内容】
【０２３０】
図９は、本願に従う通信装置の実施形態３の略構造図である。装置は、二次基地局に位置してよい。図９を参照すると、装置は、受信ユニット９０１、決定ユニット９０２、及び送信ユニット９０３を含む。  
受信ユニット９０１は、ユーザ装置集約最大ビットレート（ＵＥ−ＡＭＢＲ）をマスタ基地局から受信するよう構成される。  
決定ユニット９０２は、ＵＥ−ＡＭＢＲに基づいて、マスタ基地局のために使用される第１ＵＥ−ＡＭＢＲと、二次基地局のために使用される第２ＵＥ−ＡＭＢＲとを決定するよう構成される。  
送信ユニット９０３は、第１ＵＥ−ＡＭＢＲ及び／又は第２ＵＥ−ＡＭＢＲをマスタ基地局へ送信するよう構成される。
【手続補正２３】
【補正対象書類名】明細書
【補正対象項目名】０２３１
【補正方法】変更
【補正の内容】
【０２３１】
任意に、受信ユニット９０１は、マスタ基地局によって送信される参照情報を受信するよう更に構成される。参照情報は、
ユーザ装置（ＵＥ）によってサポートされる全ての無保証ビットレート（ｎｏｎ−ＧＢＲ）サービスに関する情報、又は
マスタセルグループベアラに対応するｎｏｎ−ＧＢＲサービスに関する情報
を含む。  
決定ユニット９０２は、具体的に、参照情報及びＵＥ−ＡＭＢＲに基づいて第１ＵＥ−ＡＭＢＲ及び第２ＵＥ−ＡＭＢＲを決定するよう構成される。
【手続補正２４】
【補正対象書類名】明細書
【補正対象項目名】０２３２
【補正方法】変更
【補正の内容】
【０２３２】
任意に、ｎｏｎ−ＧＢＲサービスに関する情報は、次の組み合わせ：
ｎｏｎ−ＧＢＲサービスの量、又は
ｎｏｎ−ＧＢＲサービスに対応するクオリティ・オブ・サービスクラス識別子（ＱＣＩ）、又は
ｎｏｎ−ＧＢＲサービスに対応する無線アクセスベアラ識別子、又は
ｎｏｎ−ＧＢＲサービスに対応する割り当て／維持優先度（ＡＲＰ）
のうちの少なくとも１つを含む。
【手続補正２５】
【補正対象書類名】明細書
【補正対象項目名】０２３６
【補正方法】変更
【補正の内容】
【０２３６】
図１０は、本願に従う通信装置の実施形態４の略構造図である。装置は、マスタ基地局に位置してよい。図１０を参照すると、装置は、送信ユニット１００１及び受信ユニット１００２を含む。  
送信ユニット１００１は、ユーザ装置集約最大ビットレート（ＵＥ−ＡＭＢＲ）を二次基地局へ送信するよう構成される。  
受信ユニット１００２は、第１ＵＥ−ＡＭＢＲ及び／又は第２ＵＥ−ＡＭＢＲを二次基地局から受信するよう構成され、ここで、第１ＵＥ−ＡＭＢＲ及び第２ＵＥ−ＡＭＢＲは、ＵＥ−ＡＭＢＲに基づいて取得される。
【手続補正２６】
【補正対象書類名】明細書
【補正対象項目名】０２３７
【補正方法】変更
【補正の内容】
【０２３７】
任意に、送信ユニット１００１は、参照情報を二次基地局へ送信するよう更に構成される。参照情報は、
ユーザ装置（ＵＥ）によってサポートされる全ての無保証ビットレート（ｎｏｎ−ＧＢＲ）サービスに関する情報、又は
マスタセルグループベアラに対応するｎｏｎ−ＧＢＲサービスに関する情報
を含む。
【手続補正２７】
【補正対象書類名】明細書
【補正対象項目名】０２３８
【補正方法】変更
【補正の内容】
【０２３８】
任意に、ｎｏｎ−ＧＢＲサービスに関する情報は、次の組み合わせ：
ｎｏｎ−ＧＢＲサービスの量、又は
ｎｏｎ−ＧＢＲサービスに対応するクオリティ・オブ・サービスクラス識別子（ＱＣＩ）、又は
ｎｏｎ−ＧＢＲサービスに対応する無線アクセスベアラ識別子、又は
ｎｏｎ−ＧＢＲサービスに対応する割り当て／維持優先度（ＡＲＰ）
のうちの少なくとも１つを含む。
【手続補正２８】
【補正対象書類名】明細書
【補正対象項目名】０２４２
【補正方法】変更
【補正の内容】
【０２４２】
図１１は、本願に従う通信装置の実施形態５の略構造図である。装置は、マスタ基地局に位置してよい。図１１を参照すると、装置は、取得ユニット１１０１、決定ユニット１１０２、及び送信ユニット１１０３を含む。  
取得ユニット１１０１は、ユーザ装置集約最大ビットレート（ＵＥ−ＡＭＢＲ）を取得する。  
決定ユニット１１０２は、二次基地局のベアラタイプを決定し、ＵＥ−ＡＭＢＲに基づいて、二次基地局のために使用される第２ＵＥ−ＡＭＢＲを決定し、ここで、第２ＵＥ−ＡＭＢＲは、二次基地局によって、二次基地局のベアラタイプに基づいて端末伝送レートを制御するために使用される。  
送信ユニット１１０３は、第２ＵＥ−ＡＭＢＲ及び二次基地局のベアラタイプを二次基地局へ送信する。
【国際調査報告】
2020523956.tif 000017
2020523956.tif 000018
2020523956.tif 000019
2020523956.tif 000020
2020523956.tif 000021
2020523956.tif 000022